(57)【要約】  本発明の諸実施形態では、デフォルト・ベアラなしのハンドオーバのための方法および装置を提供し、通信の分野に関し、発展型パケット・システム内にデフォルト・ベアラがないときに、ユーザ機器がセル間をハンドオーバするとき小さなデータが信号接続を用いて転送されるという問題を解決する。本発明の当該方法は、第１のネットワーク装置が再配置要求を第２のネットワーク装置に送信し、当該第２のネットワーク装置が当該再配置要求により示された第３のネットワーク装置への接続を確立し、応答を当該第１のネットワーク装置に送信し、データがシグナリング・プレーンを用いて送信されるべきであることを示し、当該第１のネットワーク装置が、ハンドオーバ・コマンドにより示された転送モードに従って当該データをターゲット・ネットワーク装置に転送するようにソース・ネットワーク装置に指示するか、または、当該第２のネットワーク装置が当該再配置要求により示された当該第３のネットワーク装置に対する当該接続を確立した後、当該第３のネットワーク装置がデータをキャッシュし、ユーザ機器のハンドオーバが完了した後、当該第３のネットワーク装置がキャッシュされたデータを当該第２のネットワーク装置に送信するというものである。本発明の諸実施形態はデフォルト・ベアラなしのセルハンドオーバに適用される。
2016521091.tif 000002
【特許請求の範囲】
【請求項１】
デフォルト・ベアラなしのハンドオーバのための方法であって、
第１のネットワーク装置により、再配置要求を第２のネットワーク装置に送信するステップであって、前記再配置要求は第３のネットワーク装置に関する情報および転送モード識別子を含み、前記第３のネットワーク装置に関する前記情報は、前記第２のネットワーク装置が前記第３のネットワーク装置への接続を確立するために使用され、前記転送モード識別子は直接転送または間接転送を示すために使用される、ステップと、
前記第１のネットワーク装置により、前記第２のネットワーク装置により送信された再配置応答を受信するステップであって、前記再配置応答はシグナリング・プレーンを用いてデータを転送すべきことを示す指示情報を運搬する、ステップと、
前記第１のネットワーク装置により、ハンドオーバ・コマンドをソース・ネットワーク装置に送信して、前記ソース・ネットワーク装置が、前記ハンドオーバ・コマンドで運搬される前記転送モード識別子により示される転送モードに従って、前記データをターゲット・ネットワーク装置に転送するようにするステップと、
前記第２のネットワーク装置がハンドオーバ完了通知メッセージを前記第３のネットワーク装置に送信し、前記第３のネットワーク装置が前記第１のネットワーク装置のアドレスから前記第２のネットワーク装置のアドレスへのサービング・ノード情報を更新するように、前記第１のネットワーク装置により、再配置完了メッセージを前記第２のネットワーク装置に送信するステップと、
を含む、方法。
【請求項２】
実行されたハンドオーバが、高度地上波無線アクセスネットワークＥ−ＵＴＲＡＮ内の内部ハンドオーバまたは前記Ｅ−ＵＴＲＡＮと地上波無線アクセスネットワークＵＴＲＡＮの間のハンドオーバであるとき、前記第１のネットワーク装置により、ハンドオーバ・コマンドをソース・ネットワーク装置に送信して、前記ソース・ネットワーク装置が、前記ハンドオーバ・コマンドで運搬される前記転送モード識別子により示される転送モードに従って、前記データをターゲット・ネットワーク装置に転送するようにするステップは、
前記第１のネットワーク装置により、前記ハンドオーバ・コマンドを前記ソース・ネットワーク装置に送信するステップであって、前記ハンドオーバ・コマンドで運搬される前記転送モード識別子は、前記データを前記ターゲット・ネットワーク装置に直接転送するように前記ソース・ネットワーク装置に指示するステップ、または、
前記第１のネットワーク装置により、前記ハンドオーバ・コマンドを前記ソース・ネットワーク装置に送信するステップであって、前記ハンドオーバ・コマンドで運搬される前記転送モード識別子は、前記データを間接的に転送するように前記ソース・ネットワーク装置に指示するステップと、
前記第１のネットワーク装置により、前記ソース・ネットワーク装置により送信された前記データを受信するステップと、
前記第２のネットワーク装置が前記データを前記ターゲット・ネットワーク装置に送信するように、前記第１のネットワーク装置により、シグナリング・プレーン・ベアラを用いて前記データを前記第２のネットワーク装置に転送するステップと、
を含む、請求項１に記載の方法。
【請求項３】
実行されたハンドオーバが、前記Ｅ−ＵＴＲＡＮと前記ＵＴＲＡＮ、および前記ハンドオーバがデフォルト・ベアラを有する前のネットワークの一方の側および前記ハンドオーバがデフォルト・ベアラを有さなくなった後のネットワークの一方の側の間のハンドオーバであるとき、前記第１のネットワーク装置により、ハンドオーバ・コマンドをソース・ネットワーク装置に送信して、前記ソース・ネットワーク装置が、前記ハンドオーバ・コマンドで運搬される前記転送モード識別子により示される転送モードに従って、前記データをターゲット・ネットワーク装置に転送するようにするステップは、
前記第１のネットワーク装置により、前記ハンドオーバ・コマンドを前記ソース・ネットワーク装置に送信するステップであって、前記ハンドオーバ・コマンドで運搬される前記転送モード識別子は、前記データを前記ターゲット・ネットワーク装置に直接転送するように前記ソース・ネットワーク装置に指示するステップ、または、
前記第１のネットワーク装置により、前記ハンドオーバ・コマンドを前記ソース・ネットワーク装置に送信するステップであって、前記ハンドオーバ・コマンドで運搬される前記転送モード識別子は、前記データを間接的に転送するように前記ソース・ネットワーク装置に指示するステップと、
前記第１のネットワーク装置により、前記ソース・ネットワーク装置により送信された前記データを受信するステップと、
前記サービング・ゲートウェイがシグナリング・プレーン・ベアラを用いて前記データを前記第２のネットワーク装置に転送するように、前記第１のネットワーク装置により、前記データをサービング・ゲートウェイに転送するステップと、
を含む、請求項１に記載の方法。
【請求項４】
前記転送モード識別子が、前記データを間接的に転送するように前記ソース・ネットワーク装置に指示する場合、前記第１のネットワーク装置により、前記第２のネットワーク装置により送信された再配置応答を受信した後、前記方法はさらに、
前記第１のネットワーク装置により、転送チャネル確立要求を前記サービング・ゲートウェイに送信するステップと、
前記第１のネットワーク装置により、前記サービング・ゲートウェイにより送信された転送チャネル確立応答を受信するステップと、
前記第１のネットワーク装置により、前記サービング・ゲートウェイと前記第２のネットワーク装置の間の前記シグナリング・プレーン・ベアラを確立するステップと、
を含む、請求項３に記載の方法。
【請求項５】
実行されたハンドオーバが前記Ｅ−ＵＴＲＡＮ内の内部ハンドオーバであるとき、前記第１のネットワーク装置はソース可動性管理エンティティであり、前記第２のネットワーク装置はターゲット可動性管理エンティティであり、前記第３のネットワーク装置はマシン・タイプ通信インターワーキング機能ＭＴＣ−ＩＷＦであり、前記ソース・ネットワーク装置はソース基地局であり、前記ターゲット・ネットワーク装置はターゲット基地局であるか、または、前記実行されたハンドオーバが前記Ｅ−ＵＴＲＡＮから前記ＵＴＲＡＮへのハンドオーバであるとき、前記第１のネットワーク装置はソース可動性管理エンティティであり、前記第２のネットワーク装置はターゲット・サービング汎用パケット無線サービス・サポート・ノードＳＧＳＮであり、前記第３のネットワーク装置はＭＴＣ−ＩＷＦであり、前記ソース・ネットワーク装置はソース基地局であり、前記ターゲット・ネットワーク装置はターゲット無線ネットワークコントローラＲＮＣであるか、または、前記実行されたハンドオーバが前記ＵＴＲＡＮから前記Ｅ−ＵＴＲＡＮへのハンドオーバであるとき、前記第１のネットワーク装置はソースＳＧＳＮであり、前記第２のネットワーク装置はターゲット可動性管理エンティティであり、前記第３のネットワーク装置はＭＴＣ−ＩＷＦであり、前記ソース・ネットワーク装置はソースＲＮＣであり、前記ターゲット・ネットワーク装置はターゲット基地局である、請求項１乃至４の何れか１項に記載の方法。
【請求項６】
前記実行されたハンドオーバが前記Ｅ−ＵＴＲＡＮと前記ＵＴＲＡＮの間の前記ハンドオーバであると判定するための方法は、
前記第１のネットワーク装置により、前記ソース・ネットワーク装置のハンドオーバ要求メッセージを受信するステップであって、前記ハンドオーバ要求メッセージは前記ターゲット・ネットワーク装置の識別子を含むステップと、
前記第１のネットワーク装置により前記ターゲット・ネットワーク装置の識別子に従って、前記実行されたハンドオーバが前記Ｅ−ＵＴＲＡＮと前記ＵＴＲＡＮの間の前記ハンドオーバであると判定するステップと、
を含む、請求項５に記載の方法。
【請求項７】
デフォルト・ベアラなしのハンドオーバのための方法であって、
第２のネットワーク装置により、第１のネットワーク装置により送信された再配置要求を受信するステップであって、前記再配置要求は第３のネットワーク装置に関する情報および転送モード識別子を含み、前記第３のネットワーク装置に関する前記情報は、前記第２のネットワーク装置が前記第３のネットワーク装置への接続を確立するために使用され、前記転送モード識別子は直接転送または間接転送を示すために使用されるステップと、
前記第２のネットワーク装置により、再配置応答を前記第１のネットワーク装置に送信するステップであって、前記再配置応答はシグナリング・プレーンを用いてデータを転送すべきことを示す指示情報を運搬して、前記第１のネットワーク装置が前記再配置応答を受信した後、前記第１のネットワーク装置がハンドオーバ・コマンドをソース・ネットワーク装置に送信し、前記ソース・ネットワーク装置が、前記ハンドオーバ・コマンドで運搬される前記転送モード識別子により示される転送モードに従って、前記データをターゲット・ネットワーク装置に転送するようにする、ステップと、
前記第２のネットワーク装置により、ハンドオーバ完了通知メッセージを前記第３のネットワーク装置に送信して、前記第３のネットワーク装置が前記第１のネットワーク装置のアドレスから前記第２のネットワーク装置のアドレスへのサービング・ノード情報を更新するようにするステップと、
を含む、方法。
【請求項８】
実行されたハンドオーバがＥ−ＵＴＲＡＮ内の内部ハンドオーバであるとき、前記第１のネットワーク装置はソース可動性管理エンティティであり、前記第２のネットワーク装置はターゲット可動性管理エンティティであり、前記第３のネットワーク装置はマシン・タイプ通信インターワーキング機能ＭＴＣ−ＩＷＦであり、前記ソース・ネットワーク装置はソース基地局であり、前記ターゲット・ネットワーク装置はターゲット基地局であるか、または、実行されたハンドオーバが前記Ｅ−ＵＴＲＡＮからＵＴＲＡＮへのハンドオーバであるとき、前記第１のネットワーク装置はソース可動性管理エンティティであり、前記第２のネットワーク装置はターゲット・サービング汎用パケット無線サービス・サポート・ノードＳＧＳＮであり、前記第３のネットワーク装置はＭＴＣ−ＩＷＦであり、前記ソース・ネットワーク装置はソース基地局であり、前記ターゲット・ネットワーク装置はターゲット無線ネットワークコントローラＲＮＣであるか、または、実行されたハンドオーバが前記ＵＴＲＡＮから前記Ｅ−ＵＴＲＡＮへのハンドオーバであるとき、前記第１のネットワーク装置はソースＳＧＳＮであり、前記第２のネットワーク装置はターゲット可動性管理エンティティであり、前記第３のネットワーク装置はＭＴＣ−ＩＷＦであり、前記ソース・ネットワーク装置はソースＲＮＣであり、前記ターゲット・ネットワーク装置はターゲット基地局である、請求項１に記載の方法。
【請求項９】
デフォルト・ベアラなしのハンドオーバのための方法であって、
第１のネットワーク装置により、再配置要求を第２のネットワーク装置に送信するステップであって、前記再配置要求は第３のネットワーク装置に関する情報を含み、前記第３のネットワーク装置に関する前記情報は、前記第２のネットワーク装置が前記第３のネットワーク装置への接続を確立するために使用されるステップと、
前記第２のネットワーク装置が前記第３のネットワーク装置に対する前記接続を確立し、前記第２のネットワーク装置がデータをキャッシュするように前記第３のネットワーク装置に指示した後、前記第１のネットワーク装置により、前記第２のネットワーク装置により送信された再配置応答を受信するステップであって、前記再配置応答はシグナリング・プレーンを用いて前記データを転送すべきことを示す指示情報を運搬するステップと、
前記第１のネットワーク装置により、ハンドオーバ・コマンドをソース・ネットワーク装置に送信して、前記ソース・ネットワーク装置が前記ハンドオーバ・コマンドに従ってユーザ機器のハンドオーバをトリガし、前記ユーザ機器の前記ハンドオーバが完了した後、前記第２のネットワーク装置が前記第３のネットワーク装置により送信された前記データを受信するようにするステップと、
を含む、方法。
【請求項１０】
実行されたハンドオーバがＥ−ＵＴＲＡＮ内の内部ハンドオーバであるとき、前記第１のネットワーク装置はソース可動性管理エンティティであり、前記第２のネットワーク装置はターゲット可動性管理エンティティであり、前記第３のネットワーク装置はマシン・タイプ通信インターワーキング機能ＭＴＣ−ＩＷＦであり、前記ソース・ネットワーク装置はソース基地局であり、ターゲット・ネットワーク装置はターゲット基地局であるか、または、実行されたハンドオーバが前記Ｅ−ＵＴＲＡＮからＵＴＲＡＮへのハンドオーバであるとき、前記第１のネットワーク装置はソース可動性管理エンティティであり、前記第２のネットワーク装置はターゲット・サービング汎用パケット無線サービス・サポート・ノードＳＧＳＮであり、前記第３のネットワーク装置はＭＴＣ−ＩＷＦであり、前記ソース・ネットワーク装置はソース基地局であり、ターゲット・ネットワーク装置はターゲット無線ネットワークコントローラＲＮＣであるか、または、実行されたハンドオーバが前記ＵＴＲＡＮから前記Ｅ−ＵＴＲＡＮへのハンドオーバであるとき、前記第１のネットワーク装置はソースＳＧＳＮであり、前記第２のネットワーク装置はターゲット可動性管理エンティティであり、前記第３のネットワーク装置はＭＴＣ−ＩＷＦであり、前記ソース・ネットワーク装置はソースＲＮＣであり、ターゲット・ネットワーク装置はターゲット基地局である、請求項９に記載の方法。
【請求項１１】
デフォルト・ベアラなしのハンドオーバのための方法であって、
第２のネットワーク装置により、第１のネットワーク装置により送信された再配置要求を受信するステップであって、前記再配置要求は第３のネットワーク装置に関する情報を含み、前記第３のネットワーク装置に関する前記情報は、前記第２のネットワーク装置が前記第３のネットワーク装置への接続を確立するために使用されるステップと、
前記第２のネットワーク装置により、前記第３のネットワーク装置に対する前記接続を確立し、ユーザ機器のハンドオーバ・プロセスを開始したことを前記第３のネットワーク装置に示して、前記第３のネットワーク装置がデータをキャッシュするようにするステップと、
前記第２のネットワーク装置により、再配置応答を前記第１のネットワーク装置に送信するステップであって、前記再配置応答はシグナリング・プレーンを用いて前記データを転送すべきことを示す指示情報を運搬するステップと、
前記第２のネットワーク装置により、前記第３のネットワーク装置により送信された前記データを受信するステップと、
を含む、方法。
【請求項１２】
前記第２のネットワーク装置により、前記第３のネットワーク装置により送信された前記データを受信する前に、前記方法はさらに、
前記第２のネットワーク装置により、ハンドオーバ完了通知を前記第３のネットワーク装置に送信して、前記第３のネットワーク装置が前記第１のネットワーク装置のアドレスから前記第２のネットワーク装置のアドレスへのサービング・ノード情報を更新するようにするステップ
を含む、請求項１１に記載の方法。
【請求項１３】
実行されたハンドオーバがＥ−ＵＴＲＡＮ内の内部ハンドオーバであるとき、前記第１のネットワーク装置はソース可動性管理エンティティであり、前記第２のネットワーク装置はターゲット可動性管理エンティティであり、前記第３のネットワーク装置はマシン・タイプ通信インターワーキング機能ＭＴＣ−ＩＷＦであり、ソース・ネットワーク装置はソース基地局であり、ターゲット・ネットワーク装置はターゲット基地局であるか、または、実行されたハンドオーバが前記Ｅ−ＵＴＲＡＮからＵＴＲＡＮへのハンドオーバであるとき、前記第１のネットワーク装置はソース可動性管理エンティティであり、前記第２のネットワーク装置はターゲット・サービング汎用パケット無線サービス・サポート・ノードＳＧＳＮであり、前記第３のネットワーク装置はＭＴＣ−ＩＷＦであり、ソース・ネットワーク装置はソース基地局であり、ターゲット・ネットワーク装置はターゲット無線ネットワークコントローラＲＮＣであるか、または、実行されたハンドオーバが前記ＵＴＲＡＮから前記Ｅ−ＵＴＲＡＮへのハンドオーバであるとき、前記第１のネットワーク装置はソースＳＧＳＮであり、前記第２のネットワーク装置はターゲット可動性管理エンティティであり、前記第３のネットワーク装置はＭＴＣ−ＩＷＦであり、ソース・ネットワーク装置はソースＲＮＣであり、ターゲット・ネットワーク装置はターゲット基地局である、
請求項１１または１２に記載の方法。
【請求項１４】
ネットワーク装置であって、
再配置要求を第２のネットワーク装置に送信するように構成された送信ユニットであって、前記再配置要求は第３のネットワーク装置に関する情報および転送モード識別子を含み、前記第３のネットワーク装置に関する前記情報は、前記第２のネットワーク装置が前記第３のネットワーク装置への接続を確立するために使用され、前記転送モード識別子は直接転送または間接転送を示すために使用される、送信ユニットと、
前記第２のネットワーク装置により送信された再配置応答を受信するように構成された受信ユニットであって、前記再配置応答はシグナリング・プレーンを用いてデータを転送すべきことを示す指示情報を運搬する、受信ユニットと、
ハンドオーバ・コマンドをソース・ネットワーク装置に送信して、前記ソース・ネットワーク装置が、前記ハンドオーバ・コマンドで運搬される前記転送モード識別子により示される転送モードに従って、前記データをターゲット・ネットワーク装置に転送するようにするように構成されたハンドオーバ・ユニットと、
再配置完了メッセージを前記第２のネットワーク装置に送信して、前記第２のネットワーク装置がハンドオーバ完了通知メッセージを前記第３のネットワーク装置に送信し、前記第３のネットワーク装置が前記ネットワーク装置のアドレスから前記第２のネットワーク装置のアドレスへのサービング・ノード情報を更新するようにするように構成された通知ユニットと、
を備える、ネットワーク装置。
【請求項１５】
実行されたハンドオーバが、高度地上波無線アクセスネットワークＥ−ＵＴＲＡＮ内の内部ハンドオーバまたは前記Ｅ−ＵＴＲＡＮと地上波無線アクセスネットワークＵＴＲＡＮの間のハンドオーバであるとき、
前記ハンドオーバ・ユニットは特に、前記ハンドオーバ・コマンドを前記ソース・ネットワーク装置に送信するように構成され、前記ハンドオーバ・コマンドで運搬される前記転送モード識別子は、前記データを前記ターゲット・ネットワーク装置に直接転送するように前記ソース・ネットワーク装置に指示するか、または、前記ハンドオーバ・ユニットは特に、前記ハンドオーバ・コマンドを前記ソース・ネットワーク装置に送信するように構成され、前記ハンドオーバ・コマンドで運搬される前記転送モード識別子は、前記データを間接的に転送するように前記ソース・ネットワーク装置に指示し、
前記受信ユニットはさらに、前記ソース・ネットワーク装置により送信された前記データを受信するように構成され、
前記送信ユニットはさらに、前記第２のネットワーク装置が前記データを前記ターゲット・ネットワーク装置に送信するように、シグナリング・プレーン・ベアラを用いて前記データを前記第２のネットワーク装置に転送するように構成された、
請求項１４に記載のネットワーク装置。
【請求項１６】
実行されたハンドオーバが、前記Ｅ−ＵＴＲＡＮと前記ＵＴＲＡＮ、および前記ハンドオーバがデフォルト・ベアラを有する前のネットワークの一方の側および前記ハンドオーバがデフォルト・ベアラを有さなくなった後のネットワークの一方の側の間のハンドオーバであるとき、
前記ハンドオーバ・ユニットは特に、前記ハンドオーバ・コマンドを前記ソース・ネットワーク装置に送信するように構成され、前記ハンドオーバ・コマンドで運搬される前記転送モード識別子は、前記データを前記ターゲット・ネットワーク装置に直接転送するように前記ソース・ネットワーク装置に指示するか、または、前記ハンドオーバ・ユニットは特に、前記ハンドオーバ・コマンドを前記ソース・ネットワーク装置に送信するように構成され、前記ハンドオーバ・コマンドで運搬される前記転送モード識別子は、前記データを間接的に転送するように前記ソース・ネットワーク装置に指示し、
前記受信ユニットはさらに、前記ソース・ネットワーク装置により送信された前記データを受信するように構成され、
前記送信ユニットはさらに、前記データをサービング・ゲートウェイに転送して、前記サービング・ゲートウェイがシグナリング・プレーン・ベアラを用いて前記データを前記第２のネットワーク装置に転送するようにするように構成された、
請求項１４に記載のネットワーク装置。
【請求項１７】
前記転送モード識別子が、前記データを間接的に転送するように前記ソース・ネットワーク装置に指示する場合、前記第２のネットワーク装置により送信された前記再配置応答が受信された後、
前記送信ユニットはさらに、転送チャネル確立要求を前記サービング・ゲートウェイに送信するように構成され、
前記受信ユニットはさらに、前記サービング・ゲートウェイにより送信された転送チャネル確立応答を受信するように構成され、
前記ネットワーク装置はさらに、前記サービング・ゲートウェイと前記第２のネットワーク装置の間の前記シグナリング・プレーン・ベアラを確立するように構成された接続確立ユニットを備える、
請求項１６に記載のネットワーク装置。
【請求項１８】
実行されたハンドオーバが前記Ｅ−ＵＴＲＡＮ内の内部ハンドオーバであるとき、前記ネットワーク装置はソース可動性管理エンティティであり、前記第２のネットワーク装置はターゲット可動性管理エンティティであり、前記第３のネットワーク装置はマシン・タイプ通信インターワーキング機能ＭＴＣ−ＩＷＦであり、前記ソース・ネットワーク装置はソース基地局であり、前記ターゲット・ネットワーク装置はターゲット基地局であるか、または、前記実行されたハンドオーバが前記Ｅ−ＵＴＲＡＮから前記ＵＴＲＡＮへのハンドオーバであるとき、前記ネットワーク装置はソース可動性管理エンティティであり、前記第２のネットワーク装置はターゲット・サービング汎用パケット無線サービス・サポート・ノードＳＧＳＮであり、前記第３のネットワーク装置はＭＴＣ−ＩＷＦであり、前記ソース・ネットワーク装置はソース基地局であり、前記ターゲット・ネットワーク装置はターゲット無線ネットワークコントローラＲＮＣであるか、または、前記実行されたハンドオーバが前記ＵＴＲＡＮから前記Ｅ−ＵＴＲＡＮへのハンドオーバであるとき、前記ネットワーク装置はソースＳＧＳＮであり、前記第２のネットワーク装置はターゲット可動性管理エンティティであり、前記第３のネットワーク装置はＭＴＣ−ＩＷＦであり、前記ソース・ネットワーク装置はソースＲＮＣであり、前記ターゲット・ネットワーク装置はターゲット基地局である、請求項１４乃至１７の何れか１項に記載のネットワーク装置。
【請求項１９】
前記受信ユニットはさらに、前記ソース・ネットワーク装置のハンドオーバ要求メッセージを受信するように構成され、前記ハンドオーバ要求メッセージは前記ターゲット・ネットワーク装置の識別子を含み、
前記ネットワーク装置はさらに、前記ターゲット・ネットワーク装置の識別子に従って、前記実行されたハンドオーバが前記Ｅ−ＵＴＲＡＮと前記ＵＴＲＡＮの間の前記ハンドオーバであると判定するように構成された転送モード判定ユニットを備える、
請求項１８に記載のネットワーク装置。
【請求項２０】
ネットワーク装置であって、
第１のネットワーク装置により送信された再配置要求を受信するように構成された受信ユニットであって、前記再配置要求は第３のネットワーク装置に関する情報および転送モード識別子を含み、前記第３のネットワーク装置に関する前記情報は前記ネットワーク装置が前記第３のネットワーク装置への接続を確立するために使用され、前記転送モード識別子は直接転送または間接転送を示すために使用される、受信ユニットと、
再配置応答を前記第１のネットワーク装置に送信するように構成された送信ユニットであって、前記再配置応答はシグナリング・プレーンを用いてデータを転送すべきことを示す指示情報を運搬して、前記第１のネットワーク装置が前記再配置応答を受信した後、前記第１のネットワーク装置がハンドオーバ・コマンドをソース・ネットワーク装置に送信し、前記ソース・ネットワーク装置が、前記ハンドオーバ・コマンドで運搬される前記転送モード識別子により示される転送モードに従って、前記データをターゲット・ネットワーク装置に転送するようにする、送信ユニットと、
ハンドオーバ完了通知メッセージを前記第３のネットワーク装置に送信して、前記第３のネットワーク装置が、前記第１のネットワーク装置のアドレスから前記ネットワーク装置のアドレスへのサービング・ノード情報を更新するようにするように構成された通知ユニットと、
を備える、ネットワーク装置。
【請求項２１】
実行されたハンドオーバがＥ−ＵＴＲＡＮ内の内部ハンドオーバであるとき、前記第１のネットワーク装置はソース可動性管理エンティティであり、前記ネットワーク装置はターゲット可動性管理エンティティであり、前記第３のネットワーク装置はマシン・タイプ通信インターワーキング機能ＭＴＣ−ＩＷＦであり、前記ソース・ネットワーク装置はソース基地局であり、前記ターゲット・ネットワーク装置はターゲット基地局であるか、または、実行されたハンドオーバが前記Ｅ−ＵＴＲＡＮからＵＴＲＡＮへのハンドオーバであるとき、前記第１のネットワーク装置はソース可動性管理エンティティであり、前記ネットワーク装置はターゲット・サービング汎用パケット無線サービス・サポート・ノードＳＧＳＮであり、前記第３のネットワーク装置はＭＴＣ−ＩＷＦであり、前記ソース・ネットワーク装置はソース基地局であり、前記ターゲット・ネットワーク装置はターゲット無線ネットワークコントローラＲＮＣであるか、または、実行されたハンドオーバが前記ＵＴＲＡＮから前記Ｅ−ＵＴＲＡＮへのハンドオーバであるとき、前記第１のネットワーク装置はソースＳＧＳＮであり、前記ネットワーク装置はターゲット可動性管理エンティティであり、前記第３のネットワーク装置はＭＴＣ−ＩＷＦであり、前記ソース・ネットワーク装置はソースＲＮＣであり、前記ターゲット・ネットワーク装置はターゲット基地局である、請求項２０に記載のネットワーク装置。
【請求項２２】
ネットワーク装置であって、
再配置要求を第２のネットワーク装置に送信するように構成された送信ユニットであって、前記再配置要求は第３のネットワーク装置に関する情報を含み、前記第３のネットワーク装置に関する前記情報は、前記第２のネットワーク装置が前記第３のネットワーク装置への接続を確立するために使用される、送信ユニットと、
前記第２のネットワーク装置が前記第３のネットワーク装置に対する前記接続を確立し、前記第２のネットワーク装置がデータをキャッシュするように前記第３のネットワーク装置に指示した後、前記第２のネットワーク装置により送信された再配置応答を受信するように構成された受信ユニットであって、前記再配置応答はシグナリング・プレーンを用いて前記データを転送すべきことを示す指示情報を運搬する、受信ユニットと、
ハンドオーバ・コマンドをソース・ネットワーク装置に送信して、前記ソース・ネットワーク装置が前記ハンドオーバ・コマンドに従ってユーザ機器のハンドオーバをトリガし、前記ユーザ機器の前記ハンドオーバが完了した後、前記第２のネットワーク装置が前記第３のネットワーク装置により送信された前記データを受信するようにするように構成されたハンドオーバ・ユニットと、
を備える、ネットワーク装置。
【請求項２３】
実行されたハンドオーバがＥ−ＵＴＲＡＮ内の内部ハンドオーバであるとき、前記ネットワーク装置はソース可動性管理エンティティであり、前記第２のネットワーク装置はターゲット可動性管理エンティティであり、前記第３のネットワーク装置はマシン・タイプ通信インターワーキング機能ＭＴＣ−ＩＷＦであり、前記ソース・ネットワーク装置はソース基地局であり、ターゲット・ネットワーク装置はターゲット基地局であるか、または、実行されたハンドオーバが前記Ｅ−ＵＴＲＡＮからＵＴＲＡＮへのハンドオーバであるとき、前記ネットワーク装置はソース可動性管理エンティティであり、前記第２のネットワーク装置はターゲット・サービング汎用パケット無線サービス・サポート・ノードＳＧＳＮであり、前記第３のネットワーク装置はＭＴＣ−ＩＷＦであり、前記ソース・ネットワーク装置はソース基地局であり、ターゲット・ネットワーク装置はターゲット無線ネットワークコントローラＲＮＣであるか、または、実行されたハンドオーバが前記ＵＴＲＡＮから前記Ｅ−ＵＴＲＡＮへのハンドオーバであるとき、前記ネットワーク装置はソースＳＧＳＮであり、前記第２のネットワーク装置はターゲット可動性管理エンティティであり、前記第３のネットワーク装置はＭＴＣ−ＩＷＦであり、前記ソース・ネットワーク装置はソースＲＮＣであり、ターゲット・ネットワーク装置はターゲット基地局である、請求項２２に記載のネットワーク装置。
【請求項２４】
ネットワーク装置であって、
第１のネットワーク装置により送信された再配置要求を受信するように構成された受信ユニットであって、前記再配置要求は第３のネットワーク装置に関する情報を含み、前記第３のネットワーク装置に関する前記情報は前記ネットワーク装置が前記第３のネットワーク装置への接続を確立するために使用される、受信ユニットと、
前記第３のネットワーク装置に対する前記接続を確立し、ユーザ機器のハンドオーバ・プロセスを開始したことを前記第３のネットワーク装置に示して、前記第３のネットワーク装置がデータをキャッシュするようにするように構成された接続確立ユニットと、
再配置応答を前記第１のネットワーク装置に送信するように構成された送信ユニットであって、前記再配置応答はシグナリング・プレーンを用いて前記データを転送すべきことを示す指示情報を運搬する、送信ユニットと、
を備え、
前記受信ユニットはさらに、前記第３のネットワーク装置により送信された前記データを受信するように構成された、
ネットワーク装置。
【請求項２５】
前記第３のネットワーク装置により送信された前記データが受信される前に、ハンドオーバ完了通知を前記第３のネットワーク装置に送信して、前記第３のネットワーク装置が、前記第１のネットワーク装置のアドレスから前記ネットワーク装置のアドレスへのサービング・ノード情報を更新するようにするように構成された通知ユニットをさらに備える、請求項２４に記載のネットワーク装置。
【請求項２６】
実行されたハンドオーバがＥ−ＵＴＲＡＮ内の内部ハンドオーバであるとき、前記第１のネットワーク装置はソース可動性管理エンティティであり、前記ネットワーク装置はターゲット可動性管理エンティティであり、前記第３のネットワーク装置はマシン・タイプ通信インターワーキング機能ＭＴＣ−ＩＷＦであり、ソース・ネットワーク装置はソース基地局であり、ターゲット・ネットワーク装置はターゲット基地局であるか、または、実行されたハンドオーバが前記Ｅ−ＵＴＲＡＮからＵＴＲＡＮへのハンドオーバであるとき、前記第１のネットワーク装置はソース可動性管理エンティティであり、前記ネットワーク装置はターゲット・サービング汎用パケット無線サービス・サポート・ノードＳＧＳＮであり、前記第３のネットワーク装置はＭＴＣ−ＩＷＦであり、ソース・ネットワーク装置はソース基地局であり、ターゲット・ネットワーク装置はターゲット無線ネットワークコントローラＲＮＣであるか、または、実行されたハンドオーバが前記ＵＴＲＡＮから前記Ｅ−ＵＴＲＡＮへのハンドオーバであるとき、前記第１のネットワーク装置はソースＳＧＳＮであり、前記ネットワーク装置はターゲット可動性管理エンティティであり、前記第３のネットワーク装置はＭＴＣ−ＩＷＦであり、ソース・ネットワーク装置はソースＲＮＣであり、ターゲット・ネットワーク装置はターゲット基地局である、
請求項２４または２５に記載のネットワーク装置。
【請求項２７】
ネットワーク装置であって、前記ネットワーク装置は通信インタフェース、メモリ、およびプロセッサを備え、前記通信インタフェースは、ネットワーク要素と通信するように構成され、前記メモリは、コンピュータ・コードを格納するように構成され、前記プロセッサは前記コンピュータ・コードを実行して、
再配置要求を第２のネットワーク装置に送信し、
前記第２のネットワーク装置により送信された再配置応答を受信し、
ハンドオーバ・コマンドをソース・ネットワーク装置に送信して、前記ソース・ネットワーク装置が、前記ハンドオーバ・コマンドで運搬される前記転送モード識別子により示される転送モードに従って、前記データをターゲット・ネットワーク装置に転送するようにし、
再配置完了メッセージを前記第２のネットワーク装置に送信して、前記第２のネットワーク装置がハンドオーバ完了通知メッセージを前記第３のネットワーク装置に送信し、前記第３のネットワーク装置が前記ネットワーク装置のアドレスから前記第２のネットワーク装置のアドレスへのサービング・ノード情報を更新するようにし、
前記再配置要求は第３のネットワーク装置に関する情報および転送モード識別子を含み、前記第３のネットワーク装置に関する前記情報は、前記第２のネットワーク装置が前記第３のネットワーク装置への接続を確立するために使用され、前記転送モード識別子は直接転送または間接転送を示すために使用され、
前記再配置応答はシグナリング・プレーンを用いてデータを転送すべきことを示す指示情報を運搬する、
ネットワーク装置。
【請求項２８】
実行されたハンドオーバが、高度地上波無線アクセスネットワークＥ−ＵＴＲＡＮ内の内部ハンドオーバまたは前記Ｅ−ＵＴＲＡＮと地上波無線アクセスネットワークＵＴＲＡＮの間のハンドオーバであるとき、前記プロセッサは前記コンピュータ・コードを実行して、
前記ハンドオーバ・コマンドを前記ソース・ネットワーク装置に送信するか、または、前記ハンドオーバ・コマンドを前記ソース・ネットワーク装置に送信し、
前記ソース・ネットワーク装置により送信された前記データを受信し、
前記第２のネットワーク装置が前記データを前記ターゲット・ネットワーク装置に送信するように、シグナリング・プレーン・ベアラを用いて前記データを前記第２のネットワーク装置に転送し、
前記ハンドオーバ・コマンドで運搬される前記転送モード識別子は、前記データを前記ターゲット・ネットワーク装置に直接転送するように前記ソース・ネットワーク装置に指示し、
前記ハンドオーバ・コマンドで運搬される前記転送モード識別子は、前記データを間接的に転送するように前記ソース・ネットワーク装置に指示する、
請求項２７に記載のネットワーク装置。
【請求項２９】
実行されたハンドオーバが、前記Ｅ−ＵＴＲＡＮと前記ＵＴＲＡＮ、および前記ハンドオーバがデフォルト・ベアラを有する前のネットワークの一方の側および前記ハンドオーバがデフォルト・ベアラを有さなくなった後のネットワークの一方の側の間のハンドオーバであるとき、前記プロセッサは前記コンピュータ・コードを実行して、
前記ハンドオーバ・コマンドを前記ソース・ネットワーク装置に送信するか、または、前記ハンドオーバ・コマンドを前記ソース・ネットワーク装置に送信し、
前記ソース・ネットワーク装置により送信された前記データを受信し、
前記データをサービング・ゲートウェイに転送して、前記サービング・ゲートウェイがシグナリング・プレーン・ベアラを用いて前記データを前記第２のネットワーク装置に転送するようにし、
前記ハンドオーバ・コマンドで運搬される前記転送モード識別子は、前記データを前記ターゲット・ネットワーク装置に直接転送するように前記ソース・ネットワーク装置に指示し、
前記ハンドオーバ・コマンドで運搬される前記転送モード識別子は、前記データを間接的に転送するように前記ソース・ネットワーク装置に指示する
請求項２７に記載のネットワーク装置。
【請求項３０】
前記転送モード識別子が、前記データを間接的に転送するように前記ソース・ネットワーク装置に指示する場合、前記プロセッサは前記コンピュータ・コードを実行して、
前記第２のネットワーク装置により送信された前記再配置応答が受信された後、転送チャネル確立要求を前記サービング・ゲートウェイに送信し、
前記サービング・ゲートウェイにより送信された転送チャネル確立応答を受信し、
前記サービング・ゲートウェイと前記第２のネットワーク装置の間の前記シグナリング・プレーン・ベアラを確立する、
請求項２９に記載のネットワーク装置。
【請求項３１】
前記実行されたハンドオーバが前記Ｅ−ＵＴＲＡＮ内の前記内部ハンドオーバであるとき、前記ネットワーク装置はソース可動性管理エンティティであり、前記第２のネットワーク装置はターゲット可動性管理エンティティであり、前記第３のネットワーク装置はマシン・タイプ通信インターワーキング機能ＭＴＣ−ＩＷＦであり、前記ソース・ネットワーク装置はソース基地局であり、前記ターゲット・ネットワーク装置はターゲット基地局であるか、または、前記実行されたハンドオーバが前記Ｅ−ＵＴＲＡＮから前記ＵＴＲＡＮへのハンドオーバであるとき、前記ネットワーク装置はソース可動性管理エンティティであり、前記第２のネットワーク装置はターゲット・サービング汎用パケット無線サービス・サポート・ノードＳＧＳＮであり、前記第３のネットワーク装置はＭＴＣ−ＩＷＦであり、前記ソース・ネットワーク装置はソース基地局であり、前記ターゲット・ネットワーク装置はターゲット無線ネットワークコントローラＲＮＣであるか、または、前記実行されたハンドオーバが前記ＵＴＲＡＮから前記Ｅ−ＵＴＲＡＮへのハンドオーバであるとき、前記ネットワーク装置はソースＳＧＳＮであり、前記第２のネットワーク装置はターゲット可動性管理エンティティであり、前記第３のネットワーク装置はＭＴＣ−ＩＷＦであり、前記ソース・ネットワーク装置はソースＲＮＣであり、前記ターゲット・ネットワーク装置はターゲット基地局である、
請求項２７乃至３０の何れか１項に記載のネットワーク装置。
【請求項３２】
前記プロセッサは前記コンピュータ・コードを実行して、さらに、
前記ソース・ネットワーク装置のハンドオーバ要求メッセージを受信し、
前記ターゲット・ネットワーク装置の識別子に従って、前記実行されたハンドオーバが前記Ｅ−ＵＴＲＡＮと前記ＵＴＲＡＮの間の前記ハンドオーバであると判定し、
前記ハンドオーバ要求メッセージは前記ターゲット・ネットワーク装置の識別子を含む、
請求項３１に記載のネットワーク装置。
【請求項３３】
ネットワーク装置であって、前記ネットワーク装置は通信インタフェース、メモリ、およびプロセッサを備え、前記通信インタフェースは、ネットワーク要素と通信するように構成され、前記メモリは、コンピュータ・コードを格納するように構成され、前記プロセッサは前記コンピュータ・コードを実行して、
第１のネットワーク装置により送信された再配置要求を受信し、
再配置応答を前記第１のネットワーク装置に送信し、
ハンドオーバ完了通知メッセージを前記第３のネットワーク装置に送信して、前記第３のネットワーク装置が、前記第１のネットワーク装置のアドレスから前記ネットワーク装置のアドレスへのサービング・ノード情報を更新するようにし、
前記再配置要求は第３のネットワーク装置に関する情報および転送モード識別子を含み、前記第３のネットワーク装置に関する前記情報は前記ネットワーク装置が前記第３のネットワーク装置への接続を確立するために使用され、前記転送モード識別子は直接転送または間接転送を示すために使用され、
前記再配置応答はシグナリング・プレーンを用いてデータを転送すべきことを示す指示情報を運搬して、前記第１のネットワーク装置が前記再配置応答を受信した後、前記第１のネットワーク装置がハンドオーバ・コマンドをソース・ネットワーク装置に送信し、前記ソース・ネットワーク装置が、前記ハンドオーバ・コマンドで運搬される前記転送モード識別子により示される転送モードに従って、前記データをターゲット・ネットワーク装置に転送するようにする、
ネットワーク装置。
【請求項３４】
実行されたハンドオーバがＥ−ＵＴＲＡＮ内の内部ハンドオーバであるとき、前記第１のネットワーク装置はソース可動性管理エンティティであり、前記ネットワーク装置はターゲット可動性管理エンティティであり、前記第３のネットワーク装置はマシン・タイプ通信インターワーキング機能ＭＴＣ−ＩＷＦであり、前記ソース・ネットワーク装置はソース基地局であり、前記ターゲット・ネットワーク装置はターゲット基地局であるか、または、実行されたハンドオーバが前記Ｅ−ＵＴＲＡＮからＵＴＲＡＮへのハンドオーバであるとき、前記第１のネットワーク装置はソース可動性管理エンティティであり、前記ネットワーク装置はターゲット・サービング汎用パケット無線サービス・サポート・ノードＳＧＳＮであり、前記第３のネットワーク装置はＭＴＣ−ＩＷＦであり、前記ソース・ネットワーク装置はソース基地局であり、前記ターゲット・ネットワーク装置はターゲット無線ネットワークコントローラＲＮＣであるか、または、実行されたハンドオーバが前記ＵＴＲＡＮから前記Ｅ−ＵＴＲＡＮへのハンドオーバであるとき、前記第１のネットワーク装置はソースＳＧＳＮであり、前記ネットワーク装置はターゲット可動性管理エンティティであり、前記第３のネットワーク装置はＭＴＣ−ＩＷＦであり、前記ソース・ネットワーク装置はソースＲＮＣであり、前記ターゲット・ネットワーク装置はターゲット基地局である、
請求項３３に記載のネットワーク装置。
【請求項３５】
ネットワーク装置であって、前記ネットワーク装置は通信インタフェース、メモリ、およびプロセッサを備え、前記通信インタフェースは、ネットワーク要素と通信するように構成され、前記メモリは、コンピュータ・コードを格納するように構成され、前記プロセッサは前記コンピュータ・コードを実行して、
再配置要求を第２のネットワーク装置に送信し、
前記第２のネットワーク装置が前記第３のネットワーク装置に対する前記接続を確立し、前記第２のネットワーク装置がデータをキャッシュするように前記第３のネットワーク装置に指示した後、前記第２のネットワーク装置により送信された再配置応答を受信し、
ハンドオーバ・コマンドをソース・ネットワーク装置に送信して、前記ソース・ネットワーク装置が前記ハンドオーバ・コマンドに従ってユーザ機器のハンドオーバをトリガし、前記ユーザ機器の前記ハンドオーバが完了した後、前記第２のネットワーク装置が前記第３のネットワーク装置により送信された前記データを受信するようにし、
前記再配置要求は第３のネットワーク装置に関する情報を含み、前記第３のネットワーク装置に関する前記情報は、前記第２のネットワーク装置が前記第３のネットワーク装置への接続を確立するために使用され、
前記再配置応答はシグナリング・プレーンを用いて前記データを転送すべきことを示す指示情報を運搬する、
ネットワーク装置。
【請求項３６】
実行されたハンドオーバがＥ−ＵＴＲＡＮ内の内部ハンドオーバであるとき、前記ネットワーク装置はソース可動性管理エンティティであり、前記第２のネットワーク装置はターゲット可動性管理エンティティであり、前記第３のネットワーク装置はマシン・タイプ通信インターワーキング機能ＭＴＣ−ＩＷＦであり、前記ソース・ネットワーク装置はソース基地局であり、ターゲット・ネットワーク装置はターゲット基地局であるか、または、実行されたハンドオーバが前記Ｅ−ＵＴＲＡＮからＵＴＲＡＮへのハンドオーバであるとき、前記ネットワーク装置はソース可動性管理エンティティであり、前記第２のネットワーク装置はターゲット・サービング汎用パケット無線サービス・サポート・ノードＳＧＳＮであり、前記第３のネットワーク装置はＭＴＣ−ＩＷＦであり、前記ソース・ネットワーク装置はソース基地局であり、ターゲット・ネットワーク装置はターゲット無線ネットワークコントローラＲＮＣであるか、または、実行されたハンドオーバが前記ＵＴＲＡＮから前記Ｅ−ＵＴＲＡＮへのハンドオーバであるとき、前記ネットワーク装置はソースＳＧＳＮであり、前記第２のネットワーク装置はターゲット可動性管理エンティティであり、前記第３のネットワーク装置はＭＴＣ−ＩＷＦであり、前記ソース・ネットワーク装置はソースＲＮＣであり、ターゲット・ネットワーク装置はターゲット基地局である、
請求項３５に記載のネットワーク装置。
【請求項３７】
ネットワーク装置であって、前記ネットワーク装置は通信インタフェース、メモリ、およびプロセッサを備え、前記通信インタフェースは、ネットワーク要素と通信するように構成され、前記メモリは、コンピュータ・コードを格納するように構成され、前記プロセッサは前記コンピュータ・コードを実行して、
第１のネットワーク装置により送信された再配置要求を受信し、
前記第３のネットワーク装置に対する前記接続を確立し、ユーザ機器のハンドオーバ・プロセスを開始したことを前記第３のネットワーク装置に示して、前記第３のネットワーク装置がデータをキャッシュするようにし、
再配置応答を前記第１のネットワーク装置に送信し、
前記第３のネットワーク装置により送信された前記データを受信し、
前記再配置要求は第３のネットワーク装置に関する情報を含み、前記第３のネットワーク装置に関する前記情報は前記ネットワーク装置が前記第３のネットワーク装置への接続を確立するために使用され、
前記再配置応答はシグナリング・プレーンを用いて前記データを転送すべきことを示す指示情報を運搬する、
ネットワーク装置。
【請求項３８】
前記プロセッサは前記コンピュータ・コードを実行して、さらに、
前記第３のネットワーク装置により送信された前記データが受信される前に、ハンドオーバ完了通知を前記第３のネットワーク装置に送信して、前記第３のネットワーク装置が、前記第１のネットワーク装置のアドレスから前記ネットワーク装置のアドレスへのサービング・ノード情報を更新するようにする、
請求項３７に記載のネットワーク装置。
【請求項３９】
実行されたハンドオーバがＥ−ＵＴＲＡＮ内の内部ハンドオーバであるとき、前記第１のネットワーク装置はソース可動性管理エンティティであり、前記ネットワーク装置はターゲット可動性管理エンティティであり、前記第３のネットワーク装置はマシン・タイプ通信インターワーキング機能ＭＴＣ−ＩＷＦであり、ソース・ネットワーク装置はソース基地局であり、ターゲット・ネットワーク装置はターゲット基地局であるか、または、実行されたハンドオーバが前記Ｅ−ＵＴＲＡＮからＵＴＲＡＮへのハンドオーバであるとき、前記第１のネットワーク装置はソース可動性管理エンティティであり、前記ネットワーク装置はターゲット・サービング汎用パケット無線サービス・サポート・ノードＳＧＳＮであり、前記第３のネットワーク装置はＭＴＣ−ＩＷＦであり、ソース・ネットワーク装置はソース基地局であり、ターゲット・ネットワーク装置はターゲット無線ネットワークコントローラＲＮＣであるか、または、実行されたハンドオーバが前記ＵＴＲＡＮから前記Ｅ−ＵＴＲＡＮへのハンドオーバであるとき、前記第１のネットワーク装置はソースＳＧＳＮであり、前記ネットワーク装置はターゲット可動性管理エンティティであり、前記第３のネットワーク装置はＭＴＣ−ＩＷＦであり、ソース・ネットワーク装置はソースＲＮＣであり、ターゲット・ネットワーク装置はターゲット基地局である、
請求項３７または３８に記載のネットワーク装置。
【発明の詳細な説明】
【技術分野】
【０００１】
本発明は通信の分野に関し、特に、デフォルト・ベアラなしのハンドオーバのための方法および装置に関する。
【背景技術】
【０００２】
無線ブロードバンド技術の課題に対処し３ＧＰＰ（ｔｈｅ  ３ｒｄ  Ｇｅｎｅｒａｔｉｏｎ  Ｐａｒｔｎｅｒｓｈｉｐ  Ｐｒｏｊｅｃｔ、第三世代パートナシップ・プロジェクト）ネットワークの利点を維持するために、３ＧＰＰはＬＴＥ（Ｌｏｎｇ  Ｔｅｒｍ  Ｅｖｏｌｕｔｉｏｎ、ロング・ターム・エボリューション）計画を策定している。新たなモバイル通信ネットワーク・アーキテクチャが発展計画の誘導のもとで定義されている。当該アーキテクチャは、パケット領域のみを保持し、したがってＥＰＳ（Ｅｖｏｌｖｅｄ  Ｐａｃｋｅｔ  Ｓｙｓｔｅｍ、発展型パケット・システム）と呼ばれることもある。
【０００３】
ＥＰＳのコアネットワークは主に３つの論理機能エンティティ、即ち、ＭＭＥ（Ｍｏｂｉｌｉｔｙ  Ｍａｎａｇｅｍｅｎｔ  Ｅｎｔｉｔｙ、可動性管理エンティティ）、Ｓ−ＧＷ（Ｓｅｒｖｉｎｇ  Ｇａｔｅｗａｙ、サービング・ゲートウェイ）、Ｐ−ＧＷ（Ｐａｃｋｅｔ  Ｄａｔａ  Ｎｅｔｗｏｒｋ  Ｇａｔｅｗａｙ、パケット・データ・ネットワーク・ゲートウェイ）を含み、当該３つの機能エンティティはＥＰＳネットワークのコアネットワーク装置である。ＭＭＥはＮＡＳ（非アクセス層、Ｎｏｎ−ａｃｃｅｓｓ  Ｓｔｒａｔｕｍ）シグナリング処理、セキュリティ、および可動性管理などの機能の役割を担い、現在のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ユニバーサル移動体通信システム）におけるＳＧＳＮ（Ｓｅｒｖｉｎｇ  ＧＰＲＳ  Ｓｕｐｐｏｒｔ  Ｎｏｄｅ、サービングＧＰＲＳ（Ｇｅｎｅｒａｌ  Ｐａｃｋｅｔ  Ｒａｄｉｏ  Ｓｅｒｖｉｃｅ、汎用パケット無線サービス）サポート・ノード）の制御面部分に対応する。Ｓ−ＧＷは、３ＧＰＰシステムにおける局所可動性アンカおよび可動性アンカの役割を担い、関連情報の合法的傍受の役割を担う。Ｐ−ＧＷはポリシ強制および課金および合法的傍受のような関連機能の役割を担う。
【０００４】
既存のＥＰＣ（Ｅｖｏｌｖｅｄ  Ｐａｃｋｅｔ  Ｃｏｒｅ、発展型パケットコア、ＥＰＣはＥＰＳの一部である）では、ＰＤＮ（Ｐａｃｋｅｔ  Ｄａｔａ  Ｎｅｔｗｏｒｋ、パケット・データ・ネットワーク）へのＵＥ（Ｕｓｅｒ  Ｅｑｕｉｍｅｎｔ、ユーザ機器）のアクセスに対するＩＰ接続を提供するためにデフォルト・ベアラが、ＵＥの取付を開始したときに確立され、ＰＤＮ接続が存在するときに常に維持される。しかし、幾つかの適用シナリオでは、例えばＭＴＣ（Ｍａｃｈｉｎｅ  Ｔｙｐｅ  Ｃｏｍｍｕｎｉｃａｔｉｏｎ、マシン・タイプ通信）の幾つかのサービスに対して、ＩＰ接続を用いることによってデータ交換を実施する必要はなく、対話をＳＭＳ（Ｓｈｏｒｔ  Ｍｅｓｓａｇｅ  Ｓｅｒｖｉｃｅ、ショート・メッセージ・サービス）または別のサービスの形で行ってもよい。したがって、何らかの特定のサービス機能を有するユーザ機器に対して、一時的に、ユーザ機器の取付時中にデフォルト・ベアラが確立されず、幾つかのサービスが非ＩＰ接続形式で完了することがある。ユーザ・ベアラ（またはデータ・ベアラとも呼ばれる）を用いてデータ転送を実施する必要がある場合には、ベアラ確立プロセスがさらに開始される。
【０００５】
デフォルト・ベアラがないとき、ＭＴＣ−ＩＷＦ（ＭＴＣ−Ｉｎｔｅｒｗｏｒｋｉｎｇ  Ｆｕｎｃｔｉｏｎ、ＭＴＣインターワーキング機能）とＳＧＳＮ／ＭＭＥの間のシグナリングを用いることによって小さなデータを転送することができる。しかし、ＵＥがセル間をハンドオーバするとき、ＥＰＣでの既存のハンドオーバ・プロセスにおいて、データ・パケットをソースｅＮＢからターゲットｅＮＢに転送する必要があり、当該ｅＮＢの間の直接転送がサポートされない場合、ソースｅＮＢは、ソースＳ−ＧＷおよびターゲットＳ−ＧＷを用いることによってデータ・パケットをターゲットに間接的に転送する。これには、データ・ベアラをｅＮＢとＳ−ＧＷの間で確立する必要がある。しかし、実際には、小さなデータを既存のＥＰＣで送信するとき、当該小さなデータはＭＭＥ、ｅＮＢ、およびＵＥの間の信号接続を用いることによって送信され、ｅＮＢとＳ−ＧＷの間にデータ・ベアラは存在しない。したがって、ＥＰＣにおける既存のハンドオーバ・プロセスはデフォルト・ベアラのないネットワークのハンドオーバ・プロセスには適用可能でない。
【発明の概要】
【課題を解決するための手段】
【０００６】
本発明の諸実施形態では、デフォルト・ベアラなしのハンドオーバのための方法および装置を提供し、発展型パケット・システム内にデフォルト・ベアラがないときに、ユーザ機器がセル間をハンドオーバするとき小さなデータが信号接続を用いて転送されるという問題を解決する。
【０００７】
当該目的を達成するために、以下の技術的解決策を本発明の諸実施形態において使用する。
【０００８】
第１の態様によれば、デフォルト・ベアラなしのハンドオーバのための方法が提供される。当該方法は、第１のネットワーク装置により、再配置要求を第２のネットワーク装置に送信するステップであって、当該再配置要求は第３のネットワーク装置に関する情報および転送モード識別子を含み、第３のネットワーク装置に関する当該情報は、第２のネットワーク装置が第３のネットワーク装置への接続を確立するために使用され、当該転送モード識別子は直接転送または間接転送を示すために使用される、ステップと、第１のネットワーク装置により、第２のネットワーク装置により送信された再配置応答を受信するステップであって、当該再配置応答はシグナリング・プレーンを用いてデータを転送すべきことを示す指示情報を運搬する、ステップと、第１のネットワーク装置により、ハンドオーバ・コマンドをソース・ネットワーク装置に送信して、ソース・ネットワーク装置が、当該ハンドオーバ・コマンドで運搬される転送モード識別子により示される転送モードに従って、当該データをターゲット・ネットワーク装置に転送するようにするステップと、第１のネットワーク装置により、再配置完了メッセージを第２のネットワーク装置に送信して、第２のネットワーク装置がハンドオーバ完了通知メッセージを第３のネットワーク装置に送信し、第３のネットワーク装置が第１のネットワーク装置のアドレスから第２のネットワーク装置のアドレスへのサービング・ノード情報を更新するようにするステップとを含む。
【０００９】
第１の態様を参照して、第１の可能な実装方式では、実行されたハンドオーバが、高度地上波無線アクセスネットワークＥ−ＵＴＲＡＮ内の内部ハンドオーバまたはＥ−ＵＴＲＡＮと地上波無線アクセスネットワークＵＴＲＡＮの間のハンドオーバであるとき、ソース・ネットワーク装置が、当該ハンドオーバ・コマンドで運搬される転送モード識別子により示される転送モードに従って当該データをターゲット・ネットワーク装置に転送するように、第１のネットワーク装置により、ハンドオーバ・コマンドをソース・ネットワーク装置に送信するステップは、第１のネットワーク装置により、当該ハンドオーバ・コマンドをソース・ネットワーク装置に送信するステップであって、当該ハンドオーバ・コマンドで運搬される転送モード識別子は、当該データをターゲット・ネットワーク装置に直接転送するようにソース・ネットワーク装置に指示するステップ、または、第１のネットワーク装置により、当該ハンドオーバ・コマンドをソース・ネットワーク装置に送信するステップであって、当該ハンドオーバ・コマンドで運搬される転送モード識別子は、当該データを間接的に転送するようにソース・ネットワーク装置に指示するステップと、第１のネットワーク装置により、ソース・ネットワーク装置により送信されたデータを受信するステップと、第２のネットワーク装置が当該データをターゲット・ネットワーク装置に送信するように、第１のネットワーク装置により、シグナリング・プレーン・ベアラを用いて当該データを第２のネットワーク装置に転送するステップとを含む。
【００１０】
第１の態様を参照して、第２の可能な実装方式では、実行されたハンドオーバが、Ｅ−ＵＴＲＡＮとＵＴＲＡＮ、および当該ハンドオーバがデフォルト・ベアラを有する前のネットワークの一方の側および当該ハンドオーバがデフォルト・ベアラを有さなくなった後のネットワークの一方の側の間のハンドオーバであるとき、ソース・ネットワーク装置が、当該ハンドオーバ・コマンドで運搬される転送モード識別子により示される転送モードに従って、当該データをターゲット・ネットワーク装置に転送するように、第１のネットワーク装置により、ハンドオーバ・コマンドをソース・ネットワーク装置に送信するステップは、第１のネットワーク装置により、当該ハンドオーバ・コマンドをソース・ネットワーク装置に送信するステップであって、当該ハンドオーバ・コマンドで運搬される転送モード識別子は、当該データをターゲット・ネットワーク装置に直接転送するようにソース・ネットワーク装置に指示するステップ、または、第１のネットワーク装置により、当該ハンドオーバ・コマンドをソース・ネットワーク装置に送信するステップであって、当該ハンドオーバ・コマンドで運搬される転送モード識別子は、当該データを間接的に転送するようにソース・ネットワーク装置に指示するステップと、第１のネットワーク装置により、ソース・ネットワーク装置により送信されたデータを受信するステップと、当該サービング・ゲートウェイがシグナリング・プレーン・ベアラを用いて当該データを第２のネットワーク装置に転送するように、第１のネットワーク装置により、当該データをサービング・ゲートウェイに転送するステップとを含む。
【００１１】
第１の態様の第２の可能な実装方式を参照して、第３の可能な実装方式では、転送モード識別子が、データを間接的に転送するようにソース・ネットワーク装置に指示する場合、第１のネットワーク装置により、第２のネットワーク装置により送信された再配置応答を受信した後、当該方法は、第１のネットワーク装置により、転送チャネル確立要求をサービング・ゲートウェイに送信するステップと、第１のネットワーク装置により、当該サービング・ゲートウェイにより送信された転送チャネル確立応答を受信するステップと、第１のネットワーク装置により、当該サービング・ゲートウェイと第２のネットワーク装置の間のシグナリング・プレーン・ベアラを確立するステップとをさらに含む。
【００１２】
第１の態様乃至第１の態様の第３の可能な実装方式を参照して、第４の可能な実装方式では、実行されたハンドオーバがＥ−ＵＴＲＡＮ内の当内部ハンドオーバであるとき、第１のネットワーク装置はソース可動性管理エンティティであり、第２のネットワーク装置はターゲット可動性管理エンティティであり、第３のネットワーク装置はマシン・タイプ通信インターワーキング機能ＭＴＣ−ＩＷＦであり、ソース・ネットワーク装置はソース基地局であり、ターゲット・ネットワーク装置はターゲット基地局であるか、または、実行されたハンドオーバがＥ−ＵＴＲＡＮからＵＴＲＡＮへのハンドオーバであるとき、第１のネットワーク装置はソース可動性管理エンティティであり、第２のネットワーク装置はターゲット・サービング汎用パケット無線サービス・サポート・ノードＳＧＳＮであり、第３のネットワーク装置はＭＴＣ−ＩＷＦであり、ソース・ネットワーク装置はソース基地局であり、ターゲット・ネットワーク装置はターゲット無線ネットワークコントローラＲＮＣであるか、または、実行されたハンドオーバがＵＴＲＡＮからＥ−ＵＴＲＡＮへのハンドオーバであるとき、第１のネットワーク装置はソースＳＧＳＮであり、第２のネットワーク装置はターゲット可動性管理エンティティであり、第３のネットワーク装置はＭＴＣ−ＩＷＦであり、ソース・ネットワーク装置はソースＲＮＣであり、ターゲット・ネットワーク装置はターゲット基地局である。
【００１３】
第１の態様の第４の可能な実装方式を参照して、第５の可能な実装方式では、実行されたハンドオーバがＥ−ＵＴＲＡＮとＵＴＲＡＮの間のハンドオーバであると判定するための方法は、第１のネットワーク装置により、ソース基地局のハンドオーバ要求メッセージを受信するステップであって、当該ハンドオーバ要求メッセージはターゲット・ネットワーク装置の識別子を含む、ステップと、第１のネットワーク装置によりターゲット・ネットワーク装置の識別子に従って、実行されたハンドオーバがＥ−ＵＴＲＡＮとＵＴＲＡＮの間のハンドオーバであると判定するステップとを含む。
【００１４】
第２の態様によれば、デフォルト・ベアラなしのハンドオーバのための方法が提供される。当該方法は、第２のネットワーク装置により、第１のネットワーク装置により送信された再配置要求を受信するステップであって、当該再配置要求は第３のネットワーク装置に関する情報および転送モード識別子を含み、第３のネットワーク装置に関する当該情報は、第２のネットワーク装置が第３のネットワーク装置への接続を確立するために使用され、当該転送モード識別子は直接転送または間接転送を示すために使用されるステップと、第２のネットワーク装置により、再配置応答を第１のネットワーク装置に送信するステップであって、当該再配置応答はシグナリング・プレーンを用いてデータを転送すべきことを示す指示情報を運搬して、第１のネットワーク装置が当該再配置応答を受信した後、第１のネットワーク装置がハンドオーバ・コマンドをソース・ネットワーク装置に送信し、ソース・ネットワーク装置が、当該ハンドオーバ・コマンドで運搬される転送モード識別子により示される転送モードに従って、当該データをターゲット・ネットワーク装置に転送するようにする、ステップと、第２のネットワーク装置により、ハンドオーバ完了通知メッセージを第３のネットワーク装置に送信して、第３のネットワーク装置が第１のネットワーク装置のアドレスから第２のネットワーク装置のアドレスへのサービング・ノード情報を更新するようにするステップとを含む。
【００１５】
第２の態様を参照して、第１の可能な実装方式では、実行されたハンドオーバがＥ−ＵＴＲＡＮ内の内部ハンドオーバであるとき、第１のネットワーク装置はソース可動性管理エンティティであり、第２のネットワーク装置はターゲット可動性管理エンティティであり、第３のネットワーク装置はマシン・タイプ通信インターワーキング機能ＭＴＣ−ＩＷＦであり、ソース・ネットワーク装置はソース基地局であり、ターゲット・ネットワーク装置はターゲット基地局であるか、または、実行されたハンドオーバがＥ−ＵＴＲＡＮからＵＴＲＡＮへのハンドオーバであるとき、第１のネットワーク装置はソース可動性管理エンティティであり、第２のネットワーク装置はターゲット・サービング汎用パケット無線サービス・サポート・ノードＳＧＳＮであり、第３のネットワーク装置はＭＴＣ−ＩＷＦであり、ソース・ネットワーク装置はソース基地局であり、ターゲット・ネットワーク装置はターゲット無線ネットワークコントローラＲＮＣであるか、または、実行されたハンドオーバがＵＴＲＡＮからＥ−ＵＴＲＡＮへのハンドオーバであるとき、第１のネットワーク装置はソースＳＧＳＮであり、第２のネットワーク装置はターゲット可動性管理エンティティであり、第３のネットワーク装置はＭＴＣ−ＩＷＦであり、ソース・ネットワーク装置はソースＲＮＣであり、ターゲット・ネットワーク装置はターゲット基地局である。
【００１６】
第３の態様によれば、デフォルト・ベアラなしのハンドオーバのための方法が提供される。当該方法は、第１のネットワーク装置により、再配置要求を第２のネットワーク装置に送信するステップであって、当該再配置要求は第３のネットワーク装置に関する情報を含み、第３のネットワーク装置に関する当該情報は、第２のネットワーク装置が第３のネットワーク装置への接続を確立するために使用される、ステップと、第２のネットワーク装置が第３のネットワーク装置に対する接続を確立し、第２のネットワーク装置がデータをキャッシュするように第３のネットワーク装置に指示した後、第１のネットワーク装置により、第２のネットワーク装置により送信された再配置応答を受信するステップであって、当該再配置応答はシグナリング・プレーンを用いてデータを転送すべきことを示す指示情報を運搬するステップと、第１のネットワーク装置により、ハンドオーバ・コマンドをソース・ネットワーク装置に送信して、ソース・ネットワーク装置が当該ハンドオーバ・コマンドに従ってユーザ機器のハンドオーバをトリガし、ユーザ機器の当該ハンドオーバが完了した後、第２のネットワーク装置が第３のネットワーク装置により送信された当該データを受信するようにするステップとを含む。
【００１７】
第３の態様を参照して、第１の可能な実装方式では、実行されたハンドオーバがＥ−ＵＴＲＡＮ内の内部ハンドオーバであるとき、第１のネットワーク装置はソース可動性管理エンティティであり、第２のネットワーク装置はターゲット可動性管理エンティティであり、第３のネットワーク装置はマシン・タイプ通信インターワーキング機能ＭＴＣ−ＩＷＦであり、ソース・ネットワーク装置はソース基地局であり、ターゲット・ネットワーク装置はターゲット基地局であるか、または、実行されたハンドオーバがＥ−ＵＴＲＡＮからＵＴＲＡＮへのハンドオーバであるとき、第１のネットワーク装置はソース可動性管理エンティティであり、第２のネットワーク装置はターゲット・サービング汎用パケット無線サービス・サポート・ノードＳＧＳＮであり、第３のネットワーク装置はＭＴＣ−ＩＷＦであり、ソース・ネットワーク装置はソース基地局であり、ターゲット・ネットワーク装置はターゲット無線ネットワークコントローラＲＮＣであるか、または、実行されたハンドオーバがＵＴＲＡＮからＥ−ＵＴＲＡＮへのハンドオーバであるとき、第１のネットワーク装置はソースＳＧＳＮであり、第２のネットワーク装置はターゲット可動性管理エンティティであり、第３のネットワーク装置はＭＴＣ−ＩＷＦであり、ソース・ネットワーク装置はソースＲＮＣであり、ターゲット・ネットワーク装置はターゲット基地局である。
【００１８】
第４の態様によれば、デフォルト・ベアラなしのハンドオーバのための方法が提供される。当該方法は、第２のネットワーク装置により、第１のネットワーク装置により送信された再配置要求を受信するステップであって、当該再配置要求は第３のネットワーク装置に関する情報を含み、第３のネットワーク装置に関する当該情報は、第２のネットワーク装置が第３のネットワーク装置への接続を確立するために使用される、ステップと、第３のネットワーク装置がデータをキャッシュするように、第２のネットワーク装置により、第３のネットワーク装置に対する接続を確立し、ユーザ機器のハンドオーバ・プロセスを開始したことを第３のネットワーク装置に示すステップと、第２のネットワーク装置により、再配置応答を第１のネットワーク装置に送信するステップであって、当該再配置応答はシグナリング・プレーンを用いて当該データを転送すべきことを示す指示情報を運搬するステップと、第２のネットワーク装置により、第３のネットワーク装置により送信された当該データを受信するステップとを含む。
【００１９】
第４の態様を参照して、第１の可能な実装方式では、第２のネットワーク装置により、第３のネットワーク装置により送信されたデータを受信する前に、当該方法は、第２のネットワーク装置により、ハンドオーバ完了通知を第３のネットワーク装置に送信して、第３のネットワーク装置が第１のネットワーク装置のアドレスから第２のネットワーク装置のアドレスへのサービング・ノード情報を更新するようにするステップをさらに含む。
【００２０】
第４の態様または第４の態様の第１の可能な実装方式を参照して、第２の可能な実装方式では、実行されたハンドオーバがＥ−ＵＴＲＡＮ内の内部ハンドオーバであるとき、第１のネットワーク装置はソース可動性管理エンティティであり、第２のネットワーク装置はターゲット可動性管理エンティティであり、第３のネットワーク装置はマシン・タイプ通信インターワーキング機能ＭＴＣ−ＩＷＦであり、ソース・ネットワーク装置はソース基地局であり、ターゲット・ネットワーク装置はターゲット基地局であるか、または、実行されたハンドオーバがＥ−ＵＴＲＡＮからＵＴＲＡＮへのハンドオーバであるとき、第１のネットワーク装置はソース可動性管理エンティティであり、第２のネットワーク装置はターゲット・サービング汎用パケット無線サービス・サポート・ノードＳＧＳＮであり、第３のネットワーク装置はＭＴＣ−ＩＷＦであり、ソース・ネットワーク装置はソース基地局であり、ターゲット・ネットワーク装置はターゲット無線ネットワークコントローラＲＮＣであるか、または、実行されたハンドオーバがＵＴＲＡＮからＥ−ＵＴＲＡＮへのハンドオーバであるとき、第１のネットワーク装置はソースＳＧＳＮであり、第２のネットワーク装置はターゲット可動性管理エンティティであり、第３のネットワーク装置はＭＴＣ−ＩＷＦであり、ソース・ネットワーク装置はソースＲＮＣであり、ターゲット・ネットワーク装置はターゲット基地局である。
【００２１】
第５の態様によれば、ネットワーク装置が提供される。当該ネットワーク装置は、再配置要求を第２のネットワーク装置に送信するように構成された送信ユニットであって、当該再配置要求は第３のネットワーク装置に関する情報および転送モード識別子を含み、第３のネットワーク装置に関する当該情報は、第２のネットワーク装置が第３のネットワーク装置への接続を確立するために使用され、当該転送モード識別子は直接転送または間接転送を示すために使用される、送信ユニットと、第２のネットワーク装置により送信された再配置応答を受信するように構成された受信ユニットであって、当該再配置応答はシグナリング・プレーンを用いてデータを転送すべきことを示す指示情報を運搬する、受信ユニットと、ハンドオーバ・コマンドをソース・ネットワーク装置に送信して、ソース・ネットワーク装置が、当該ハンドオーバ・コマンドで運搬される転送モード識別子により示される転送モードに従って、当該データをターゲット・ネットワーク装置に転送するようにするように構成されたハンドオーバ・ユニットと、再配置完了メッセージを第２のネットワーク装置に送信して、第２のネットワーク装置がハンドオーバ完了通知メッセージを第３のネットワーク装置に送信し、第３のネットワーク装置が当該ネットワーク装置のアドレスから第２のネットワーク装置のアドレスへのサービング・ノード情報を更新するようにするように構成された通知ユニットとを備える。
【００２２】
第５の態様を参照して、第１の可能な実装方式では、実行されたハンドオーバがＥ−ＵＴＲＡＮ内の内部ハンドオーバまたはＥ−ＵＴＲＡＮおよびＵＴＲＡＮの間のハンドオーバであるとき、当該ハンドオーバ・ユニットは特に、ハンドオーバ・コマンドをソース・ネットワーク装置に送信するように構成され、当該ハンドオーバ・コマンドで運搬される転送モード識別子は、当該データをターゲット・ネットワーク装置に直接転送するようにソース・ネットワーク装置に指示するか、または、当該ハンドオーバ・ユニットは特に、当該ハンドオーバ・コマンドをソース・ネットワーク装置に送信するように構成され、当該ハンドオーバ・コマンドで運搬される転送モード識別子は、当該データを間接的に転送するようにソース・ネットワーク装置に指示し、当該受信ユニットはさらに、ソース・ネットワーク装置により送信されたデータを受信するように構成され、当該送信ユニットはさらに、第２のネットワーク装置が当該データをターゲット・ネットワーク装置に送信するように、シグナリング・プレーン・ベアラを用いて当該データを第２のネットワーク装置に転送するように構成される。
【００２３】
第５の態様を参照して、第２の可能な実装方式では、実行されたハンドオーバが、Ｅ−ＵＴＲＡＮとＵＴＲＡＮ、およびハンドオーバがデフォルト・ベアラを有する前のネットワークの一方の側および当該ハンドオーバがデフォルト・ベアラを有さなくなった後のネットワークの一方の側の間のハンドオーバであるとき、当該ハンドオーバ・ユニットは特に、当該ハンドオーバ・コマンドをソース・ネットワーク装置に送信するように構成され、当該ハンドオーバ・コマンドで運搬される転送モード識別子は、当該データをターゲット・ネットワーク装置に直接転送するようにソース・ネットワーク装置に指示するか、または、当該ハンドオーバ・ユニットは特に、当該ハンドオーバ・コマンドをソース・ネットワーク装置に送信するように構成され、当該ハンドオーバ・コマンドで運搬される転送モード識別子は、当該データを間接的に転送するようにソース・ネットワーク装置に指示し、当該受信ユニットはさらに、ソース・ネットワーク装置により送信されたデータを受信するように構成され、当該送信ユニットはさらに、当該データをサービング・ゲートウェイに転送して、当該サービング・ゲートウェイがシグナリング・プレーン・ベアラを用いて当該データを第２のネットワーク装置に転送するようにするように構成される。
【００２４】
第５の態様の第２の可能な実装方式を参照して、第３の可能な実装方式では、転送モード識別子が、データを間接的に転送するようにソース・ネットワーク装置に指示する場合、第２のネットワーク装置により送信された当該再配置応答が受信された後、当該送信ユニットはさらに、転送チャネル確立要求を当該サービング・ゲートウェイに送信するように構成され、当該受信ユニットはさらに、当該サービング・ゲートウェイにより送信された転送チャネル確立応答を受信するように構成され、当該ネットワーク装置は、当該サービング・ゲートウェイと第２のネットワーク装置の間のシグナリング・プレーン・ベアラを確立するように構成された接続確立ユニットをさらに備える。
【００２５】
第５の態様乃至第５の態様の第３の可能な実装方式の何れか１つを参照して、第４の可能な実装方式では、実行されたハンドオーバがＥ−ＵＴＲＡＮ内の内部ハンドオーバであるとき、ネットワーク装置はソース可動性管理エンティティであり、第２のネットワーク装置はターゲット可動性管理エンティティであり、第３のネットワーク装置はマシン・タイプ通信インターワーキング機能ＭＴＣ−ＩＷＦであり、ソース・ネットワーク装置はソース基地局であり、ターゲット・ネットワーク装置はターゲット基地局であるか、または、実行されたハンドオーバがＥ−ＵＴＲＡＮからＵＴＲＡＮへのハンドオーバであるとき、ネットワーク装置はソース可動性管理エンティティであり、第２のネットワーク装置はターゲット・サービング汎用パケット無線サービス・サポート・ノードＳＧＳＮであり、第３のネットワーク装置はＭＴＣ−ＩＷＦであり、ソース・ネットワーク装置はソース基地局であり、ターゲット・ネットワーク装置はターゲット無線ネットワークコントローラＲＮＣであるか、または、実行されたハンドオーバがＵＴＲＡＮからＥ−ＵＴＲＡＮへのハンドオーバであるとき、ネットワーク装置はソースＳＧＳＮであり、第２のネットワーク装置はターゲット可動性管理エンティティであり、第３のネットワーク装置はＭＴＣ−ＩＷＦであり、ソース・ネットワーク装置はソースＲＮＣであり、ターゲット・ネットワーク装置はターゲット基地局である。
【００２６】
第５の態様の第４の可能な実装方式を参照して、第５の可能な実装方式では、当該受信ユニットはさらに、ソース・ネットワーク装置のハンドオーバ要求メッセージを受信するように構成され、当該ハンドオーバ要求メッセージはターゲット・ネットワーク装置の識別子を含み、当該ネットワーク装置は、ターゲット・ネットワーク装置の識別子に従って、実行されたハンドオーバがＥ−ＵＴＲＡＮとＵＴＲＡＮの間のハンドオーバであると判定するように構成された転送モード判定ユニットをさらに備える。
【００２７】
第６の態様によれば、ネットワーク装置が提供される。当該ネットワーク装置は、第１のネットワーク装置により送信された再配置要求を受信するように構成された受信ユニットであって、当該再配置要求は第３のネットワーク装置に関する情報および転送モード識別子を含み、第３のネットワーク装置に関する当該情報は当該ネットワーク装置が第３のネットワーク装置への接続を確立するために使用され、当該転送モード識別子は直接転送または間接転送を示すために使用される、受信ユニットと、再配置応答を第１のネットワーク装置に送信するように構成された送信ユニットであって、当該再配置応答はシグナリング・プレーンを用いてデータを転送すべきことを示す指示情報を運搬し、第１のネットワーク装置が当該再配置応答を受信した後、第１のネットワーク装置がハンドオーバ・コマンドをソース・ネットワーク装置に送信し、ソース・ネットワーク装置が、当該ハンドオーバ・コマンドで運搬される転送モード識別子により示される転送モードに従って、当該データをターゲット・ネットワーク装置に転送するようにする、送信ユニットと、ハンドオーバ完了通知メッセージを第３のネットワーク装置に送信して、第３のネットワーク装置が、第１のネットワーク装置のアドレスから当該ネットワーク装置のアドレスへのサービング・ノード情報を更新するように構成された通知ユニットとを備える。
【００２８】
第６の態様を参照して、第１の可能な実装方式では、実行されたハンドオーバがＥ−ＵＴＲＡＮ内の内部ハンドオーバであるとき、第１のネットワーク装置はソース可動性管理エンティティであり、当該ネットワーク装置はターゲット可動性管理エンティティであり、第３のネットワーク装置はマシン・タイプ通信インターワーキング機能ＭＴＣ−ＩＷＦであり、ソース・ネットワーク装置はソース基地局であり、ターゲット・ネットワーク装置はターゲット基地局であるか、または、実行されたハンドオーバがＥ−ＵＴＲＡＮからＵＴＲＡＮへのハンドオーバであるとき、第１のネットワーク装置はソース可動性管理エンティティであり、当該ネットワーク装置はターゲット・サービング汎用パケット無線サービス・サポート・ノードＳＧＳＮであり、第３のネットワーク装置はＭＴＣ−ＩＷＦであり、ソース・ネットワーク装置はソース基地局であり、ターゲット・ネットワーク装置はターゲット無線ネットワークコントローラＲＮＣであるか、または、実行されたハンドオーバがＵＴＲＡＮからＥ−ＵＴＲＡＮへのハンドオーバであるとき、第１のネットワーク装置はソースＳＧＳＮであり、当該ネットワーク装置はターゲット可動性管理エンティティであり、第３のネットワーク装置はＭＴＣ−ＩＷＦであり、ソース・ネットワーク装置はソースＲＮＣであり、ターゲット・ネットワーク装置はターゲット基地局である。
【００２９】
第７の態様によれば、ネットワーク装置が提供される。当該ネットワーク装置は、再配置要求を第２のネットワーク装置に送信するように構成された送信ユニットであって、当該再配置要求は第３のネットワーク装置に関する情報を含み、第３のネットワーク装置に関する当該情報は、第２のネットワーク装置が第３のネットワーク装置への接続を確立するために使用される、送信ユニットと、第２のネットワーク装置が第３のネットワーク装置に対する接続を確立し、第２のネットワーク装置がデータをキャッシュするように第３のネットワーク装置に指示した後、第２のネットワーク装置により送信された再配置応答を受信するように構成された受信ユニットであって、当該再配置応答はシグナリング・プレーンを用いて当該データを転送すべきことを示す指示情報を運搬する、受信ユニットと、ハンドオーバ・コマンドをソース・ネットワーク装置に送信して、ソース・ネットワーク装置が当該ハンドオーバ・コマンドに従ってユーザ機器のハンドオーバをトリガし、ユーザ機器の当該ハンドオーバが完了した後、第２のネットワーク装置が第３のネットワーク装置により送信された当該データを受信するようにするように構成される、ハンドオーバ・ユニットとを備える。
【００３０】
第７の態様を参照して、第１の可能な実装方式では、実行されたハンドオーバがＥ−ＵＴＲＡＮ内の内部ハンドオーバであるとき、当該ネットワーク装置はソース可動性管理エンティティであり、第２のネットワーク装置はターゲット可動性管理エンティティであり、第３のネットワーク装置はマシン・タイプ通信インターワーキング機能ＭＴＣ−ＩＷＦであり、ソース・ネットワーク装置はソース基地局であり、ターゲット・ネットワーク装置はターゲット基地局であるか、または、実行されたハンドオーバがＥ−ＵＴＲＡＮからＵＴＲＡＮへのハンドオーバであるとき、当該ネットワーク装置はソース可動性管理エンティティであり、第２のネットワーク装置はターゲット・サービング汎用パケット無線サービス・サポート・ノードＳＧＳＮであり、第３のネットワーク装置はＭＴＣ−ＩＷＦであり、ソース・ネットワーク装置はソース基地局であり、ターゲット・ネットワーク装置はターゲット無線ネットワークコントローラＲＮＣであるか、または、実行されたハンドオーバがＵＴＲＡＮからＥ−ＵＴＲＡＮへのハンドオーバであるとき、当該ネットワーク装置はソースＳＧＳＮであり、第２のネットワーク装置はターゲット可動性管理エンティティであり、第３のネットワーク装置はＭＴＣ−ＩＷＦであり、ソース・ネットワーク装置はソースＲＮＣであり、ターゲット・ネットワーク装置はターゲット基地局である。
【００３１】
第８の態様によれば、ネットワーク装置が提供される。当該ネットワーク装置は、第１のネットワーク装置により送信された再配置要求を受信するように構成された受信ユニットであって、当該再配置要求は第３のネットワーク装置に関する情報を含み、第３のネットワーク装置に関する当該情報は当該ネットワーク装置が第３のネットワーク装置への接続を確立するために使用される、受信ユニットと、第３のネットワーク装置に対する接続を確立し、ユーザ機器のハンドオーバ・プロセスを開始したことを第３のネットワーク装置に示して、第３のネットワーク装置がデータをキャッシュするようにするように構成された接続確立ユニットと、再配置応答を第１のネットワーク装置に送信するように構成された送信ユニットであって、当該再配置応答はシグナリング・プレーンを用いて当該データを転送すべきことを示す指示情報を運搬する、送信ユニットとを備え、当該受信ユニットはさらに、第３のネットワーク装置により送信された当該データを受信するように構成される。
【００３２】
第８の態様を参照して、第１の可能な実装方式では、当該ネットワーク装置は、第３のネットワーク装置により送信されたデータが受信される前に、ハンドオーバ完了通知を第３のネットワーク装置に送信して、第３のネットワーク装置が、第１のネットワーク装置のアドレスから当該ネットワーク装置のアドレスへのサービング・ノード情報を更新するようにするように構成された通知ユニットさらに備える。
【００３３】
第８の態様または第８の態様の第１の可能な実装方式を参照して、第２の可能な実装方式では、実行されたハンドオーバがＥ−ＵＴＲＡＮ内の内部ハンドオーバであるとき、第１のネットワーク装置はソース可動性管理エンティティであり、当該ネットワーク装置はターゲット可動性管理エンティティであり、第３のネットワーク装置はマシン・タイプ通信インターワーキング機能ＭＴＣ−ＩＷＦであり、ソース・ネットワーク装置はソース基地局であり、ターゲット・ネットワーク装置はターゲット基地局であるか、または、実行されたハンドオーバがＥ−ＵＴＲＡＮからＵＴＲＡＮへのハンドオーバであるとき、第１のネットワーク装置はソース可動性管理エンティティであり、当該ネットワーク装置はターゲット・サービング汎用パケット無線サービス・サポート・ノードＳＧＳＮであり、第３のネットワーク装置はＭＴＣ−ＩＷＦであり、ソース・ネットワーク装置はソース基地局であり、ターゲット・ネットワーク装置はターゲット無線ネットワークコントローラＲＮＣであるか、または、実行されたハンドオーバがＵＴＲＡＮからＥ−ＵＴＲＡＮへのハンドオーバであるとき、第１のネットワーク装置はソースＳＧＳＮであり、当該ネットワーク装置はターゲット可動性管理エンティティであり、第３のネットワーク装置はＭＴＣ−ＩＷＦであり、ソース・ネットワーク装置はソースＲＮＣであり、ターゲット・ネットワーク装置はターゲット基地局である。
【００３４】
第９の態様によれば、ネットワーク装置が提供される。当該ネットワーク装置は、通信インタフェース、メモリ、およびプロセッサを備える。当該通信インタフェースは、ネットワーク要素と通信するように構成され、当該メモリは、コンピュータ・コードを格納するように構成され、当該プロセッサは当該コンピュータ・コードを実行して、再配置要求を第２のネットワーク装置に送信し、第２のネットワーク装置により送信された再配置応答を受信し、ハンドオーバ・コマンドをソース・ネットワーク装置に送信して、ソース・ネットワーク装置が、当該ハンドオーバ・コマンドで運搬される転送モード識別子により示される転送モードに従って、当該データをターゲット・ネットワーク装置に転送するようにし、再配置完了メッセージを第２のネットワーク装置に送信して、第２のネットワーク装置がハンドオーバ完了通知メッセージを第３のネットワーク装置に送信し、第３のネットワーク装置が当該ネットワーク装置のアドレスから第２のネットワーク装置のアドレスへのサービング・ノード情報を更新するようにする。当該再配置要求は第３のネットワーク装置に関する情報および転送モード識別子を含み、第３のネットワーク装置に関する当該情報は、第２のネットワーク装置が第３のネットワーク装置への接続を確立するために使用され、当該転送モード識別子は直接転送または間接転送を示すために使用され、当該再配置応答はシグナリング・プレーンを用いてデータを転送すべきことを示す指示情報を運搬する。
【００３５】
第９の態様を参照して、第１の可能な実装方式では、実行されたハンドオーバが、高度地上波無線アクセスネットワークＥ−ＵＴＲＡＮ内の内部ハンドオーバまたはＥ−ＵＴＲＡＮと地上波無線アクセスネットワークＵＴＲＡＮの間のハンドオーバであるとき、当該プロセッサは当該コンピュータ・コードを実行して、当該ハンドオーバ・コマンドをソース・ネットワーク装置に送信する（当該ハンドオーバ・コマンドで運搬される転送モード識別子は、当該データをターゲット・ネットワーク装置に直接転送するようにソース・ネットワーク装置に指示）か、または、当該ハンドオーバ・コマンドをソース・ネットワーク装置に送信し（当該ハンドオーバ・コマンドで運搬される転送モード識別子は、当該データを間接的に転送するようにソース・ネットワーク装置に指示する）、ソース・ネットワーク装置により送信されたデータを受信し、第２のネットワーク装置が当該データをターゲット・ネットワーク装置に送信するように、シグナリング・プレーン・ベアラを用いて当該データを第２のネットワーク装置に転送する。
【００３６】
第９の態様を参照して、第２の可能な実装方式では、実行されたハンドオーバが、Ｅ−ＵＴＲＡＮとＵＴＲＡＮ、および当該ハンドオーバがデフォルト・ベアラを有する前のネットワークの一方の側および当該ハンドオーバがデフォルト・ベアラを有さなくなった後のネットワークの一方の側の間のハンドオーバであるとき、当該プロセッサは当該コンピュータ・コードを実行して、当該ハンドオーバ・コマンドをソース・ネットワーク装置に送信する（当該ハンドオーバ・コマンドで運搬される転送モード識別子は、当該データをターゲット・ネットワーク装置に直接転送するようにソース・ネットワーク装置に指示）か、または、当該ハンドオーバ・コマンドをソース・ネットワーク装置に送信し（当該ハンドオーバ・コマンドで運搬される転送モード識別子は、当該データを間接的に転送するようにソース・ネットワーク装置に指示する）、ソース・ネットワーク装置により送信されたデータを受信し、当該データをサービング・ゲートウェイに転送して、当該サービング・ゲートウェイがシグナリング・プレーン・ベアラを用いて当該データを第２のネットワーク装置に転送するようにする。
【００３７】
第９の態様の第２の可能な実装方式を参照して、第３の可能な実装方式では、当該転送モード識別子が、データを間接的に転送するようにソース・ネットワーク装置に指示する場合、当該プロセッサは当該コンピュータ・コードを実行して、第２のネットワーク装置により送信された再配置応答が受信された後、転送チャネル確立要求をサービング・ゲートウェイに送信し、当該サービング・ゲートウェイにより送信された転送チャネル確立応答を受信し、当該サービング・ゲートウェイと第２のネットワーク装置の間のシグナリング・プレーン・ベアラを確立する。
【００３８】
第９の態様乃至第９の態様の第３の可能な実装方式の何れか１つを参照して、第４の可能な実装方式では、実行されたハンドオーバがＥ−ＵＴＲＡＮ内の内部ハンドオーバであるとき、当該ネットワーク装置はソース可動性管理エンティティであり、第２のネットワーク装置はターゲット可動性管理エンティティであり、第３のネットワーク装置はマシン・タイプ通信インターワーキング機能ＭＴＣ−ＩＷＦであり、ソース・ネットワーク装置はソース基地局であり、ターゲット・ネットワーク装置はターゲット基地局であるか、または、実行されたハンドオーバがＥ−ＵＴＲＡＮからＵＴＲＡＮへのハンドオーバであるとき、当該ネットワーク装置はソース可動性管理エンティティであり、第２のネットワーク装置はターゲット・サービング汎用パケット無線サービス・サポート・ノードＳＧＳＮであり、第３のネットワーク装置はＭＴＣ−ＩＷＦであり、ソース・ネットワーク装置はソース基地局であり、ターゲット・ネットワーク装置はターゲット無線ネットワークコントローラＲＮＣであるか、または、実行されたハンドオーバがＵＴＲＡＮからＥ−ＵＴＲＡＮへのハンドオーバであるとき、当該ネットワーク装置はソースＳＧＳＮであり、第２のネットワーク装置はターゲット可動性管理エンティティであり、第３のネットワーク装置はＭＴＣ−ＩＷＦであり、ソース・ネットワーク装置はソースＲＮＣであり、ターゲット・ネットワーク装置はターゲット基地局である。
【００３９】
第９の態様の第４の可能な実装方式を参照して、第５の可能な実装方式では、当該プロセッサは当該コンピュータ・コードを実行してさらに、ソース・ネットワーク装置のハンドオーバ要求メッセージを受信し、ターゲット・ネットワーク装置の識別子に従って、実行されたハンドオーバがＥ−ＵＴＲＡＮとＵＴＲＡＮの間のハンドオーバであると判定する。当該ハンドオーバ要求メッセージはターゲット・ネットワーク装置の識別子を含む。
【００４０】
第１０の態様によれば、ネットワーク装置が提供される。当該ネットワーク装置は、通信インタフェース、メモリ、およびプロセッサを備える。当該通信インタフェースは、ネットワーク要素と通信するように構成され、当該メモリは、コンピュータ・コードを格納するように構成され、当該プロセッサは当該コンピュータ・コードを実行して、第１のネットワーク装置により送信された再配置要求を受信し、再配置応答を第１のネットワーク装置に送信し、ハンドオーバ完了通知メッセージを第３のネットワーク装置に送信して、第３のネットワーク装置が、第１のネットワーク装置のアドレスから当該ネットワーク装置のアドレスへのサービング・ノード情報を更新するようにする。当該再配置要求は第３のネットワーク装置に関する情報および転送モード識別子を含み、第３のネットワーク装置に関する当該情報は当該ネットワーク装置が第３のネットワーク装置への接続を確立するために使用され、当該転送モード識別子は直接転送または間接転送を示すために使用され、当該再配置応答はシグナリング・プレーンを用いてデータを転送すべきことを示す指示情報を運搬して、第１のネットワーク装置が当該再配置応答を受信した後、第１のネットワーク装置がハンドオーバ・コマンドをソース・ネットワーク装置に送信し、ソース・ネットワーク装置が、当該ハンドオーバ・コマンドで運搬される転送モード識別子により示される転送モードに従って、当該データをターゲット・ネットワーク装置に転送するようにする。
【００４１】
第１０の態様を参照して、第１の可能な実装方式では、実行されたハンドオーバがＥ−ＵＴＲＡＮ内の内部ハンドオーバであるとき、第１のネットワーク装置はソース可動性管理エンティティであり、当該ネットワーク装置はターゲット可動性管理エンティティであり、第３のネットワーク装置はマシン・タイプ通信インターワーキング機能ＭＴＣ−ＩＷＦであり、ソース・ネットワーク装置はソース基地局であり、ターゲット・ネットワーク装置はターゲット基地局であるか、または、実行されたハンドオーバがＥ−ＵＴＲＡＮからＵＴＲＡＮへのハンドオーバであるとき、第１のネットワーク装置はソース可動性管理エンティティであり、当該ネットワーク装置はターゲット・サービング汎用パケット無線サービス・サポート・ノードＳＧＳＮであり、第３のネットワーク装置はＭＴＣ−ＩＷＦであり、ソース・ネットワーク装置はソース基地局であり、ターゲット・ネットワーク装置はターゲット無線ネットワークコントローラＲＮＣであるか、または、実行されたハンドオーバがＵＴＲＡＮからＥ−ＵＴＲＡＮへのハンドオーバであるとき、第１のネットワーク装置はソースＳＧＳＮであり、当該ネットワーク装置はターゲット可動性管理エンティティであり、第３のネットワーク装置はＭＴＣ−ＩＷＦであり、ソース・ネットワーク装置はソースＲＮＣであり、ターゲット・ネットワーク装置はターゲット基地局である。
【００４２】
第１１の態様によれば、ネットワーク装置が提供される。当該ネットワーク装置は、通信インタフェース、メモリ、およびプロセッサを備える。当該通信インタフェースは、ネットワーク要素と通信するように構成され、当該メモリは、コンピュータ・コードを格納するように構成され、当該プロセッサは当該コンピュータ・コードを実行して、再配置要求を第２のネットワーク装置に送信し、第２のネットワーク装置が第３のネットワーク装置に対する接続を確立し、第２のネットワーク装置がデータをキャッシュするように第３のネットワーク装置に指示した後、第２のネットワーク装置により送信された再配置応答を受信し、ハンドオーバ・コマンドをソース・ネットワーク装置に送信して、ソース・ネットワーク装置が当該ハンドオーバ・コマンドに従ってユーザ機器のハンドオーバをトリガし、ユーザ機器の当該ハンドオーバが完了した後、第２のネットワーク装置が第３のネットワーク装置により送信された当該データを受信するようにし、当該再配置要求は第３のネットワーク装置に関する情報を含み、第３のネットワーク装置に関する当該情報は、第２のネットワーク装置が第３のネットワーク装置への接続を確立するために使用され、当該再配置応答はシグナリング・プレーンを用いて当該データを転送すべきことを示す指示情報を運搬する。
【００４３】
第１１の態様を参照して、第１の可能な実装方式では、実行されたハンドオーバがＥ−ＵＴＲＡＮ内の内部ハンドオーバであるとき、当該ネットワーク装置はソース可動性管理エンティティであり、第２のネットワーク装置はターゲット可動性管理エンティティであり、第３のネットワーク装置はマシン・タイプ通信インターワーキング機能ＭＴＣ−ＩＷＦであり、ソース・ネットワーク装置はソース基地局であり、ターゲット・ネットワーク装置はターゲット基地局であるか、または、実行されたハンドオーバがＥ−ＵＴＲＡＮからＵＴＲＡＮへのハンドオーバであるとき、当該ネットワーク装置はソース可動性管理エンティティであり、第２のネットワーク装置はターゲット・サービング汎用パケット無線サービス・サポート・ノードＳＧＳＮであり、第３のネットワーク装置はＭＴＣ−ＩＷＦであり、ソース・ネットワーク装置はソース基地局であり、ターゲット・ネットワーク装置はターゲット無線ネットワークコントローラＲＮＣであるか、または、実行されたハンドオーバがＵＴＲＡＮからＥ−ＵＴＲＡＮへのハンドオーバであるとき、当該ネットワーク装置はソースＳＧＳＮであり、第２のネットワーク装置はターゲット可動性管理エンティティであり、第３のネットワーク装置はＭＴＣ−ＩＷＦであり、ソース・ネットワーク装置はソースＲＮＣであり、ターゲット・ネットワーク装置はターゲット基地局である。
【００４４】
第１２の態様によれば、ネットワーク装置が提供される。当該ネットワーク装置は、通信インタフェース、メモリ、およびプロセッサを備える。当該通信インタフェースは、ネットワーク要素と通信するように構成され、当該メモリは、コンピュータ・コードを格納するように構成され、当該プロセッサは当該コンピュータ・コードを実行して、第１のネットワーク装置により送信された再配置要求を受信し、第３のネットワーク装置に対する接続を確立し、ユーザ機器のハンドオーバ・プロセスを開始したことを第３のネットワーク装置に示して、第３のネットワーク装置がデータをキャッシュするようにし、再配置応答を第１のネットワーク装置に送信し、第３のネットワーク装置により送信されたデータを受信し、当該再配置要求は第３のネットワーク装置に関する情報を含み、第３のネットワーク装置に関する当該情報は当該ネットワーク装置が第３のネットワーク装置への接続を確立するために使用され、当該再配置応答はシグナリング・プレーンを用いて当該データを転送すべきことを示す指示情報を運搬する。
【００４５】
第１２の態様を参照して、第１の可能な実装方式では、当該プロセッサは当該コンピュータ・コードを実行してさらに、第３のネットワーク装置により送信されたデータが受信される前に、ハンドオーバ完了通知を第３のネットワーク装置に送信して、第３のネットワーク装置が、第１のネットワーク装置のアドレスから当該ネットワーク装置のアドレスへのサービング・ノード情報を更新するようにする。
【００４６】
第１２の態様または第１２の態様の第１の可能な実装方式を参照して、第２の可能な実装方式では、実行されたハンドオーバがＥ−ＵＴＲＡＮ内の内部ハンドオーバであるとき、当該ネットワーク装置はソース可動性管理エンティティであり、第２のネットワーク装置はターゲット可動性管理エンティティであり、第３のネットワーク装置はマシン・タイプ通信インターワーキング機能ＭＴＣ−ＩＷＦであり、ソース・ネットワーク装置はソース基地局であり、ターゲット・ネットワーク装置はターゲット基地局であるか、または、実行されたハンドオーバがＥ−ＵＴＲＡＮからＵＴＲＡＮへのハンドオーバであるとき、当該ネットワーク装置はソース可動性管理エンティティであり、第２のネットワーク装置はターゲット・サービング汎用パケット無線サービス・サポート・ノードＳＧＳＮであり、第３のネットワーク装置はＭＴＣ−ＩＷＦであり、ソース・ネットワーク装置はソース基地局であり、ターゲット・ネットワーク装置はターゲット無線ネットワークコントローラＲＮＣであるか、または、実行されたハンドオーバがＵＴＲＡＮからＥ−ＵＴＲＡＮへのハンドオーバであるとき、当該ネットワーク装置はソースＳＧＳＮであり、第２のネットワーク装置はターゲット可動性管理エンティティであり、第３のネットワーク装置はＭＴＣ−ＩＷＦであり、ソース・ネットワーク装置はソースＲＮＣであり、ターゲット・ネットワーク装置はターゲット基地局である。
【００４７】
本発明の諸実施形態では、デフォルト・ベアラなしのハンドオーバのための方法および装置を提供する。ユーザ機器がハンドオーバ・プロセスをトリガした後、第１のネットワーク装置が再配置要求を第２のネットワーク装置に送信し、第２のネットワーク装置が当該再配置要求により示された第３のネットワーク装置に対する接続を確立し、第２のネットワーク装置が再配置応答を第１のネットワーク装置に返して、シグナリング・プレーンを用いてデータが転送されるべきであることを示し、第１のネットワーク装置がハンドオーバ・コマンドをソース・ネットワーク装置に送信して、ソース・ネットワーク装置が当該ハンドオーバ・コマンドで運搬される転送モード識別子で示される転送モードに従って当該データをターゲット・ネットワーク装置に転送するようにし、ユーザ機器のハンドオーバが完了した後、ユーザ機器がターゲット・ネットワーク装置により転送されたデータを受信するか、または、第２のネットワーク装置が当該再配置要求により示された第３のネットワーク装置に対する接続を確立した後、第３のネットワーク装置がデータをキャッシュして、ユーザ機器のハンドオーバが完了した後、第２のネットワーク装置がターゲット・ネットワーク装置により転送されたデータを受信して、当該データをユーザ機器に転送する。これにより、発展型パケット・システム内にデフォルト・ベアラがないときに、ユーザ機器がセル間をハンドオーバするとき小さなデータが信号接続を用いて転送されるという問題が解決される。
【００４８】
本発明の諸実施形態または先行技術における技術的解決策をより明確に説明するために、以下では、当該諸実施形態または先行技術を説明するのに必要な添付図面を簡単に説明する。明らかに、以下の説明における添付図面は本発明の幾つかの実施形態を示すにすぎず、当業者は創造的作業なしにこれらの添付図面から他の図面を導出することができる。
【図面の簡単な説明】
【００４９】
【図１】本発明の１実施形態に従うデフォルト・ベアラなしのハンドオーバのための方法の略流れ図である。
【図２】本発明の１実施形態に従うデフォルト・ベアラなしのハンドオーバのための方法の略流れ図である。
【図３】本発明の１実施形態に従うデフォルト・ベアラなしのハンドオーバのための方法の略流れ図である。
【図４】本発明の１実施形態に従うデフォルト・ベアラなしのハンドオーバのための方法の略流れ図である。
【図５Ａ】本発明の１実施形態に従うデフォルト・ベアラなしのハンドオーバのための方法の対話の略流れ図である。
【図５Ｂ】本発明の１実施形態に従うデフォルト・ベアラなしのハンドオーバのための方法の対話の略流れ図である。
【図６Ａ】本発明の１実施形態に従うデフォルト・ベアラなしのハンドオーバのための方法の対話の略流れ図である。
【図６Ｂ】本発明の１実施形態に従うデフォルト・ベアラなしのハンドオーバのための方法の対話の略流れ図である。
【図７Ａ】本発明の１実施形態に従うデフォルト・ベアラなしのハンドオーバのための方法の対話の略流れ図である。
【図７Ｂ】本発明の１実施形態に従うデフォルト・ベアラなしのハンドオーバのための方法の対話の略流れ図である。
【図８Ａ】本発明の１実施形態に従うデフォルト・ベアラなしのハンドオーバのための方法の対話の略流れ図である。
【図８Ｂ】本発明の１実施形態に従うデフォルト・ベアラなしのハンドオーバのための方法の対話の略流れ図である。
【図９】本発明の１実施形態に従うネットワーク装置の略構造図である。
【図１０】本発明の１実施形態に従うネットワーク装置の略構造図である。
【図１１】本発明の１実施形態に従うネットワーク装置の略構造図である。
【図１２】本発明の１実施形態に従うネットワーク装置の略構造図である。
【図１３】本発明の１実施形態に従うネットワーク装置の略構造図である。
【図１４】本発明の１実施形態に従うネットワーク装置の略構造図である。
【図１５】本発明の１実施形態に従うネットワーク装置の略構造図である。
【図１６】本発明の１実施形態に従う別のネットワーク装置の略構造図である。
【図１７】本発明の１実施形態に従う別のネットワーク装置の略構造図である。
【図１８】本発明の１実施形態に従う別のネットワーク装置の略構造図である。
【図１９】本発明の１実施形態に従う別のネットワーク装置の略構造図である。
【発明を実施するための形態】
【００５０】
以下では、本発明の諸実施形態における添付図面を参照して、本発明の諸実施形態における技術的解決策を明確かつ十分に説明する。明らかに、説明する実施形態は本発明の諸実施形態の全てではなく一部にすぎない。当業者が創造的作業なしに本発明の諸実施形態に基づいて得る他の全ての実施形態は本発明の保護範囲に入るものとする。
【００５１】
本発明の１実施形態では、デフォルト・ベアラなしのハンドオーバのための方法を提供する。デフォルト・ベアラとは、ユーザ機器がＰＤＮにアクセスするためのＩＰ接続を提供するために、ユーザ機器の取付を開始したとき確立され、ＰＤＮ接続が存在するとき常に維持されるデータ・プレーン・ベアラをいう。さらに、本発明の当該実施形態において、ソース・ネットワーク装置によりターゲット・ネットワーク装置に送信されるデータは一般に小さなデータを指し、例えば、当該データが１０００バイトより小さいデータであってもよい。図１に示すように、第１の装置の側で、当該方法は以下を含む。
【００５２】
１０１：第１のネットワーク装置が再配置要求を第２のネットワーク装置に送信する。当該再配置要求は第３のネットワーク装置に関する情報および転送モード識別子を含み、第３のネットワーク装置に関する当該情報は、第２のネットワーク装置が第３のネットワーク装置への接続を確立するために使用され、当該転送モード識別子は直接転送または間接転送を示すために使用される。
【００５３】
１０２：第１のネットワーク装置が第２のネットワーク装置により送信された再配置応答を受信する。当該再配置応答はシグナリング・プレーンを用いてデータを転送すべきことを示す指示情報を運搬する。
【００５４】
１０３：第１のネットワーク装置がハンドオーバ・コマンドをソース・ネットワーク装置に送信して、ソース・ネットワーク装置が、当該ハンドオーバ・コマンドで運搬される転送モード識別子により示される転送モードに従って、当該データをターゲット・ネットワーク装置に転送するようにする。
【００５５】
１０４：第１のネットワーク装置が再配置完了メッセージを第２のネットワーク装置に送信して、第２のネットワーク装置がハンドオーバ完了通知メッセージを第３のネットワーク装置に送信し、第３のネットワーク装置が第１のネットワーク装置のアドレスから第２のネットワーク装置のアドレスへのサービング・ノード情報を更新するようにする。
【００５６】
図２に示すように、本発明の１実施形態では、デフォルト・ベアラなしのハンドオーバのための別の方法を提供する。第２の装置の側で、当該方法は以下を含む。
【００５７】
２０１：第２のネットワーク装置が、第１のネットワーク装置により送信された再配置要求を受信する。当該再配置要求は第３のネットワーク装置に関する情報および転送モード識別子を含み、第３のネットワーク装置に関する当該情報は、第２のネットワーク装置が第３のネットワーク装置への接続を確立するために使用され、当該転送モード識別子は直接転送または間接転送を示すために使用される。
【００５８】
２０２：第２のネットワーク装置が再配置応答を第１のネットワーク装置に送信する。当該再配置応答はシグナリング・プレーンを用いてデータを転送すべきことを示す指示情報を運搬して、第１のネットワーク装置が当該再配置応答を受信した後、第１のネットワーク装置がハンドオーバ・コマンドをソース・ネットワーク装置に送信し、ソース・ネットワーク装置が、当該ハンドオーバ・コマンドで運搬される転送モード識別子により示される転送モードに従って、当該データをターゲット・ネットワーク装置に転送するようにする。
【００５９】
２０３：第２のネットワーク装置がハンドオーバ完了通知メッセージを第３のネットワーク装置に送信して、第３のネットワーク装置が第１のネットワーク装置のアドレスから第２のネットワーク装置のアドレスへのサービング・ノード情報を更新するようにする。
【００６０】
あるいは、別の実装方式では、本発明の１実施形態ではさらに、を提供するデフォルト・ベアラなしのハンドオーバのための方法。図３に示すように、第１の装置の側で、当該方法は以下を含む。
【００６１】
３０１：第１のネットワーク装置が再配置要求を第２のネットワーク装置に送信する。当該再配置要求は第３のネットワーク装置に関する情報を含み、第３のネットワーク装置に関する当該情報は、第２のネットワーク装置が第３のネットワーク装置への接続を確立するために使用される。
【００６２】
３０２：第２のネットワーク装置が第３のネットワーク装置に対する接続を確立し、第２のネットワーク装置がデータをキャッシュするように第３のネットワーク装置に指示した後、第１のネットワーク装置が第２のネットワーク装置により送信された再配置応答を受信する。当該再配置応答はシグナリング・プレーンを用いて当該データを転送すべきことを示す指示情報を運搬する。
【００６３】
３０３：第１のネットワーク装置がハンドオーバ・コマンドをソース・ネットワーク装置に送信して、ソース・ネットワーク装置が当該ハンドオーバ・コマンドに従ってユーザ機器のハンドオーバをトリガし、ユーザ機器の当該ハンドオーバが完了した後、第２のネットワーク装置が第３のネットワーク装置により送信された当該データを受信するようにする。
【００６４】
図４に示すように、本発明の１実施形態では、デフォルト・ベアラなしのハンドオーバのための別の方法を提供する。第２の装置の側で、当該方法は以下を含む。
【００６５】
４０１：第２のネットワーク装置が第１のネットワーク装置により送信された再配置要求を受信する。当該再配置要求は第３のネットワーク装置に関する情報を含み、第３のネットワーク装置に関する当該情報は、第２のネットワーク装置が第３のネットワーク装置への接続を確立するために使用される。
【００６６】
４０２：第２のネットワーク装置が、第３のネットワーク装置がデータをキャッシュするように、第３のネットワーク装置に対する接続を確立して、ユーザ機器のハンドオーバ・プロセスを開始したことを第３のネットワーク装置に示す。
【００６７】
４０３：第１のネットワーク装置が第２のネットワーク装置により送信された再配置応答を受信する。当該再配置応答はシグナリング・プレーンを用いてデータを転送すべきことを示す指示情報を運搬する。
【００６８】
４０４：第２のネットワーク装置が第３のネットワーク装置により送信されたデータを受信する。
【００６９】
実行されたハンドオーバがＥ−ＵＴＲＡＮ（Ｅｖｏｌｖｅｄ  ＵＭＴＳ  Ｔｅｒｒｅｓｔｒｉａｌ  Ｒａｄｉｏ  Ａｃｃｅｓｓ  Ｎｅｔｗｏｒｋ、高度地上波無線アクセスネットワーク）内の内部ハンドオーバであるとき、第１のネットワーク装置はソースＭＭＥ（Ｍｏｂｉｌｉｔｙ  Ｍａｎａｇｅｍｅｎｔ  Ｅｎｔｉｔｙ、可動性管理エンティティ）であり、第２のネットワーク装置はターゲットＭＭＥであり、第３のネットワーク装置はＭＴＣ−ＩＷＦであり（Ｍａｃｈｉｎｅ  Ｔｙｐｅ  Ｃｏｍｍｕｎｉｃａｔｉｏｎ  Ｉｎｔｅｒｗｏｒｋｉｎｇ  Ｆｕｎｃｔｉｏｎ、マシン・タイプ通信インターワーキング機能）、ソース・ネットワーク装置はソース基地局であり、ターゲット・ネットワーク装置はターゲット基地局であるか、または、実行されたハンドオーバがＥ−ＵＴＲＡＮからＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ、地上波無線アクセスネットワーク）へのハンドオーバであるとき、第１のネットワーク装置はソースＭＭＥであり、第２のネットワーク装置はターゲットＳＧＳＮ（Ｓｅｒｖｉｃｅ  ＧＰＲＳ  Ｓｕｐｐｏｒｔｉｎｇ  Ｎｏｄｅ、サービング汎用パケット無線サービス・サポート・ノード）であり、第３のネットワーク装置はＭＴＣ−ＩＷＦであり、ソース・ネットワーク装置はソース基地局であり、ターゲット・ネットワーク装置はＲＮＣ（Ｒａｄｉｏ  Ｎｅｔｗｏｒｋ  Ｃｏｎｔｒｏｌｌｅｒ、ターゲット無線ネットワークコントローラ）であるか、または、実行されたハンドオーバがＵＴＲＡＮからＥ−ＵＴＲＡＮへのハンドオーバであるとき、第１のネットワーク装置はソースＳＧＳＮであり、第２のネットワーク装置はターゲットＭＭＥであり、第３のネットワーク装置はＭＴＣ−ＩＷＦであり、ソース・ネットワーク装置はソースＲＮＣであり、ターゲット・ネットワーク装置はターゲット基地局である。当該基地局がｅＮＢｓ（Ｅｖｏｌｖｅｄ  ＮｏｄｅＢ、発展型基地局）であってもよい。
【００７０】
Ｅ−ＵＴＲＡＮおよびＵＴＲＡＮの間のシステム間ハンドオーバを、ソース・ネットワーク装置の受信したハンドオーバ要求メッセージにおけるターゲット・ネットワーク装置の識別子に従って第１のネットワーク装置により決定する。例えば、Ｅ−ＵＴＲＡＮからＵＴＲＡＮへの当該ハンドオーバの間、ソースＭＭＥが、ソースｅＮＢにより送信された受信されたハンドオーバ要求メッセージ内のターゲットＲＮＣの識別子に従って、現在のハンドオーバがＥ−ＵＴＲＡＮからＵＴＲＡＮへのハンドオーバであると判定する。
【００７１】
本発明の諸実施形態では、デフォルト・ベアラなしのハンドオーバのための方法を提供する。ユーザ機器がハンドオーバ・プロセスをトリガした後、第１のネットワーク装置が再配置要求を第２のネットワーク装置に送信し、第２のネットワーク装置が当該再配置要求により示された第３のネットワーク装置に対する接続を確立し、第２のネットワーク装置が再配置応答を第１のネットワーク装置に返して、シグナリング・プレーンを用いてデータが転送されるべきであることを示し、第１のネットワーク装置がハンドオーバ・コマンドをソース・ネットワーク装置に送信して、ソース・ネットワーク装置が当該ハンドオーバ・コマンドで運搬される転送モード識別子で示される転送モードに従って当該データをターゲット・ネットワーク装置に転送するようにし、ユーザ機器のハンドオーバが完了した後、ユーザ機器がターゲット・ネットワーク装置により転送されたデータを受信するか、または、第２のネットワーク装置が当該再配置要求により示された第３のネットワーク装置に対する接続を確立した後、第３のネットワーク装置がデータをキャッシュして、ユーザ機器のハンドオーバが完了した後、第２のネットワーク装置がターゲット・ネットワーク装置により転送されたデータを受信して、当該データをユーザ機器に転送する。これにより、発展型パケット・システム内にデフォルト・ベアラがないときに、ユーザ機器がセル間をハンドオーバするとき小さなデータが信号接続を用いて転送されるという問題が解決される。
【００７２】
本発明の諸実施形態で提供する技術的解決策を当業者により明確に理解させるために、本発明の１実施形態で提供するデフォルト・ベアラなしのハンドオーバのための方法を、具体的な実施形態を用いて以下で詳細に説明する。当該実施形態では、Ｅ−ＵＴＲＡＮ内のハンドオーバを１例として使用する。したがって、当該実施形態では、第１のネットワーク装置はソースＭＭＥであり、第２のネットワーク装置はターゲットＭＭＥであり、第３のネットワーク装置はＭＴＣ−ＩＷＦであり、ソース・ネットワーク装置はソースｅＮＢであり、ターゲット・ネットワーク装置はターゲットｅＮＢである。さらに、説明の簡単さのため、ユーザ機器を略してＵＥ（Ｕｓｅｒ  Ｅｑｕｉｐｍｅｎｔ）と称する。図５Ａおよび図５Ｂに示すように、当該方法は以下を含む。
【００７３】
５０１：ハンドオーバ・プロセスがトリガされた後、ソースｅＮＢがハンドオーバ要求をソースＭＭＥに送信する。ハンドオーバの前に、シグナリング・プレーンのアップリンクおよびダウンリンクのデータ送信経路はＭＴＣ−ＩＷＦ〜ソースＭＭＥ〜ソースｅＮＢ〜ＵＥであり、データはＮＡＳ（Ｎｏｎ−ａｃｃｅｓｓ  Ｓｔｒａｔｕｍ、非アクセス層）シグナリングを用いて運搬される。
【００７４】
５０２：ソースＭＭＥがターゲットＭＭＥを選択し、再配置要求をターゲットＭＭＥに送信する。当該再配置要求はＭＴＣ−ＩＷＦに関する情報および転送モード識別子を運搬する。ＭＴＣ−ＩＷＦに関する当該情報がＭＴＣ−ＩＷＦのアドレスであってもよく、ターゲットＭＭＥがＭＴＣ−ＩＷＦへの接続を確立するために使用され、当該転送モード識別子は、当該ハンドオーバの後、ソースｅＮＢのデータがターゲットｅＮＢに直接転送されるか、またはターゲットｅＮＢに間接的に転送されることを示すために使用される。直接転送モードまたは間接転送モードが選択されるかどうかはネットワークおよび装置構成に従って決定する必要がある。
【００７５】
５０３：ターゲットＭＭＥが接続確立要求をＭＴＣ−ＩＷＦに送信する。
５０４：ＭＴＣ−ＩＷＦが接続確立応答をターゲットＭＭＥに送信して、ターゲットＭＭＥとＭＴＣ−ＩＷＦの間の接続の確立を完了する。
５０５：ターゲットＭＭＥがハンドオーバ要求をターゲットｅＮＢに送信する。
５０６：ターゲットｅＮＢがハンドオーバ要求確認メッセージをターゲットＭＭＥに送信する。
５０７：ターゲットＭＭＥが再配置応答をソースＭＭＥに送信する。当該再配置応答は、当該シグナリング・プレーンを用いて当該データを転送すべきであることを示す指示情報を運搬する。
５０８：ソースＭＭＥがハンドオーバ・コマンドをソースｅＮＢに送信する。当該ハンドオーバ・コマンドは、シグナリング・プレーンを用いてデータを転送すべきであることを示す指示情報と転送モード識別子とを運搬する。
５０９：ソースｅＮＢがハンドオーバ・コマンドをＵＥに送信する。
５１０：ソースｅＮＢが、当該ハンドオーバ・コマンドで運搬される転送モード識別子により示される転送モードに従って、シグナリング・プレーンを用いることによってデータをターゲットｅＮＢに転送する。これは、以下を含む。
当該転送モード識別子により示される転送モードが直接転送である場合、５１０ａで、ソースｅＮＢがデータをターゲットｅＮＢに直接転送する。
当該転送モード識別子により示される転送モードが間接転送である場合、５１０ｂで、ソースｅＮＢがデータをソースＭＭＥに送信し、ソースＭＭＥがシグナリング・プレーン・ベアラを用いることによって当該データをターゲットＭＭＥに転送し、ターゲットＭＭＥが当該データをターゲットｅＮＢに送信する。
【００７６】
さらに、転送されるデータは本明細書では一般に小さなデータを指す。例えば、当該データが１０００バイトより小さいデータであってもよい。
【００７７】
５１１：ＵＥがターゲットｅＮＢのセルに上手く同期された後、ＵＥがハンドオーバ確認メッセージをターゲットｅＮＢに送信する。
５１２：ターゲットｅＮＢがデータをＵＥに送信する。
５１３：ターゲットｅＮＢがハンドオーバ完了通知メッセージをターゲットＭＭＥに送信する。
５１４：ターゲットＭＭＥが再配置完了通知メッセージをソースＭＭＥに送信する。
５１５：ソースＭＭＥが再配置完了確認メッセージをターゲットＭＭＥに送信する。
５１６：ターゲットＭＭＥがハンドオーバ完了通知メッセージをＭＴＣ−ＩＷＦに送信する。
５１７：ＭＴＣ−ＩＷＦが、ソースＭＭＥのアドレスをターゲットＭＭＥのアドレスで置き換えることによってサービング・ノード情報を更新する。
５１８：ＭＴＣ−ＩＷＦがハンドオーバ完了確認メッセージをターゲットＭＭＥに送信する。この場合、シグナリング・プレーンのアップリンクおよびダウンリンクのデータ送信経路はＵＥ〜ターゲットｅＮＢ〜ターゲットＭＭＥ〜ＭＴＣ−ＩＷＦである。
【００７８】
このように、Ｅ−ＵＴＲＡＮにおけるＵＥのハンドオーバが完了し、デフォルト・ベアラなしのハンドオーバの間に信号接続を用いることによって小さなデータが転送されることが実装される。
【００７９】
あるいは、本発明の１実施形態ではさらに、デフォルト・ベアラなしのハンドオーバのための別の方法を提供する。当該実施形態では、Ｅ−ＵＴＲＡＮからＵＴＲＡＮへのハンドオーバを１例として使用する。したがって、当該実施形態では、第１のネットワーク装置はソースＭＭＥであり、第２のネットワーク装置はターゲットＲＮＣであり、第３のネットワーク装置はＭＴＣ−ＩＷＦであり、ソース・ネットワーク装置はソースｅＮＢであり、ターゲット・ネットワーク装置はターゲットＳＧＳＮである。さらに、説明の簡単さのため、ユーザ機器を略してＵＥと称する。図６Ａおよび図６Ｂに示すように、当該方法は以下を含む。
【００８０】
６０１：システム間ハンドオーバ・プロセスがトリガされた後、ソースｅＮＢがハンドオーバ要求をソースＭＭＥに送信する。ハンドオーバの前に、シグナリング・プレーンのアップリンクおよびダウンリンクのデータ送信経路はＭＴＣ−ＩＷＦ〜ソースＭＭＥ〜ソースｅＮＢ〜ＵＥであり、データがＮＡＳシグナリングを用いることによって運搬される。
【００８１】
当該ｅＮＢによりソースＭＭＥに送信されたハンドオーバ要求はターゲットＲＮＣの識別子をさらに含む。
【００８２】
６０２：ソースＭＭＥが、ターゲットＲＮＣの識別子に従って、現在のハンドオーバがシステム間ハンドオーバであり、ソースＭＭＥが再配置要求をターゲットＳＧＳＮに送信すると判定する。当該再配置要求はＭＴＣ−ＩＷＦに関する情報および転送モード識別子を運搬する。ＭＴＣ−ＩＷＦに関する当該情報がＭＴＣ−ＩＷＦのアドレスであってもよく、ターゲットＳＧＳＮがＭＴＣ−ＩＷＦへの接続を確立するために使用され、当該転送モード識別子は、当該ハンドオーバの後、ソースｅＮＢのデータがターゲットＲＮＣに直接転送されるか、またはターゲットＲＮＣに間接的に転送されることを示すために使用される。直接転送モードまたは間接転送モードが選択されるかどうかはネットワークおよび装置構成に従って決定する必要がある。
【００８３】
６０３：ターゲットＳＧＳＮが接続確立要求をＭＴＣ−ＩＷＦに送信する。
６０４：ＭＴＣ−ＩＷＦが接続確立応答をターゲットＳＧＳＮに送信して、ターゲットＳＧＳＮとＭＴＣ−ＩＷＦの間の接続の確立を完了する。
６０５：ターゲットＳＧＳＮが再配置要求をターゲットＲＮＣに送信する。
６０６：ターゲットＲＮＣが再配置要求確認メッセージをターゲットＳＧＳＮに送信する。
６０７：ターゲットＳＧＳＮが再配置応答をソースＭＭＥに送信する。当該再配置応答は、シグナリング・プレーンを用いてデータを転送すべきであることを示す指示情報を運搬する。
６０８：ソースＭＭＥがハンドオーバ・コマンドをソースｅＮＢに送信する。当該ハンドオーバ・コマンドは、シグナリング・プレーンを用いてデータを転送すべきであることを示す指示情報と転送モード識別子とを運搬する。
６０９：ソースｅＮＢがＥ−ＵＴＲＡＮからＵＴＲＡＮへのハンドオーバのコマンドをＵＥに送信する。
６１０：ＵＥがＵＴＲＡＮの側でアクセス・プロセスを実行する。
６１１：ＵＥがＵＴＲＡＮにアクセスした後、ＵＥが、ＵＴＲＡＮへのハンドオーバが完了したことを示すメッセージをターゲットＲＮＣに送信する。
【００８４】
６１２：ソースｅＮＢが、ハンドオーバ・コマンドで運搬される転送モード識別子により示される転送モードに従って、シグナリング・プレーンを用いることによってデータをターゲットＲＮＣに転送する。これは、以下を含む。
当該転送モード識別子により示される転送モードが直接転送である場合、６１２ａで、ソースｅＮＢがデータをターゲットＲＮＣに直接転送する。
当該転送モード識別子により示される転送モードが間接転送である場合、６１２ｂで、ソースｅＮＢがデータをソースＭＭＥに送信し、ソースＭＭＥがシグナリング・プレーン・ベアラを用いることによってデータをターゲットＳＧＳＮに転送し、ターゲットＳＧＳＮが当該データをターゲットＲＮＣに転送して、ＵＥのハンドオーバが完了した後、ＵＥがターゲットＲＮＣにより送信されたデータを受信するようにする。
【００８５】
転送されるデータは本明細書では一般に小さなデータを指す。例えば、当該データが１０００バイトより小さいデータであってもよい。
６１３：ターゲットＲＮＣが再配置完了メッセージをターゲットＳＧＳＮに送信する。
６１４：ターゲットＳＧＳＮが再配置完了通知メッセージをソースＭＭＥに送信する。
６１５：ソースＭＭＥが再配置完了確認メッセージをターゲットＳＧＳＮに送信する。
６１６：ターゲットＳＧＳＮがハンドオーバ完了通知メッセージをＭＴＣ−ＩＷＦに送信する。
６１７：ＭＴＣ−ＩＷＦが、ソースＭＭＥのアドレスをターゲットＳＧＳＮのアドレスで置き換えることによってサービング・ノード情報を更新する。
６１８：ＭＴＣ−ＩＷＦがハンドオーバ完了確認メッセージをターゲットＳＧＳＮに送信する。この場合、シグナリング・プレーンのアップリンクおよびダウンリンクのデータ送信経路はＵＥ〜ターゲットＲＮＣ〜ターゲットＳＧＳＮ〜ＭＴＣ−ＩＷＦである。
【００８６】
このように、Ｅ−ＵＴＲＡＮからＵＴＲＡＮへのＵＥのハンドオーバが完了し、デフォルト・ベアラなしのハンドオーバの間に信号接続を用いることによって小さなデータが転送されることが実装される。確かに、以上の方法を用いることによって、ＵＴＲＡＮからＥ−ＵＴＲＡＮへのＵＥのハンドオーバも実装することができ、その方法は基本的に図６Ａおよび図６Ｂの方法と同じであり、違いは、ＵＥがＵＴＲＡＮからＥ−ＵＴＲＡＮへハンドオーバするとき、第１のユーザ機器はソースＳＧＳＮであり、第２のユーザ機器はターゲットＭＭＥであり、第３のネットワーク装置はＭＴＣ−ＩＷＦであり、ソース・ネットワーク装置はソースＲＮＣであり、ターゲット・ネットワーク装置はターゲットｅＮＢであるということである。この部分を除き、他の部分は図６Ａおよび図６Ｂに示す方法と同じであり、詳細についてはここで再度説明することはしない。
【００８７】
あるいは、本発明の１実施形態ではさらに、デフォルト・ベアラなしのハンドオーバのための別の方法を提供する。ハンドオーバの前に、データがデータ・プレーン・ベアラを用いて送信されるが、当該ハンドオーバの後、システムはデフォルト・ベアラを有さない。当該実施形態では、データ・プレーン・ベアラを有するＵＴＲＡＮからデフォルト・ベアラを有さないＥ−ＵＴＲＡＮへのハンドオーバを１例として使用する。したがって、当該実施形態では、第１のユーザ機器はソースＳＧＳＮであり、第２のユーザ機器はターゲットＭＭＥであり、第３のネットワーク装置はＭＴＣ−ＩＷＦであり、ソース・ネットワーク装置はソースＲＮＣであり、ターゲット・ネットワーク装置はターゲットｅＮＢである。さらに、説明の簡単さのため、ユーザ機器を略してＵＥと称する。図７Ａおよび図７Ｂに示すように、当該方法は以下を含む。
【００８８】
７０１：システム間ハンドオーバ・プロセスがトリガされた後、ソースＲＮＣが再配置要求をソースＳＧＳＮに送信する。ハンドオーバの前に、データがデータ・プレーンを用いて送信され、アップリンクおよびダウンリンクのデータ送信経路はＵＥ〜ソースＲＮＣ〜Ｓ−ＧＷ〜ＭＴＣ−ＩＷＦである。
【００８９】
７０２：ソースＳＧＳＮが、ターゲットｅＮＢの識別子に従って、現在のハンドオーバがシステム間ハンドオーバであると判定し、再配置要求をターゲットＭＭＥに送信する。当該再配置要求はＭＴＣ−ＩＷＦに関する情報および転送モード識別子を運搬する。ＭＴＣ−ＩＷＦに関する当該情報がＭＴＣ−ＩＷＦのアドレスであってもよく、ターゲットＭＭＥがＭＴＣ−ＩＷＦへの接続を確立するために使用され、当該転送モード識別子は、当該ハンドオーバの後、ソースＲＮＣのデータがターゲットｅＮＢに直接転送されるか、またはターゲットｅＮＢに間接的に転送されることを示すために使用される。直接転送モードまたは間接転送モードが選択されるかどうかはネットワークおよび装置構成に従って決定する必要がある。
【００９０】
７０３：ターゲットＭＭＥが接続確立要求をＭＴＣ−ＩＷＦに送信する。
７０４：ＭＴＣ−ＩＷＦが接続確立応答をターゲットＭＭＥに送信して、ターゲットＭＭＥとＭＴＣ−ＩＷＦの間の接続の確立を完了する。
７０５：ターゲットＭＭＥが、再配置要求メッセージをターゲットｅＮＢに送信する。
７０６：ターゲットｅＮＢが、再配置要求確認メッセージをターゲットＭＭＥに送信する。
７０７：ターゲットＭＭＥが再配置応答をソースＳＧＳＮに送信する。当該再配置応答はシグナリング・プレーンを用いて当該データを転送すべきことを示す指示情報を運搬する。
【００９１】
場合によっては、ソースＲＮＣのデータがハンドオーバの後ターゲットｅＮＢに間接的に転送されるべきであることを転送モード識別子が示す場合、７０７の後、当該方法がさらに７０８および７０９を含んでもよい。そうでない場合は、７０７の後、７１０を直接実施してもよい。具体的には、
７０８：ソースＳＧＳＮが転送チャネル確立要求をＳ−ＧＷに送信して、データ転送シグナリング・プレーン・ベアラをＳ−ＧＷとターゲットＭＭＥの間で確立する。
７０９：Ｓ−ＧＷがチャネル確立応答をソースＳＧＳＮに送信する。
７１０：ソースＳＧＳＮがハンドオーバ・コマンドをソースＲＮＣに送信する。当該ハンドオーバ・コマンドは、シグナリング・プレーンを用いてデータを転送すべきであることを示す指示情報と転送モード識別子とを運搬する。
７１１：ソースＲＮＣがＵＴＲＡＮからＥ−ＵＴＲＡＮへのハンドオーバのコマンドをＵＥに送信する。
７１２：ＵＥがＥ−ＵＴＲＡＮの側でアクセス・プロセスを実行する。
７１３：ＵＥがＥ−ＵＴＲＡＮにアクセスした後、ＵＥが、Ｅ−ＵＴＲＡＮへのハンドオーバが完了したことを示すメッセージをターゲットｅＮＢに送信する。
【００９２】
７１４：ソースｅＮＢが、当該ハンドオーバ・コマンドで運搬される転送モード識別子により示される転送モードに従って、シグナリング・プレーンを用いることによってデータをターゲットＲＮＣに転送する。これは以下を含む。
【００９３】
当該転送モード識別子により示される転送モードが直接転送である場合、７１４ａで、ソースＲＮＣがデータをターゲットｅＮＢに直接転送する。当該転送モード識別子により示される転送モードが間接転送である場合、７１４ｂで、ソースＲＮＣが当該データをソースＳＧＳＮに送信し、ソースＳＧＳＮが当該データをＳ−ＧＷに転送し、７０９および７１０においてＳ−ＧＷとターゲットＭＭＥの間で確立されたデータ転送シグナリング・プレーン・ベアラを用いることによってＳ−ＧＷが当該データをターゲットＭＭＥに転送し、ＭＭＥが当該データをターゲットｅＮＢに送信して、ＵＥのハンドオーバが完了した後、ＵＥがターゲットｅＮＢにより送信されたデータを受信するようにする。
【００９４】
７１５：ターゲットｅＮＢがハンドオーバ完了通知をターゲットＭＭＥに送信する。
７１６：ターゲットＭＭＥが再配置完了通知メッセージをソースＳＧＳＮに送信する。
７１７：ソースＳＧＳＮが再配置完了確認メッセージをターゲットＭＭＥに送信する。
７１８：ターゲットＭＭＥがハンドオーバ完了通知をＭＴＣ−ＩＷＦに送信する。
７１９：ＭＴＣ−ＩＷＦが、ソースＳＧＳＮのアドレスをターゲットＭＭＥのアドレスで置き換えることによってサービング・ノード情報を更新する。
７２０：ＭＴＣ−ＩＷＦがハンドオーバ完了確認メッセージをターゲットＭＭＥに送信する。この場合、シグナリング・プレーンのアップリンクおよびダウンリンクのデータ送信経路はＵＥ〜ターゲットｅＮＢ〜ターゲットＭＭＥ〜ＭＴＣ−ＩＷＦである。
【００９５】
このように、データ・プレーン・ベアラを有するＵＴＲＡＮからデフォルト・ベアラを有さないＥ−ＵＴＲＡＮへのハンドオーバが完了し、デフォルト・ベアラなしのハンドオーバの間に信号接続を用いることによって小さなデータが転送されることが実装される。確かに、以上の方法を用いることによって、データ・プレーン・ベアラを有するＥ−ＵＴＲＡＮからデフォルト・ベアラを有さないＵＴＲＡＮへのＵＥのハンドオーバも実装することができ、その方法は基本的に図７Ａおよび図７Ｂの方法と同じであり、違いは、ＵＥがデータ・プレーン・ベアラを有するＥ−ＵＴＲＡＮからデフォルト・ベアラを有さないＵＴＲＡＮへハンドオーバするとき、第１のネットワーク装置はソースＭＭＥであり、第２のネットワーク装置がターゲットＲＮＣであり、第３のネットワーク装置はＭＴＣ−ＩＷＦであり、ソース・ネットワーク装置はソースｅＮＢであり、ターゲット・ネットワーク装置はターゲットＳＧＳＮであるということである。他の部分は図７Ａおよび図７Ｂに示す方法と同じであり、詳細についてはここで再度説明することはしない。
【００９６】
あるいは、別の実装方式では、本発明の１実施形態では、デフォルト・ベアラなしのハンドオーバのための別の方法を提供する。当該実施形態では、Ｅ−ＵＴＲＡＮ内のハンドオーバを１例として使用する。したがって、当該実施形態では、第１のネットワーク装置はソースＭＭＥであり、第２のネットワーク装置はターゲットＭＭＥであり、第３のネットワーク装置はＭＴＣ−ＩＷＦであり、ソース・ネットワーク装置はソースｅＮＢであり、ターゲット・ネットワーク装置はターゲットｅＮＢである。さらに、説明の簡単さのため、ユーザ機器を略してＵＥと称する。図８Ａおよび図８Ｂに示すように、当該方法は以下を含む。
【００９７】
８０１：ハンドオーバ・プロセスがトリガされた後、ソースｅＮＢがハンドオーバ要求をソースＭＭＥに送信する。ハンドオーバの前に、シグナリング・プレーンのアップリンクおよびダウンリンクのデータ送信経路はＭＴＣ−ＩＷＦ〜ソースＭＭＥ〜ソースｅＮＢ〜ＵＥであり、データがＮＡＳシグナリングを用いることによって運搬される。
８０２：ソースＭＭＥがターゲットＭＭＥを選択し、再配置要求をターゲットＭＭＥに送信する。当該再配置要求はＭＴＣ−ＩＷＦに関する情報を運搬し、ＭＴＣ−ＩＷＦに関する当該情報がＭＴＣ−ＩＷＦのアドレスであってもよく、ターゲットＭＭＥがＭＴＣ−ＩＷＦへの接続を確立するために使用される。
８０３：ターゲットＭＭＥが接続確立要求をＭＴＣ−ＩＷＦに送信する。当該メッセージはハンドオーバ開始指示を運搬する。
８０４：ＭＴＣ−ＩＷＦがターゲットＭＭＥのハンドオーバ開始指示を受信した後、ＭＴＣ−ＩＷＦが、受信したデータをキャッシュする。
８０５：ＭＴＣ−ＩＷＦが接続確立応答をターゲットＭＭＥに送信して、ターゲットＭＭＥとＭＴＣ−ＩＷＦの間の接続の確立を完了する。
８０６：ターゲットＭＭＥがハンドオーバ要求をターゲットｅＮＢに送信する。
８０７：ターゲットｅＮＢがハンドオーバ要求確認メッセージをターゲットＭＭＥに送信する。
８０８：ターゲットＭＭＥが再配置応答をソースＭＭＥに送信する。当該再配置応答は、シグナリング・プレーンを用いてデータを転送すべきであることを示す指示情報を運搬する。
８０９：ソースＭＭＥがハンドオーバ・コマンドをソースｅＮＢに送信する。当該ハンドオーバ・コマンドは、シグナリング・プレーンを用いてデータを転送すべきであることを示す指示情報を運搬する。
８１０：ソースｅＮＢがハンドオーバ・コマンドをＵＥに送信する。
８１１：ＵＥがターゲットｅＮＢのセルに上手く同期された後、ＵＥがハンドオーバ確認メッセージをターゲットｅＮＢに送信する。
８１２：ターゲットｅＮＢがハンドオーバ完了通知メッセージをターゲットＭＭＥに送信する。
８１３：ターゲットＭＭＥが再配置完了通知メッセージをソースＭＭＥに送信する。
８１４：ソースＭＭＥが再配置完了確認メッセージをターゲットＭＭＥに送信する。
８１５：ターゲットＭＭＥがハンドオーバ完了通知メッセージをＭＴＣ−ＩＷＦに送信する。
８１６：ＭＴＣ−ＩＷＦが、ソースＭＭＥのアドレスをターゲットＭＭＥのアドレスで置き換えることによってサービング・ノード情報を更新する。
８１７：ＭＴＣ−ＩＷＦがハンドオーバ完了確認メッセージをターゲットＭＭＥに送信する。
８１８：ＭＴＣ−ＩＷＦがキャッシュされたデータをターゲットＭＭＥに送信し、その結果、ターゲットＭＭＥが当該データをターゲットｅＮＢに送信し、ターゲットｅＮＢが当該データをＵＥに転送する。この場合、シグナリング・プレーンのアップリンクおよびダウンリンクのデータ送信経路はＵＥ〜ターゲットｅＮＢ〜ターゲットＭＭＥ〜ＭＴＣ−ＩＷＦである。
【００９８】
このように、Ｅ−ＵＴＲＡＮにおけるＵＥのハンドオーバが別の方式で完了し、デフォルト・ベアラなしのハンドオーバの間に信号接続を用いることによって小さなデータが転送されることが実装される。
【００９９】
さらに、当該実施形態で提供する方法はＥ−ＵＴＲＡＮおよびＵＴＲＡＮの間のハンドオーバへも適用可能であり、違いは、実行されたハンドオーバがＥ−ＵＴＲＡＮからＵＴＲＡＮへのハンドオーバであるとき、第１のネットワーク装置はソースＭＭＥであり、第２のネットワーク装置はターゲットＳＧＳＮであり、第３のネットワーク装置はＭＴＣ−ＩＷＦであり、ソース・ネットワーク装置はソースｅＮＢであり、ターゲット・ネットワーク装置はＲＮＣであるか、または、実行されたハンドオーバがＵＴＲＡＮからＥ−ＵＴＲＡＮへのハンドオーバであるとき、第１のネットワーク装置はソースＳＧＳＮであり、第２のネットワーク装置はターゲットＭＭＥであり、第３のネットワーク装置はＭＴＣ−ＩＷＦであり、ソース・ネットワーク装置はソースＲＮＣであり、ターゲット・ネットワーク装置はターゲットｅＮＢであるということである。他の部分は図８Ａおよび図８Ｂに示す方法と同じであり、詳細についてはここで再度説明することはしない。
【０１００】
本発明の諸実施形態では、デフォルト・ベアラなしのハンドオーバのための方法を提供する。ユーザ機器がハンドオーバ・プロセスをトリガした後、第１のネットワーク装置が再配置要求を第２のネットワーク装置に送信し、第２のネットワーク装置が当該再配置要求により示された第３のネットワーク装置に対する接続を確立し、第２のネットワーク装置が再配置応答を第１のネットワーク装置に返して、シグナリング・プレーンを用いてデータが転送されるべきであることを示し、第１のネットワーク装置がハンドオーバ・コマンドをソース・ネットワーク装置に送信して、ソース・ネットワーク装置が、当該ハンドオーバ・コマンドで運搬される転送モード識別子で示される転送モードに従って、シグナリング・プレーンを用いることによってデータをターゲット・ネットワーク装置に転送し、ユーザ機器のハンドオーバが完了した後、ユーザ機器がターゲット・ネットワーク装置により転送されたデータを受信するようにするか、または、第２のネットワーク装置が当該再配置要求により示された第３のネットワーク装置に対する接続を確立した後、第３のネットワーク装置がデータをキャッシュして、ユーザ機器のハンドオーバが完了した後、第２のネットワーク装置がターゲット・ネットワーク装置により転送されたデータを受信して、当該データをユーザ機器に転送する。これにより、発展型パケット・システム内にデフォルト・ベアラがないときに、ユーザ機器がセル間をハンドオーバするとき小さなデータが信号接続を用いて転送されるという問題が解決される。
【０１０１】
本発明の１実施形態ではネットワーク装置１を提供する。当該ネットワーク装置を本発明の諸実施形態における第１のネットワーク装置として使用してもよい。図９に示すように、ネットワーク装置１は、、再配置要求を第２のネットワーク装置に送信するように構成された送信ユニット１１であって、当該再配置要求は第３のネットワーク装置に関する情報および転送モード識別子を含み、第３のネットワーク装置に関する当該情報は、第２のネットワーク装置が第３のネットワーク装置への接続を確立するために使用され、当該転送モード識別子は直接転送または間接転送を示すために使用される、送信ユニット１１と、第２のネットワーク装置により送信された再配置応答を受信するように構成された受信ユニット１２であって、当該再配置応答はシグナリング・プレーンを用いてデータを転送すべきことを示す指示情報を運搬する、受信ユニット１２と、ハンドオーバ・コマンドをソース・ネットワーク装置に送信して、ソース・ネットワーク装置が、当該ハンドオーバ・コマンドで運搬される転送モード識別子により示される転送モードに従って、当該データをターゲット・ネットワーク装置に転送するようにするように構成された、ハンドオーバ・ユニット１３と、再配置完了メッセージを第２のネットワーク装置に送信して、第２のネットワーク装置がハンドオーバ完了通知メッセージを第３のネットワーク装置に送信し、第３のネットワーク装置が当該ネットワーク装置１のアドレスから第２のネットワーク装置のアドレスへのサービング・ノード情報を更新するようにするように構成された通知ユニット１４とを備える。
【０１０２】
場合によっては、実行されたハンドオーバがＥ−ＵＴＲＡＮ内の内部ハンドオーバまたはＥ−ＵＴＲＡＮおよびＵＴＲＡＮの間のハンドオーバであるとき、ハンドオーバ・ユニット１３は特に、当該ハンドオーバ・コマンドをソース・ネットワーク装置に送信するように構成され、当該ハンドオーバ・コマンドで運搬される転送モード識別子は、当該データをターゲット・ネットワーク装置に直接転送するようにソース・ネットワーク装置に指示するか、または、ハンドオーバ・ユニット１３は特に、当該ハンドオーバ・コマンドをソース・ネットワーク装置に送信するように構成され、当該ハンドオーバ・コマンドで運搬される転送モード識別子は、当該データを間接的に転送するようにソース・ネットワーク装置に指示し、受信ユニット１２はさらに、ソース・ネットワーク装置により送信されたデータを受信するように構成され、送信ユニット１１はさらに、第２のネットワーク装置がデータをターゲット・ネットワーク装置に送信するように、シグナリング・プレーン・ベアラを用いて当該データを第２のネットワーク装置に転送するように構成される。
【０１０３】
場合によっては、実行されたハンドオーバがＥ−ＵＴＲＡＮおよびＵＴＲＡＮ、および当該ハンドオーバがデフォルト・ベアラを有する前のネットワークの一方の側および当該ハンドオーバがデフォルト・ベアラを有さなくなった後のネットワークの一方の側の間のハンドオーバであるとき、ハンドオーバ・ユニット１３は特に、ハンドオーバ・コマンドをソース・ネットワーク装置に送信するように構成され、当該ハンドオーバ・コマンドで運搬される転送モード識別子は、データをターゲット・ネットワーク装置に直接転送するようにソース・ネットワーク装置に指示するか、または、ハンドオーバ・ユニット１３は特に、当該ハンドオーバ・コマンドをソース・ネットワーク装置に送信するように構成され、当該ハンドオーバ・コマンドで運搬される転送モード識別子は、当該データを間接的に転送するようにソース・ネットワーク装置に指示し、受信ユニット１２はさらに、ソース・ネットワーク装置により送信されたデータを受信するように構成され、送信ユニット１１はさらに、当該データをサービング・ゲートウェイに転送して、当該サービング・ゲートウェイがシグナリング・プレーン・ベアラを用いて当該データを第２のネットワーク装置に転送するようにするように構成される。
【０１０４】
場合によっては、転送モード識別子が、データを間接的に転送するようにソース・ネットワーク装置に指示する場合、第２のネットワーク装置により送信された再配置応答が受信された後、送信ユニット１１はさらに、転送チャネル確立要求をサービング・ゲートウェイに送信するように構成され、受信ユニット１２はさらに、当該サービング・ゲートウェイにより送信された転送チャネル確立応答を受信するように構成される。
【０１０５】
図１０に示すように、ネットワーク装置１は、サービング・ゲートウェイと第２のネットワーク装置の間のシグナリング・プレーン・ベアラを確立するように構成された接続確立ユニット１５をさらに備える。
【０１０６】
実行されたハンドオーバがＥ−ＵＴＲＡＮ内の内部ハンドオーバであるとき、ネットワーク装置１はソース可動性管理エンティティであり、第２のネットワーク装置はターゲット可動性管理エンティティであり、第３のネットワーク装置はマシン・タイプ通信インターワーキング機能ＭＴＣ−ＩＷＦであり、ソース・ネットワーク装置はソース基地局であり、ターゲット・ネットワーク装置はターゲット基地局であるか、または、実行されたハンドオーバがＥ−ＵＴＲＡＮからＵＴＲＡＮへのハンドオーバであるとき、ネットワーク装置１はソース可動性管理エンティティであり、第２のネットワーク装置はターゲット・サービング汎用パケット無線サービス・サポート・ノードＳＧＳＮであり、第３のネットワーク装置はＭＴＣ−ＩＷＦであり、ソース・ネットワーク装置はソース基地局であり、ターゲット・ネットワーク装置はターゲット無線ネットワークコントローラＲＮＣであり、または実行されたハンドオーバがＵＴＲＡＮからＥ−ＵＴＲＡＮへのハンドオーバであるとき、当該ネットワーク装置はソースＳＧＳＮであり、第２のネットワーク装置はターゲット可動性管理エンティティであり、第３のネットワーク装置はＭＴＣ−ＩＷＦであり、ソース・ネットワーク装置はソースＲＮＣであり、ターゲット・ネットワーク装置はターゲット基地局である。
【０１０７】
場合によっては、受信ユニット１２はさらに、ソース・ネットワーク装置のハンドオーバ要求メッセージを受信するように構成される。当該ハンドオーバ要求メッセージはターゲット・ネットワーク装置の識別子を含む。
【０１０８】
図１１に示すように、ネットワーク装置１はさらに、ターゲット・ネットワーク装置の識別子に従って、実行されたハンドオーバがＥ−ＵＴＲＡＮとＵＴＲＡＮの間のハンドオーバであると判定するように構成された転送モード判定ユニット１６を備える。
【０１０９】
本発明の当該実施形態ではネットワーク装置を提供する。ユーザ機器がハンドオーバ・プロセスをトリガした後、当該ネットワーク装置が再配置要求を第２のネットワーク装置に送信し、第２のネットワーク装置が当該再配置要求により示された第３のネットワーク装置に対する接続を確立し、第２のネットワーク装置が再配置応答を当該ネットワーク装置に返して、シグナリング・プレーンを用いてデータが転送されるべきであることを示し、当該ネットワーク装置がハンドオーバ・コマンドをソース・ネットワーク装置に送信し、ソース・ネットワーク装置が、当該ハンドオーバ・コマンドで運搬される転送モード識別子で示される転送モードに従って、シグナリング・プレーンを用いることによっ該データをターゲット・ネットワーク装置に転送し、ユーザ機器のハンドオーバが完了した後、ユーザ機器がターゲット・ネットワーク装置により転送されたデータを受信するようにする。これにより、発展型パケット・システム内にデフォルト・ベアラがないときに、ユーザ機器がセル間をハンドオーバするとき小さなデータが信号接続を用いて転送されるという問題が解決される。
【０１１０】
本発明の１実施形態ではネットワーク装置２を提供する。当該ネットワーク装置を、本発明の諸実施形態における第２のネットワーク装置として使用してもよい。図１２に示すように、ネットワーク装置２は、第１のネットワーク装置により送信された再配置要求を受信するように構成された受信ユニット２１であって、当該再配置要求は第３のネットワーク装置に関する情報および転送モード識別子を含み、第３のネットワーク装置に関する当該情報はネットワーク装置２が第３のネットワーク装置への接続を確立するために使用され、当該転送モード識別子は直接転送または間接転送を示すために使用される、受信ユニット２１と、再配置応答を第１のネットワーク装置に送信するように構成された送信ユニット２２であって、当該再配置応答はシグナリング・プレーンを用いてデータを転送すべきことを示す指示情報を運搬して、第１のネットワーク装置が当該再配置応答を受信した後、第１のネットワーク装置がハンドオーバ・コマンドをソース・ネットワーク装置に送信し、ソース・ネットワーク装置が、当該ハンドオーバ・コマンドで運搬される転送モード識別子により示される転送モードに従って、当該データをターゲット・ネットワーク装置に転送するようにする、送信ユニット２２と、、ハンドオーバ完了通知メッセージを第３のネットワーク装置に送信して、第３のネットワーク装置が、第１のネットワーク装置のアドレスからネットワーク装置２のアドレスへのサービング・ノード情報を更新するようにするように構成された通知ユニット２３とを備える。
【０１１１】
実行されたハンドオーバがＥ−ＵＴＲＡＮ内の内部ハンドオーバであるとき、第１のネットワーク装置はソース可動性管理エンティティであり、ネットワーク装置２ｉｓターゲット可動性管理エンティティ、第３のネットワーク装置はマシン・タイプ通信インターワーキング機能ＭＴＣ−ＩＷＦであり、ソース・ネットワーク装置はソース基地局であり、ターゲット・ネットワーク装置はターゲット基地局であるか、または、実行されたハンドオーバがＥ−ＵＴＲＡＮからＵＴＲＡＮへのハンドオーバであるとき、第１のネットワーク装置はソース可動性管理エンティティであり、ネットワーク装置２はターゲット・サービング汎用パケット無線サービス・サポート・ノードＳＧＳＮであり、第３のネットワーク装置はＭＴＣ−ＩＷＦであり、ソース・ネットワーク装置はソース基地局であり、ターゲット・ネットワーク装置はターゲット無線ネットワークコントローラＲＮＣであり、または実行されたハンドオーバがＵＴＲＡＮからＥ−ＵＴＲＡＮへのハンドオーバであるとき、第１のネットワーク装置はソースＳＧＳＮであり、当該ネットワーク装置はターゲット可動性管理エンティティであり、第３のネットワーク装置はＭＴＣ−ＩＷＦであり、ソース・ネットワーク装置はソースＲＮＣであり、ターゲット・ネットワーク装置はターゲット基地局である。
【０１１２】
本発明の当該実施形態ではネットワーク装置を提供する。ユーザ機器がハンドオーバ・プロセスをトリガした後、第１のネットワーク装置が再配置要求を当該ネットワーク装置に送信し、当該ネットワーク装置が当該再配置要求により示された第３のネットワーク装置に対する接続を確立し、当該ネットワーク装置が再配置応答を第１のネットワーク装置に返して、シグナリング・プレーンを用いてデータが転送されるべきであることを示し、第１のネットワーク装置がハンドオーバ・コマンドをソース・ネットワーク装置に送信して、ソース・ネットワーク装置が、当該ハンドオーバ・コマンドで運搬される転送モード識別子で示される転送モードに従って、シグナリング・プレーンを用いることによってデータをターゲット・ネットワーク装置に転送し、ユーザ機器のハンドオーバが完了した後、ユーザ機器がターゲット・ネットワーク装置により転送されたデータを受信するようにする。これにより、発展型パケット・システム内にデフォルト・ベアラがないときに、ユーザ機器がセル間をハンドオーバするとき小さなデータが信号接続を用いて転送されるという問題が解決される。
【０１１３】
本発明の１実施形態ではネットワーク装置３を提供する、当該ネットワーク装置を本発明の諸実施形態における第１のネットワーク装置として使用してもよい。図１３に示すように、ネットワーク装置３は、再配置要求を第２のネットワーク装置に送信するように構成された送信ユニット３１であって、当該再配置要求は第３のネットワーク装置に関する情報を含み、第３のネットワーク装置に関する当該情報は、第２のネットワーク装置が第３のネットワーク装置への接続を確立するために使用される、送信ユニット３１と、第２のネットワーク装置が第３のネットワーク装置に対する接続を確立し、第２のネットワーク装置がデータをキャッシュするように第３のネットワーク装置に指示した後、第２のネットワーク装置により送信された再配置応答を受信するように構成された受信ユニット３２であって、当該再配置応答はシグナリング・プレーンを用いてデータを転送すべきことを示す指示情報を運搬する、受信ユニット３２と、ハンドオーバ・コマンドをソース・ネットワーク装置に送信して、ソース・ネットワーク装置が当該ハンドオーバ・コマンドに従ってユーザ機器のハンドオーバをトリガし、ユーザ機器のハンドオーバが完了した後、第２のネットワーク装置が第３のネットワーク装置により送信されたデータを受信するようにするように構成されたハンドオーバ・ユニット３３とを備える。
【０１１４】
実行されたハンドオーバがＥ−ＵＴＲＡＮ内の内部ハンドオーバであるとき、ネットワーク装置３はソース可動性管理エンティティであり、第２のネットワーク装置はターゲット可動性管理エンティティであり、第３のネットワーク装置はマシン・タイプ通信インターワーキング機能ＭＴＣ−ＩＷＦであり、ソース・ネットワーク装置はソース基地局であり、ターゲット・ネットワーク装置はターゲット基地局であるか、または、実行されたハンドオーバがＥ−ＵＴＲＡＮからＵＴＲＡＮへのハンドオーバであるとき、ネットワーク装置３はソース可動性管理エンティティであり、第２のネットワーク装置はターゲット・サービング汎用パケット無線サービス・サポート・ノードＳＧＳＮであり、第３のネットワーク装置はＭＴＣ−ＩＷＦであり、ソース・ネットワーク装置はソース基地局であり、ターゲット・ネットワーク装置はターゲット無線ネットワークコントローラＲＮＣであるか、または、実行されたハンドオーバがＵＴＲＡＮからＥ−ＵＴＲＡＮへのハンドオーバであるとき、当該ネットワーク装置はソースＳＧＳＮであり、第２のネットワーク装置はターゲット可動性管理エンティティであり、第３のネットワーク装置はＭＴＣ−ＩＷＦであり、ソース・ネットワーク装置はソースＲＮＣであり、ターゲット・ネットワーク装置はターゲット基地局である。
【０１１５】
本発明の当該実施形態ではネットワーク装置を提供する。ユーザ機器がハンドオーバ・プロセスをトリガした後、当該ネットワーク装置が再配置要求を第２のネットワーク装置に送信して、第２のネットワーク装置が当該再配置要求により示された第３のネットワーク装置への接続を確立し、第２のネットワーク装置が当該再配置要求により示された第３のネットワーク装置に対する接続を確立した後、第３のネットワーク装置がデータをキャッシュして、ユーザ機器のハンドオーバが完了した後、第２のネットワーク装置がターゲット・ネットワーク装置により転送されたデータを受信し、当該データをユーザ機器に転送する。これにより、発展型パケット・システム内にデフォルト・ベアラがないときに、ユーザ機器がセル間をハンドオーバするとき小さなデータが信号接続を用いて転送されるという問題が解決される。
【０１１６】
本発明の１実施形態ではネットワーク装置４を提供する。、当該ネットワーク装置を、本発明の諸実施形態における第２のネットワーク装置として使用してもよい。図１４に示すように、ネットワーク装置４は、第１のネットワーク装置により送信された再配置要求を受信するように構成された受信ユニット４１であって、当該再配置要求は第３のネットワーク装置に関する情報を含み、第３のネットワーク装置に関する当該情報は当該ネットワーク装置が第３のネットワーク装置への接続を確立するために使用される、受信ユニット４１と、第３のネットワーク装置に対する接続を確立し、ユーザ機器のハンドオーバ・プロセスを開始したことを第３のネットワーク装置に示して、第３のネットワーク装置がデータをキャッシュするようにするように構成された、接続確立ユニット４２と、再配置応答を第１のネットワーク装置に送信するように構成された送信ユニット４３であって、当該再配置応答は、シグナリング・プレーンを用いてデータを転送すべきことを示す指示情報を運搬する、送信ユニット４３とを備え、受信ユニット４１はさらに、第３のネットワーク装置により送信されたデータを受信するように構成される。
【０１１７】
場合によっては、図１５に示すように、ネットワーク装置４がさらに、第３のネットワーク装置により送信されたデータが受信される前に、ハンドオーバ完了通知を第３のネットワーク装置に送信して、第３のネットワーク装置が、第１のネットワーク装置のアドレスから当該ネットワーク装置のアドレスへのサービング・ノード情報を更新するようにするように構成された通知ユニット４４を備えてもよい。
【０１１８】
実行されたハンドオーバがＥ−ＵＴＲＡＮ内の内部ハンドオーバであるとき、第１のネットワーク装置はソース可動性管理エンティティであり、ネットワーク装置４ｉｓターゲット可動性管理エンティティ、第３のネットワーク装置はマシン・タイプ通信インターワーキング機能ＭＴＣ−ＩＷＦであり、ソース・ネットワーク装置はソース基地局であり、ターゲット・ネットワーク装置はターゲット基地局であるか、または、実行されたハンドオーバがＥ−ＵＴＲＡＮからＵＴＲＡＮへのハンドオーバであるとき、第１のネットワーク装置はソース可動性管理エンティティであり、ネットワーク装置４はターゲット・サービング汎用パケット無線サービス・サポート・ノードＳＧＳＮであり、第３のネットワーク装置はＭＴＣ−ＩＷＦであり、ソース・ネットワーク装置はソース基地局であり、ターゲット・ネットワーク装置はターゲット無線ネットワークコントローラＲＮＣであるか、または、実行されたハンドオーバがＵＴＲＡＮからＥ−ＵＴＲＡＮへのハンドオーバであるとき、第１のネットワーク装置はソースＳＧＳＮであり、当該ネットワーク装置はターゲット可動性管理エンティティであり、第３のネットワーク装置はＭＴＣ−ＩＷＦであり、ソース・ネットワーク装置はソースＲＮＣであり、ターゲット・ネットワーク装置はターゲット基地局である。
【０１１９】
本発明の当該実施形態ではネットワーク装置を提供する。ユーザ機器がハンドオーバ・プロセスをトリガした後、第１のネットワーク装置が再配置要求を当該ネットワーク装置に送信し、当該ネットワーク装置が当該再配置要求により示された第３のネットワーク装置への接続を確立し、当該ネットワーク装置が当該再配置要求により示された第３のネットワーク装置に対する接続を確立した後、第３のネットワーク装置がデータをキャッシュして、ユーザ機器のハンドオーバが完了した後、当該ネットワーク装置がターゲット・ネットワーク装置により転送されたデータを受信し、当該データをユーザ機器に転送する。これにより、発展型パケット・システム内にデフォルト・ベアラがないときに、ユーザ機器がセル間をハンドオーバするとき小さなデータが信号接続を用いて転送されるという問題が解決される。
【０１２０】
本発明の１実施形態ではネットワーク装置５を提供する、当該ネットワーク装置を本発明の諸実施形態における第１のネットワーク装置として使用してもよい。図１６に示すように、ネットワーク装置５はバス５１、および通信インタフェース５２、メモリ５３、およびバス５１に接続されたプロセッサ５４を備える。通信インタフェース５２は、ネットワーク要素と通信するように構成され、メモリ５３は、コンピュータ・コード５３１を格納するように構成され、プロセッサ５４はコンピュータ・コード５３１を実行して、再配置要求を第２のネットワーク装置に送信し、第２のネットワーク装置により送信された再配置応答を受信し、ハンドオーバ・コマンドをソース・ネットワーク装置に送信して、ソース・ネットワーク装置が、当該ハンドオーバ・コマンドで運搬される転送モード識別子により示される転送モードに従って、当該データをターゲット・ネットワーク装置に転送するようにし、再配置完了メッセージを第２のネットワーク装置に送信して、第２のネットワーク装置がハンドオーバ完了通知メッセージを第３のネットワーク装置に送信し、第３のネットワーク装置が当該ネットワーク装置のアドレスから第２のネットワーク装置のアドレスへのサービング・ノード情報を更新するようにする。当該再配置要求は第３のネットワーク装置に関する情報および転送モード識別子を含み、第３のネットワーク装置に関する当該情報は、第２のネットワーク装置が第３のネットワーク装置への接続を確立するために使用され、当該転送モード識別子は直接転送または間接転送を示すために使用され、当該再配置応答はシグナリング・プレーンを用いてデータを転送すべきことを示す指示情報を運搬する。
【０１２１】
場合によっては、実行されたハンドオーバが、高度地上波無線アクセスネットワークＥ−ＵＴＲＡＮ内の内部ハンドオーバまたはＥ−ＵＴＲＡＮと地上波無線アクセスネットワークＵＴＲＡＮの間のハンドオーバであるとき、プロセッサ５４はコンピュータ・コード５３１を実行して、ハンドオーバ・コマンドをソース・ネットワーク装置に送信する（当該ハンドオーバ・コマンドで運搬される転送モード識別子は、データをターゲット・ネットワーク装置に直接転送するようにソース・ネットワーク装置に指示する）か、または、当該ハンドオーバ・コマンドをソース・ネットワーク装置に送信し（当該ハンドオーバ・コマンドで運搬される転送モード識別子は、データを間接的に転送するようにソース・ネットワーク装置に指示する）、ソース・ネットワーク装置により送信されたデータを受信し、第２のネットワーク装置が当該データをターゲット・ネットワーク装置に送信するように、シグナリング・プレーン・ベアラを用いて当該データを第２のネットワーク装置に転送する。
【０１２２】
場合によっては、実行されたハンドオーバがＥ−ＵＴＲＡＮおよびＵＴＲＡＮ、およびハンドオーバがデフォルト・ベアラを有する前のネットワークの一方の側およびハンドオーバがデフォルト・ベアラを有さなくなった後のネットワークの一方の側の間のハンドオーバであるとき、プロセッサ５４はコンピュータ・コード５３１を実行して、当該ハンドオーバ・コマンドをソース・ネットワーク装置に送信する（当該ハンドオーバ・コマンドで運搬される転送モード識別子は、当該データをターゲット・ネットワーク装置に直接転送するようにソース・ネットワーク装置に指示する）か、または、当該ハンドオーバ・コマンドをソース・ネットワーク装置に送信して（当該ハンドオーバ・コマンドで運搬される転送モード識別子は、当該データを間接的に転送するようにソース・ネットワーク装置に指示する）、ソース・ネットワーク装置により送信されたデータを受信し、当該データをサービング・ゲートウェイに転送し、当該サービング・ゲートウェイがシグナリング・プレーン・ベアラを用いて当該データを第２のネットワーク装置に転送するようにする。
【０１２３】
場合によっては、転送モード識別子が、データを間接的に転送するようにソース・ネットワーク装置に指示する場合、プロセッサ５４はコンピュータ・コード５３１を実行して、第２のネットワーク装置により送信された当該再配置応答が受信された後、転送チャネル確立要求をサービング・ゲートウェイに送信し、当該サービング・ゲートウェイにより送信された転送チャネル確立応答を受信し、当該サービング・ゲートウェイと第２のネットワーク装置の間のシグナリング・プレーン・ベアラを確立する。
【０１２４】
実行されたハンドオーバがＥ−ＵＴＲＡＮ内の内部ハンドオーバであるとき、ネットワーク装置５はソース可動性管理エンティティであり、第２のネットワーク装置はターゲット可動性管理エンティティであり、第３のネットワーク装置はマシン・タイプ通信インターワーキング機能ＭＴＣ−ＩＷＦであり、ソース・ネットワーク装置はソース基地局であり、ターゲット・ネットワーク装置はターゲット基地局であるか、または、実行されたハンドオーバがＥ−ＵＴＲＡＮからＵＴＲＡＮへのハンドオーバであるとき、ネットワーク装置５はソース可動性管理エンティティであり、第２のネットワーク装置はターゲット・サービング汎用パケット無線サービス・サポート・ノードＳＧＳＮであり、第３のネットワーク装置はＭＴＣ−ＩＷＦであり、ソース・ネットワーク装置はソース基地局であり、ターゲット・ネットワーク装置はターゲット無線ネットワークコントローラＲＮＣであるか、または、実行されたハンドオーバがＵＴＲＡＮからＥ−ＵＴＲＡＮへのハンドオーバであるとき、当該ネットワーク装置はソースＳＧＳＮであり、第２のネットワーク装置はターゲット可動性管理エンティティであり、第３のネットワーク装置はＭＴＣ−ＩＷＦであり、ソース・ネットワーク装置はソースＲＮＣであり、ターゲット・ネットワーク装置はターゲット基地局である。
【０１２５】
場合によっては、プロセッサ５４はコンピュータ・コード５３１を実行してさらに、ソース・ネットワーク装置のハンドオーバ要求メッセージを受信し、ターゲット・ネットワーク装置の識別子に従って、実行されたハンドオーバがＥ−ＵＴＲＡＮとＵＴＲＡＮの間のハンドオーバであると判定する。当該ハンドオーバ要求メッセージはターゲット・ネットワーク装置の識別子を含む。
【０１２６】
本発明の当該実施形態ではネットワーク装置を提供する。ユーザ機器がハンドオーバ・プロセスをトリガした後、当該ネットワーク装置が再配置要求を第２のネットワーク装置に送信し、第２のネットワーク装置が当該再配置要求により示された第３のネットワーク装置に対する接続を確立し、第２のネットワーク装置が再配置応答を当該ネットワーク装置に返して、シグナリング・プレーンを用いてデータが転送されるべきであることを示し、当該ネットワーク装置がハンドオーバ・コマンドをソース・ネットワーク装置に送信し、ソース・ネットワーク装置が、当該ハンドオーバ・コマンドで運搬される転送モード識別子で示される転送モードに従って、シグナリング・プレーンを用いることによってデータをターゲット・ネットワーク装置に転送し、ユーザ機器のハンドオーバが完了した後、ユーザ機器がターゲット・ネットワーク装置により転送されたデータを受信するようにする。これにより、発展型パケット・システム内にデフォルト・ベアラがないときに、ユーザ機器がセル間をハンドオーバするとき小さなデータが信号接続を用いて転送されるという問題が解決される。
【０１２７】
本発明の１実施形態ではネットワーク装置６を提供する、当該ネットワーク装置を本発明の諸実施形態における第１のネットワーク装置として使用してもよい。図１７に示すように、ネットワーク装置６は、バス６１、通信インタフェース６２、メモリ６３、およびバス６１に接続されたプロセッサ６４を備える。通信インタフェース６２は、ネットワーク要素と通信するように構成され、メモリ６３は、コンピュータ・コード６３１を格納するように構成される。プロセッサ６４はコンピュータ・コード６３１を実行して、第１のネットワーク装置により送信された再配置要求を受信し、再配置応答を第１のネットワーク装置に送信し、ハンドオーバ完了通知メッセージを第３のネットワーク装置に送信して、第３のネットワーク装置が、第１のネットワーク装置のアドレスから当該ネットワーク装置のアドレスへのサービング・ノード情報を更新するようにする。当該再配置要求は第３のネットワーク装置に関する情報および転送モード識別子を含み、第３のネットワーク装置に関する当該情報は当該ネットワーク装置が第３のネットワーク装置への接続を確立するために使用され、当該転送モード識別子は直接転送または間接転送を示すために使用され、当該再配置応答はシグナリング・プレーンを用いてデータを転送すべきことを示す指示情報を運搬して、第１のネットワーク装置が当該再配置応答を受信した後、第１のネットワーク装置がハンドオーバ・コマンドをソース・ネットワーク装置に送信し、ソース・ネットワーク装置が、当該ハンドオーバ・コマンドで運搬される転送モード識別子により示される転送モードに従って、当該データをターゲット・ネットワーク装置に転送するようにする。
【０１２８】
実行されたハンドオーバがＥ−ＵＴＲＡＮ内の内部ハンドオーバであるとき、ネットワーク装置６はソース可動性管理エンティティであり、第２のネットワーク装置はターゲット可動性管理エンティティであり、第３のネットワーク装置はマシン・タイプ通信インターワーキング機能ＭＴＣ−ＩＷＦであり、ソース・ネットワーク装置はソース基地局であり、ターゲット・ネットワーク装置はターゲット基地局であるか、または、実行されたハンドオーバがＥ−ＵＴＲＡＮからＵＴＲＡＮへのハンドオーバであるとき、ネットワーク装置６はソース可動性管理エンティティであり、第２のネットワーク装置はターゲット・サービング汎用パケット無線サービス・サポート・ノードＳＧＳＮであり、第３のネットワーク装置はＭＴＣ−ＩＷＦであり、ソース・ネットワーク装置はソース基地局であり、ターゲット・ネットワーク装置はターゲット無線ネットワークコントローラＲＮＣであるか、または、実行されたハンドオーバがＵＴＲＡＮからＥ−ＵＴＲＡＮへのハンドオーバであるとき、当該ネットワーク装置はソースＳＧＳＮであり、第２のネットワーク装置はターゲット可動性管理エンティティであり、第３のネットワーク装置はＭＴＣ−ＩＷＦであり、ソース・ネットワーク装置はソースＲＮＣであり、ターゲット・ネットワーク装置はターゲット基地局である。
【０１２９】
本発明の当該実施形態ではネットワーク装置を提供する。ユーザ機器がハンドオーバ・プロセスをトリガした後、第１のネットワーク装置が再配置要求を当該ネットワーク装置に送信し、当該ネットワーク装置が当該再配置要求により示された第３のネットワーク装置に対する接続を確立し、当該ネットワーク装置が再配置応答を第１のネットワーク装置に返して、シグナリング・プレーンを用いてデータが転送されるべきであることを示し、第１のネットワーク装置がハンドオーバ・コマンドをソース・ネットワーク装置に送信して、ソース・ネットワーク装置が、当該ハンドオーバ・コマンドで運搬される転送モード識別子で示される転送モードに従って、シグナリング・プレーンを用いることによってデータをターゲット・ネットワーク装置に転送し、ユーザ機器のハンドオーバが完了した後、ユーザ機器がターゲット・ネットワーク装置により転送されたデータを受信するようにする。これにより、発展型パケット・システム内にデフォルト・ベアラがないときに、ユーザ機器がセル間をハンドオーバするとき小さなデータが信号接続を用いて転送されるという問題が解決される。
【０１３０】
本発明の１実施形態ではネットワーク装置７を提供する、当該ネットワーク装置を本発明の諸実施形態における第１のネットワーク装置として使用してもよい。図１８に示すように、ネットワーク装置７は、バス７１、通信インタフェース７２、メモリ７３、およびバス７１に接続されたプロセッサ６４を備える。通信インタフェース７２は、ネットワーク要素と通信するように構成され、メモリ７３は、コンピュータ・コード７３１を格納するように構成される。プロセッサ７４はコンピュータ・コード７３１を実行して、再配置要求を第２のネットワーク装置に送信し、第２のネットワーク装置が第３のネットワーク装置に対する接続を確立し、第２のネットワーク装置がデータをキャッシュするように第３のネットワーク装置に指示した後、第２のネットワーク装置により送信された再配置応答を受信し、ハンドオーバ・コマンドをソース・ネットワーク装置に送信して、ソース・ネットワーク装置が当該ハンドオーバ・コマンドに従ってユーザ機器のハンドオーバをトリガし、ユーザ機器のハンドオーバが完了した後、第２のネットワーク装置が第３のネットワーク装置により送信されたデータを受信するようにする。当該再配置要求は第３のネットワーク装置に関する情報を含み、第３のネットワーク装置に関する当該情報は、第２のネットワーク装置が第３のネットワーク装置への接続を確立するために使用され、当該再配置応答はシグナリング・プレーンを用いてデータを転送すべきことを示す指示情報を運搬する。
【０１３１】
実行されたハンドオーバがＥ−ＵＴＲＡＮ内の内部ハンドオーバであるとき、ネットワーク装置７はソース可動性管理エンティティであり、第２のネットワーク装置はターゲット可動性管理エンティティであり、第３のネットワーク装置はマシン・タイプ通信インターワーキング機能ＭＴＣ−ＩＷＦであり、ソース・ネットワーク装置はソース基地局であり、ターゲット・ネットワーク装置はターゲット基地局であるか、または、実行されたハンドオーバがＥ−ＵＴＲＡＮからＵＴＲＡＮへのハンドオーバであるとき、ネットワーク装置７はソース可動性管理エンティティであり、第２のネットワーク装置はターゲット・サービング汎用パケット無線サービス・サポート・ノードＳＧＳＮであり、第３のネットワーク装置はＭＴＣ−ＩＷＦであり、ソース・ネットワーク装置はソース基地局であり、ターゲット・ネットワーク装置はターゲット無線ネットワークコントローラＲＮＣであるか、または、実行されたハンドオーバがＵＴＲＡＮからＥ−ＵＴＲＡＮへのハンドオーバであるとき、当該ネットワーク装置はソースＳＧＳＮであり、第２のネットワーク装置はターゲット可動性管理エンティティであり、第３のネットワーク装置はＭＴＣ−ＩＷＦであり、ソース・ネットワーク装置はソースＲＮＣであり、ターゲット・ネットワーク装置はターゲット基地局である。
【０１３２】
本発明の当該実施形態ではネットワーク装置を提供する。ユーザ機器がハンドオーバ・プロセスをトリガした後、当該ネットワーク装置が再配置要求を第２のネットワーク装置に送信して、第２のネットワーク装置が当該再配置要求により示された第３のネットワーク装置への接続を確立し、第２のネットワーク装置が当該再配置要求により示された第３のネットワーク装置に対する接続を確立した後、第３のネットワーク装置がデータをキャッシュして、ユーザ機器のハンドオーバが完了した後、第２のネットワーク装置がターゲット・ネットワーク装置により転送されたデータを受信し、当該データをユーザ機器に転送する。これにより、発展型パケット・システム内にデフォルト・ベアラがないときに、ユーザ機器がセル間をハンドオーバするとき小さなデータが信号接続を用いて転送されるという問題が解決される。
【０１３３】
本発明の１実施形態ではネットワーク装置８を提供する、当該ネットワーク装置を本発明の諸実施形態における第１のネットワーク装置として使用してもよい。図１９に示すように、ネットワーク装置８はバス８１、通信インタフェース８２、メモリ８３、および８１に接続されたプロセッサ８４を備える。通信インタフェース８２は、ネットワーク要素と通信するように構成され、メモリ８３は、コンピュータ・コード８３１を格納するように構成される。プロセッサ８４はコンピュータ・コード８３１を実行して、第１のネットワーク装置により送信された再配置要求を受信し、第３のネットワーク装置に対する接続を確立し、ユーザ機器のハンドオーバ・プロセスを開始したことを第３のネットワーク装置に示して、第３のネットワーク装置がデータをキャッシュするようにし、再配置応答を第１のネットワーク装置に送信し、第３のネットワーク装置により送信されたデータを受信する。当該再配置要求は第３のネットワーク装置に関する情報を含み、第３のネットワーク装置に関する当該情報は当該ネットワーク装置が第３のネットワーク装置への接続を確立するために使用され、当該再配置応答はシグナリング・プレーンを用いて当該データを転送すべきことを示す指示情報を運搬する。
【０１３４】
場合によっては、プロセッサ８４はコンピュータ・コード８３１を実行してさらに、第３のネットワーク装置により送信されたデータが受信される前に、ハンドオーバ完了通知を第３のネットワーク装置に送信して、第３のネットワーク装置が、第１のネットワーク装置のアドレスから当該ネットワーク装置のアドレスへのサービング・ノード情報を更新するようにする。
【０１３５】
実行されたハンドオーバがＥ−ＵＴＲＡＮ内の内部ハンドオーバであるとき、第１のネットワーク装置はソース可動性管理エンティティであり、ネットワーク装置８はターゲット可動性管理エンティティであり、第３のネットワーク装置はマシン・タイプ通信インターワーキング機能ＭＴＣ−ＩＷＦであり、ソース・ネットワーク装置はソース基地局であり、ターゲット・ネットワーク装置はターゲット基地局であるか、または、実行されたハンドオーバがＥ−ＵＴＲＡＮからＵＴＲＡＮへのハンドオーバであるとき、第１のネットワーク装置はソース可動性管理エンティティであり、ネットワーク装置８はターゲット・サービング汎用パケット無線サービス・サポート・ノードＳＧＳＮであり、第３のネットワーク装置はＭＴＣ−ＩＷＦであり、ソース・ネットワーク装置はソース基地局であり、ターゲット・ネットワーク装置はターゲット無線ネットワークコントローラＲＮＣであるか、または、実行されたハンドオーバがＵＴＲＡＮからＥ−ＵＴＲＡＮへのハンドオーバであるとき、第１のネットワーク装置はソースＳＧＳＮであり、当該ネットワーク装置はターゲット可動性管理エンティティであり、第３のネットワーク装置はＭＴＣ−ＩＷＦであり、ソース・ネットワーク装置はソースＲＮＣであり、ターゲット・ネットワーク装置はターゲット基地局である。
【０１３６】
本発明の当該実施形態ではネットワーク装置を提供する。ユーザ機器がハンドオーバ・プロセスをトリガした後、第１のネットワーク装置が再配置要求を当該ネットワーク装置に送信し、当該ネットワーク装置が当該再配置要求により示された第３のネットワーク装置への接続を確立し、当該ネットワーク装置が当該再配置要求により示された第３のネットワーク装置に対する接続を確立した後、第３のネットワーク装置がデータをキャッシュして、ユーザ機器のハンドオーバが完了した後、当該ネットワーク装置がターゲット・ネットワーク装置により転送されたデータを受信し、当該データをユーザ機器に転送する。これにより、発展型パケット・システム内にデフォルト・ベアラがないときに、ユーザ機器がセル間をハンドオーバするとき小さなデータが信号接続を用いて転送されるという問題が解決される。
【０１３７】
本願で提供した幾つかの実施形態では、開示した方法と装置を他の方式で実装してもよいことは理解される。例えば、説明した装置の実施形態は例示的なものにすぎない。例えば、ユニット分割は論理的な機能分割にすぎず、実際の実装では他の分割であってもよい。例えば、複数のユニットまたはコンポーネントを組み合わせるかもしくは別のシステムに統合してもよく、または、幾つかの機能を無視するかもしくは実装しなくてもよい。さらに、表示または議論した相互結合または直接結合または通信接続を、幾つかのインタフェースを用いて実装してもよい。装置またはユニットの間の間接接続を電子的、機械的、または他の形態で実装してもよい。
【０１３８】
別個の部分として説明したユニットが物理的に別個であってもなくてもよく、ユニットとして表示した部分が物理的なユニットであってもなくてもよく、１つの場所に配置してもよく、または複数のネットワークユニットに分散してもよい。当該ユニットの一部または全部を当該諸実施形態の解決策の目的を実現するための実際のニーズに従って選択してもよい。
【０１３９】
さらに、本発明の諸実施形態の機能ユニットを１つの処理ユニットに統合してもよく、または、当該ユニットの各々が物理的に単体で存在してもよく、または、複数のユニットが１つのユニットに統合される。統合されたユニットをハードウェアの形で実装してもよく、または、ソフトウェア機能ユニットに加えてハードウェアの形で実装してもよい。
【０１４０】
上述の統合されたユニットをソフトウェア機能ユニットの形で実装するとき、当該統合されたユニットをコンピュータ可読記憶媒体に格納してもよい。当該ソフトウェア機能ユニットは記憶媒体に格納され、本発明の諸実施形態で説明した方法の諸ステップの一部を実施するようにコンピュータ装置（パーソナル・コンピュータ、サーバ、またはネットワーク装置であってもよい）に指示するための幾つかの命令を含む。上述の記憶媒体には、ＵＳＢフラッシュ・ドライブ、取外し可能ハード・ディスク、読取専用メモリ（Ｒｅａｄ−Ｏｎｌｙ  Ｍｅｍｏｒｙ、略してＲＯＭ）、ランダム・アクセス・メモリ（Ｒａｎｄｏｍ  Ａｃｃｅｓｓ  Ｍｅｍｏｒｙ、略してＲＡＭ）、磁気ディスク、または光ディスクのような、プログラム・コードを格納できる任意の媒体が含まれる。
【符号の説明】
【０１４１】
１  ネットワーク装置
１１  送信ユニット
１２  受信ユニット
１３  ハンドオーバ・ユニット
１４  通知ユニット
１５  接続確立ユニット
１６  転送モード決定ユニット
２  ネットワーク装置
２１  受信ユニット
２２  送信ユニット
２３  通知ユニット
３  ネットワーク装置
３１  送信ユニット
３２  受信ユニット
３３  ハンドオーバ・ユニット
４  ネットワーク装置
４１  受信ユニット
４２  接続確立ユニット
４３  送信ユニット
４４  通知ユニット
５  ネットワーク装置
５２  通信インタフェース
５３  メモリ
５３１  コンピュータ・コード
５４  プロセッサ
６  ネットワーク装置
６２  通信インタフェース
６３  メモリ
６３１  コンピュータ・コード
６４  プロセッサ
７  ネットワーク装置
７２  通信インタフェース
７３  メモリ
７３１  コンピュータ・コード
７４  プロセッサ
【図１】
2016521091.tif 000003
【図２】
2016521091.tif 000004
【図３】
2016521091.tif 000005
【図４】
2016521091.tif 000006
【図５Ａ】
2016521091.tif 000007
【図５Ｂ】
2016521091.tif 000008
【図６Ａ】
2016521091.tif 000009
【図６Ｂ】
2016521091.tif 000010
【図７Ａ】
2016521091.tif 000011
【図７Ｂ】
2016521091.tif 000012
【図８Ａ】
2016521091.tif 000013
【図８Ｂ】
2016521091.tif 000014
【図９】
2016521091.tif 000015
【図１０】
2016521091.tif 000016
【図１１】
2016521091.tif 000017
【図１２】
2016521091.tif 000018
【図１３】
2016521091.tif 000019
【図１４】
2016521091.tif 000020
【図１５】
2016521091.tif 000021
【図１６】
2016521091.tif 000022
【図１７】
2016521091.tif 000023
【図１８】
2016521091.tif 000024
【図１９】
2016521091.tif 000025
【手続補正書】
【提出日】平成28年1月13日(2016.1.13)
【手続補正１】
【補正対象書類名】明細書
【補正対象項目名】０００４
【補正方法】変更
【補正の内容】
【０００４】
既存のＥＰＣ（Ｅｖｏｌｖｅｄ  Ｐａｃｋｅｔ  Ｃｏｒｅ、発展型パケットコア、ＥＰＣはＥＰＳの一部である）では、ＰＤＮ（Ｐａｃｋｅｔ  Ｄａｔａ  Ｎｅｔｗｏｒｋ、パケット・データ・ネットワーク）へのＵＥ（Ｕｓｅｒ  Ｅｑｕｉｐｍｅｎｔ、ユーザ機器）のアクセスに対するＩＰ接続を提供するためにデフォルト・ベアラが、ＵＥの取付を開始したときに確立され、ＰＤＮ接続が存在するときに常に維持される。しかし、幾つかの適用シナリオでは、例えばＭＴＣ（Ｍａｃｈｉｎｅ  Ｔｙｐｅ  Ｃｏｍｍｕｎｉｃａｔｉｏｎ、マシン・タイプ通信）の幾つかのサービスに対して、ＩＰ接続を用いることによってデータ交換を実施する必要はなく、対話をＳＭＳ（Ｓｈｏｒｔ  Ｍｅｓｓａｇｅ  Ｓｅｒｖｉｃｅ、ショート・メッセージ・サービス）または別のサービスの形で行ってもよい。したがって、何らかの特定のサービス機能を有するユーザ機器に対して、一時的に、ユーザ機器の取付時中にデフォルト・ベアラが確立されず、幾つかのサービスが非ＩＰ接続形式で完了することがある。ユーザ・ベアラ（またはデータ・ベアラとも呼ばれる）を用いてデータ転送を実施する必要がある場合には、ベアラ確立プロセスがさらに開始される。
【手続補正２】
【補正対象書類名】特許請求の範囲
【補正対象項目名】全文
【補正方法】変更
【補正の内容】
【特許請求の範囲】
【請求項１】
デフォルト・ベアラなしのハンドオーバのための方法であって、
第１のネットワーク装置により、再配置要求を第２のネットワーク装置に送信するステップであって、前記再配置要求は第３のネットワーク装置に関する情報および転送モード識別子を含み、前記第３のネットワーク装置に関する前記情報は、前記第２のネットワーク装置が前記第３のネットワーク装置への接続を確立するために使用され、前記転送モード識別子は直接転送または間接転送を示すために使用される、ステップと、
前記第１のネットワーク装置により、前記第２のネットワーク装置により送信された再配置応答を受信するステップであって、前記再配置応答はシグナリング・プレーンを用いてデータを転送すべきことを示す指示情報を運搬する、ステップと、
前記第１のネットワーク装置により、ハンドオーバ・コマンドをソース・ネットワーク装置に送信して、前記ソース・ネットワーク装置が、前記ハンドオーバ・コマンドで運搬される前記転送モード識別子により示される転送モードに従って、前記データをターゲット・ネットワーク装置に転送するようにするステップと、
前記第２のネットワーク装置がハンドオーバ完了通知メッセージを前記第３のネットワーク装置に送信し、前記第３のネットワーク装置が前記第１のネットワーク装置のアドレスから前記第２のネットワーク装置のアドレスへのサービング・ノード情報を更新するように、前記第１のネットワーク装置により、再配置完了メッセージを前記第２のネットワーク装置に送信するステップと、
を含む、方法。
【請求項２】
実行されたハンドオーバが、高度地上波無線アクセスネットワーク（Ｅ−ＵＴＲＡＮ）内の内部ハンドオーバまたは前記Ｅ−ＵＴＲＡＮと地上波無線アクセスネットワーク（ＵＴＲＡＮ）の間のハンドオーバであるとき、前記第１のネットワーク装置により、ハンドオーバ・コマンドをソース・ネットワーク装置に送信して、前記ソース・ネットワーク装置が、前記ハンドオーバ・コマンドで運搬される前記転送モード識別子により示される転送モードに従って、前記データをターゲット・ネットワーク装置に転送するようにするステップは、
前記第１のネットワーク装置により、前記ハンドオーバ・コマンドを前記ソース・ネットワーク装置に送信するステップであって、前記ハンドオーバ・コマンドで運搬される前記転送モード識別子は、前記データを前記ターゲット・ネットワーク装置に直接転送するように前記ソース・ネットワーク装置に指示するステップ、または、
前記第１のネットワーク装置により、前記ハンドオーバ・コマンドを前記ソース・ネットワーク装置に送信するステップであって、前記ハンドオーバ・コマンドで運搬される前記転送モード識別子は、前記データを間接的に転送するように前記ソース・ネットワーク装置に指示するステップと、
前記第１のネットワーク装置により、前記ソース・ネットワーク装置により送信された前記データを受信するステップと、
前記第２のネットワーク装置が前記データを前記ターゲット・ネットワーク装置に送信するように、前記第１のネットワーク装置により、シグナリング・プレーン・ベアラを用いて前記データを前記第２のネットワーク装置に転送するステップと、
を含む、請求項１に記載の方法。
【請求項３】
実行されたハンドオーバが、Ｅ−ＵＴＲＡＮとＵＴＲＡＮ、および前記ハンドオーバがデフォルト・ベアラを有する前のネットワークの一方の側および前記ハンドオーバがデフォルト・ベアラを有さなくなった後のネットワークの一方の側の間のハンドオーバであるとき、前記第１のネットワーク装置により、ハンドオーバ・コマンドをソース・ネットワーク装置に送信して、前記ソース・ネットワーク装置が、前記ハンドオーバ・コマンドで運搬される前記転送モード識別子により示される転送モードに従って、前記データをターゲット・ネットワーク装置に転送するようにするステップは、
前記第１のネットワーク装置により、前記ハンドオーバ・コマンドを前記ソース・ネットワーク装置に送信するステップであって、前記ハンドオーバ・コマンドで運搬される前記転送モード識別子は、前記データを前記ターゲット・ネットワーク装置に直接転送するように前記ソース・ネットワーク装置に指示するステップ、または、
前記第１のネットワーク装置により、前記ハンドオーバ・コマンドを前記ソース・ネットワーク装置に送信するステップであって、前記ハンドオーバ・コマンドで運搬される前記転送モード識別子は、前記データを間接的に転送するように前記ソース・ネットワーク装置に指示するステップと、
前記第１のネットワーク装置により、前記ソース・ネットワーク装置により送信された前記データを受信するステップと、
前記サービング・ゲートウェイがシグナリング・プレーン・ベアラを用いて前記データを前記第２のネットワーク装置に転送するように、前記第１のネットワーク装置により、前記データをサービング・ゲートウェイに転送するステップと、
を含む、請求項１に記載の方法。
【請求項４】
前記転送モード識別子が、前記データを間接的に転送するように前記ソース・ネットワーク装置に指示する場合、前記第１のネットワーク装置により、前記第２のネットワーク装置により送信された再配置応答を受信した後、前記方法はさらに、
前記第１のネットワーク装置により、転送チャネル確立要求を前記サービング・ゲートウェイに送信するステップと、
前記第１のネットワーク装置により、前記サービング・ゲートウェイにより送信された転送チャネル確立応答を受信するステップと、
前記第１のネットワーク装置により、前記サービング・ゲートウェイと前記第２のネットワーク装置の間の前記シグナリング・プレーン・ベアラを確立するステップと、
を含む、請求項３に記載の方法。
【請求項５】
実行されたハンドオーバが前記Ｅ−ＵＴＲＡＮ内の内部ハンドオーバであるとき、前記第１のネットワーク装置はソース可動性管理エンティティであり、前記第２のネットワーク装置はターゲット可動性管理エンティティであり、前記第３のネットワーク装置はマシン・タイプ通信インターワーキング機能ＭＴＣ−ＩＷＦであり、前記ソース・ネットワーク装置はソース基地局であり、前記ターゲット・ネットワーク装置はターゲット基地局であるか、または、前記実行されたハンドオーバが前記Ｅ−ＵＴＲＡＮから前記ＵＴＲＡＮへのハンドオーバであるとき、前記第１のネットワーク装置はソース可動性管理エンティティであり、前記第２のネットワーク装置はターゲット・サービング汎用パケット無線サービス・サポート・ノードＳＧＳＮであり、前記第３のネットワーク装置はＭＴＣ−ＩＷＦであり、前記ソース・ネットワーク装置はソース基地局であり、前記ターゲット・ネットワーク装置はターゲット無線ネットワークコントローラＲＮＣであるか、または、前記実行されたハンドオーバが前記ＵＴＲＡＮから前記Ｅ−ＵＴＲＡＮへのハンドオーバであるとき、前記第１のネットワーク装置はソースＳＧＳＮであり、前記第２のネットワーク装置はターゲット可動性管理エンティティであり、前記第３のネットワーク装置はＭＴＣ−ＩＷＦであり、前記ソース・ネットワーク装置はソースＲＮＣであり、前記ターゲット・ネットワーク装置はターゲット基地局である、請求項１乃至４の何れか１項に記載の方法。
【請求項６】
デフォルト・ベアラなしのハンドオーバのための方法であって、
第２のネットワーク装置により、第１のネットワーク装置により送信された再配置要求を受信するステップであって、前記再配置要求は第３のネットワーク装置に関する情報および転送モード識別子を含み、前記第３のネットワーク装置に関する前記情報は、前記第２のネットワーク装置が前記第３のネットワーク装置への接続を確立するために使用され、前記転送モード識別子は直接転送または間接転送を示すために使用されるステップと、
前記第２のネットワーク装置により、再配置応答を前記第１のネットワーク装置に送信するステップであって、前記再配置応答はシグナリング・プレーンを用いてデータを転送すべきことを示す指示情報を運搬して、前記第１のネットワーク装置が前記再配置応答を受信した後、前記第１のネットワーク装置がハンドオーバ・コマンドをソース・ネットワーク装置に送信し、前記ソース・ネットワーク装置が、前記ハンドオーバ・コマンドで運搬される前記転送モード識別子により示される転送モードに従って、前記データをターゲット・ネットワーク装置に転送するようにする、ステップと、
前記第２のネットワーク装置により、ハンドオーバ完了通知メッセージを前記第３のネットワーク装置に送信して、前記第３のネットワーク装置が前記第１のネットワーク装置のアドレスから前記第２のネットワーク装置のアドレスへのサービング・ノード情報を更新するようにするステップと、
を含む、方法。
【請求項７】
実行されたハンドオーバがＥ−ＵＴＲＡＮ内の内部ハンドオーバであるとき、前記第１のネットワーク装置はソース可動性管理エンティティであり、前記第２のネットワーク装置はターゲット可動性管理エンティティであり、前記第３のネットワーク装置はマシン・タイプ通信インターワーキング機能ＭＴＣ−ＩＷＦであり、前記ソース・ネットワーク装置はソース基地局であり、前記ターゲット・ネットワーク装置はターゲット基地局であるか、または、実行されたハンドオーバが前記Ｅ−ＵＴＲＡＮからＵＴＲＡＮへのハンドオーバであるとき、前記第１のネットワーク装置はソース可動性管理エンティティであり、前記第２のネットワーク装置はターゲット・サービング汎用パケット無線サービス・サポート・ノードＳＧＳＮであり、前記第３のネットワーク装置はＭＴＣ−ＩＷＦであり、前記ソース・ネットワーク装置はソース基地局であり、前記ターゲット・ネットワーク装置はターゲット無線ネットワークコントローラＲＮＣであるか、または、実行されたハンドオーバが前記ＵＴＲＡＮから前記Ｅ−ＵＴＲＡＮへのハンドオーバであるとき、前記第１のネットワーク装置はソースＳＧＳＮであり、前記第２のネットワーク装置はターゲット可動性管理エンティティであり、前記第３のネットワーク装置はＭＴＣ−ＩＷＦであり、前記ソース・ネットワーク装置はソースＲＮＣであり、前記ターゲット・ネットワーク装置はターゲット基地局である、請求項６に記載の方法。
【請求項８】
デフォルト・ベアラなしのハンドオーバのための方法であって、
第１のネットワーク装置により、再配置要求を第２のネットワーク装置に送信するステップであって、前記再配置要求は第３のネットワーク装置に関する情報を含み、前記第３のネットワーク装置に関する前記情報は、前記第２のネットワーク装置が前記第３のネットワーク装置への接続を確立するために使用されるステップと、
前記第２のネットワーク装置が前記第３のネットワーク装置に対する前記接続を確立し、前記第２のネットワーク装置がデータをキャッシュするように前記第３のネットワーク装置に指示した後、前記第１のネットワーク装置により、前記第２のネットワーク装置により送信された再配置応答を受信するステップであって、前記再配置応答はシグナリング・プレーンを用いて前記データを転送すべきことを示す指示情報を運搬するステップと、
前記第１のネットワーク装置により、ハンドオーバ・コマンドをソース・ネットワーク装置に送信して、前記ソース・ネットワーク装置が前記ハンドオーバ・コマンドに従ってユーザ機器のハンドオーバをトリガし、前記ユーザ機器の前記ハンドオーバが完了した後、前記第２のネットワーク装置が前記第３のネットワーク装置により送信された前記データを受信するようにするステップと、
を含む、方法。
【請求項９】
実行されたハンドオーバがＥ−ＵＴＲＡＮ内の内部ハンドオーバであるとき、前記第１のネットワーク装置はソース可動性管理エンティティであり、前記第２のネットワーク装置はターゲット可動性管理エンティティであり、前記第３のネットワーク装置はマシン・タイプ通信インターワーキング機能ＭＴＣ−ＩＷＦであり、前記ソース・ネットワーク装置はソース基地局であり、ターゲット・ネットワーク装置はターゲット基地局であるか、または、実行されたハンドオーバが前記Ｅ−ＵＴＲＡＮからＵＴＲＡＮへのハンドオーバであるとき、前記第１のネットワーク装置はソース可動性管理エンティティであり、前記第２のネットワーク装置はターゲット・サービング汎用パケット無線サービス・サポート・ノードＳＧＳＮであり、前記第３のネットワーク装置はＭＴＣ−ＩＷＦであり、前記ソース・ネットワーク装置はソース基地局であり、ターゲット・ネットワーク装置はターゲット無線ネットワークコントローラＲＮＣであるか、または、実行されたハンドオーバが前記ＵＴＲＡＮから前記Ｅ−ＵＴＲＡＮへのハンドオーバであるとき、前記第１のネットワーク装置はソースＳＧＳＮであり、前記第２のネットワーク装置はターゲット可動性管理エンティティであり、前記第３のネットワーク装置はＭＴＣ−ＩＷＦであり、前記ソース・ネットワーク装置はソースＲＮＣであり、ターゲット・ネットワーク装置はターゲット基地局である、請求項８に記載の方法。
【請求項１０】
デフォルト・ベアラなしのハンドオーバのための方法であって、
第２のネットワーク装置により、第１のネットワーク装置により送信された再配置要求を受信するステップであって、前記再配置要求は第３のネットワーク装置に関する情報を含み、前記第３のネットワーク装置に関する前記情報は、前記第２のネットワーク装置が前記第３のネットワーク装置への接続を確立するために使用されるステップと、
前記第２のネットワーク装置により、前記第３のネットワーク装置に対する前記接続を確立し、ユーザ機器のハンドオーバ・プロセスを開始したことを前記第３のネットワーク装置に示して、前記第３のネットワーク装置がデータをキャッシュするようにするステップと、
前記第２のネットワーク装置により、再配置応答を前記第１のネットワーク装置に送信するステップであって、前記再配置応答はシグナリング・プレーンを用いて前記データを転送すべきことを示す指示情報を運搬するステップと、
前記第２のネットワーク装置により、前記第３のネットワーク装置により送信された前記データを受信するステップと、
を含む、方法。
【請求項１１】
前記第２のネットワーク装置により、前記第３のネットワーク装置により送信された前記データを受信する前に、前記方法はさらに、
前記第２のネットワーク装置により、ハンドオーバ完了通知を前記第３のネットワーク装置に送信して、前記第３のネットワーク装置が前記第１のネットワーク装置のアドレスから前記第２のネットワーク装置のアドレスへのサービング・ノード情報を更新するようにするステップ
を含む、請求項１０に記載の方法。
【請求項１２】
ネットワーク装置であって、
再配置要求を第２のネットワーク装置に送信するように構成された送信ユニットであって、前記再配置要求は第３のネットワーク装置に関する情報および転送モード識別子を含み、前記第３のネットワーク装置に関する前記情報は、前記第２のネットワーク装置が前記第３のネットワーク装置への接続を確立するために使用され、前記転送モード識別子は直接転送または間接転送を示すために使用される、送信ユニットと、
前記第２のネットワーク装置により送信された再配置応答を受信するように構成された受信ユニットであって、前記再配置応答はシグナリング・プレーンを用いてデータを転送すべきことを示す指示情報を運搬する、受信ユニットと、
ハンドオーバ・コマンドをソース・ネットワーク装置に送信して、前記ソース・ネットワーク装置が、前記ハンドオーバ・コマンドで運搬される前記転送モード識別子により示される転送モードに従って、前記データをターゲット・ネットワーク装置に転送するようにするように構成されたハンドオーバ・ユニットと、
再配置完了メッセージを前記第２のネットワーク装置に送信して、前記第２のネットワーク装置がハンドオーバ完了通知メッセージを前記第３のネットワーク装置に送信し、前記第３のネットワーク装置が前記ネットワーク装置のアドレスから前記第２のネットワーク装置のアドレスへのサービング・ノード情報を更新するようにするように構成された通知ユニットと、
を備える、ネットワーク装置。
【請求項１３】
実行されたハンドオーバが、高度地上波無線アクセスネットワーク（Ｅ−ＵＴＲＡＮ）内の内部ハンドオーバまたは前記Ｅ−ＵＴＲＡＮと地上波無線アクセスネットワーク（ＵＴＲＡＮ）の間のハンドオーバであるとき、
前記ハンドオーバ・ユニットは特に、前記ハンドオーバ・コマンドを前記ソース・ネットワーク装置に送信するように構成され、前記ハンドオーバ・コマンドで運搬される前記転送モード識別子は、前記データを前記ターゲット・ネットワーク装置に直接転送するように前記ソース・ネットワーク装置に指示するか、または、前記ハンドオーバ・ユニットは特に、前記ハンドオーバ・コマンドを前記ソース・ネットワーク装置に送信するように構成され、前記ハンドオーバ・コマンドで運搬される前記転送モード識別子は、前記データを間接的に転送するように前記ソース・ネットワーク装置に指示し、
前記受信ユニットはさらに、前記ソース・ネットワーク装置により送信された前記データを受信するように構成され、
前記送信ユニットはさらに、前記第２のネットワーク装置が前記データを前記ターゲット・ネットワーク装置に送信するように、シグナリング・プレーン・ベアラを用いて前記データを前記第２のネットワーク装置に転送するように構成された、
請求項１２に記載のネットワーク装置。
【請求項１４】
実行されたハンドオーバが、Ｅ−ＵＴＲＡＮとＵＴＲＡＮ、および前記ハンドオーバがデフォルト・ベアラを有する前のネットワークの一方の側および前記ハンドオーバがデフォルト・ベアラを有さなくなった後のネットワークの一方の側の間のハンドオーバであるとき、
前記ハンドオーバ・ユニットは特に、前記ハンドオーバ・コマンドを前記ソース・ネットワーク装置に送信するように構成され、前記ハンドオーバ・コマンドで運搬される前記転送モード識別子は、前記データを前記ターゲット・ネットワーク装置に直接転送するように前記ソース・ネットワーク装置に指示するか、または、前記ハンドオーバ・ユニットは特に、前記ハンドオーバ・コマンドを前記ソース・ネットワーク装置に送信するように構成され、前記ハンドオーバ・コマンドで運搬される前記転送モード識別子は、前記データを間接的に転送するように前記ソース・ネットワーク装置に指示し、
前記受信ユニットはさらに、前記ソース・ネットワーク装置により送信された前記データを受信するように構成され、
前記送信ユニットはさらに、前記データをサービング・ゲートウェイに転送して、前記サービング・ゲートウェイがシグナリング・プレーン・ベアラを用いて前記データを前記第２のネットワーク装置に転送するようにするように構成された、
請求項１２に記載のネットワーク装置。
【請求項１５】
前記転送モード識別子が、前記データを間接的に転送するように前記ソース・ネットワーク装置に指示する場合、前記第２のネットワーク装置により送信された前記再配置応答が受信された後、
前記送信ユニットはさらに、転送チャネル確立要求を前記サービング・ゲートウェイに送信するように構成され、
前記受信ユニットはさらに、前記サービング・ゲートウェイにより送信された転送チャネル確立応答を受信するように構成され、
前記ネットワーク装置はさらに、前記サービング・ゲートウェイと前記第２のネットワーク装置の間の前記シグナリング・プレーン・ベアラを確立するように構成された接続確立ユニットを備える、
請求項１４に記載のネットワーク装置。
【請求項１６】
実行されたハンドオーバが前記Ｅ−ＵＴＲＡＮ内の内部ハンドオーバであるとき、前記ネットワーク装置はソース可動性管理エンティティであり、前記第２のネットワーク装置はターゲット可動性管理エンティティであり、前記第３のネットワーク装置はマシン・タイプ通信インターワーキング機能ＭＴＣ−ＩＷＦであり、前記ソース・ネットワーク装置はソース基地局であり、前記ターゲット・ネットワーク装置はターゲット基地局であるか、または、前記実行されたハンドオーバが前記Ｅ−ＵＴＲＡＮから前記ＵＴＲＡＮへのハンドオーバであるとき、前記ネットワーク装置はソース可動性管理エンティティであり、前記第２のネットワーク装置はターゲット・サービング汎用パケット無線サービス・サポート・ノードＳＧＳＮであり、前記第３のネットワーク装置はＭＴＣ−ＩＷＦであり、前記ソース・ネットワーク装置はソース基地局であり、前記ターゲット・ネットワーク装置はターゲット無線ネットワークコントローラＲＮＣであるか、または、前記実行されたハンドオーバが前記ＵＴＲＡＮから前記Ｅ−ＵＴＲＡＮへのハンドオーバであるとき、前記ネットワーク装置はソースＳＧＳＮであり、前記第２のネットワーク装置はターゲット可動性管理エンティティであり、前記第３のネットワーク装置はＭＴＣ−ＩＷＦであり、前記ソース・ネットワーク装置はソースＲＮＣであり、前記ターゲット・ネットワーク装置はターゲット基地局である、請求項１２乃至１５の何れか１項に記載のネットワーク装置。
【請求項１７】
ネットワーク装置であって、
第１のネットワーク装置により送信された再配置要求を受信するように構成された受信ユニットであって、前記再配置要求は第３のネットワーク装置に関する情報および転送モード識別子を含み、前記第３のネットワーク装置に関する前記情報は前記ネットワーク装置が前記第３のネットワーク装置への接続を確立するために使用され、前記転送モード識別子は直接転送または間接転送を示すために使用される、受信ユニットと、
再配置応答を前記第１のネットワーク装置に送信するように構成された送信ユニットであって、前記再配置応答はシグナリング・プレーンを用いてデータを転送すべきことを示す指示情報を運搬して、前記第１のネットワーク装置が前記再配置応答を受信した後、前記第１のネットワーク装置がハンドオーバ・コマンドをソース・ネットワーク装置に送信し、前記ソース・ネットワーク装置が、前記ハンドオーバ・コマンドで運搬される前記転送モード識別子により示される転送モードに従って、前記データをターゲット・ネットワーク装置に転送するようにする、送信ユニットと、
ハンドオーバ完了通知メッセージを前記第３のネットワーク装置に送信して、前記第３のネットワーク装置が、前記第１のネットワーク装置のアドレスから前記ネットワーク装置のアドレスへのサービング・ノード情報を更新するようにするように構成された通知ユニットと、
を備える、ネットワーク装置。
【請求項１８】
実行されたハンドオーバがＥ−ＵＴＲＡＮ内の内部ハンドオーバであるとき、前記第１のネットワーク装置はソース可動性管理エンティティであり、前記ネットワーク装置はターゲット可動性管理エンティティであり、前記第３のネットワーク装置はマシン・タイプ通信インターワーキング機能ＭＴＣ−ＩＷＦであり、前記ソース・ネットワーク装置はソース基地局であり、前記ターゲット・ネットワーク装置はターゲット基地局であるか、または、実行されたハンドオーバが前記Ｅ−ＵＴＲＡＮからＵＴＲＡＮへのハンドオーバであるとき、前記第１のネットワーク装置はソース可動性管理エンティティであり、前記ネットワーク装置はターゲット・サービング汎用パケット無線サービス・サポート・ノードＳＧＳＮであり、前記第３のネットワーク装置はＭＴＣ−ＩＷＦであり、前記ソース・ネットワーク装置はソース基地局であり、前記ターゲット・ネットワーク装置はターゲット無線ネットワークコントローラＲＮＣであるか、または、実行されたハンドオーバが前記ＵＴＲＡＮから前記Ｅ−ＵＴＲＡＮへのハンドオーバであるとき、前記第１のネットワーク装置はソースＳＧＳＮであり、前記ネットワーク装置はターゲット可動性管理エンティティであり、前記第３のネットワーク装置はＭＴＣ−ＩＷＦであり、前記ソース・ネットワーク装置はソースＲＮＣであり、前記ターゲット・ネットワーク装置はターゲット基地局である、請求項１７に記載のネットワーク装置。
【請求項１９】
ネットワーク装置であって、
再配置要求を第２のネットワーク装置に送信するように構成された送信ユニットであって、前記再配置要求は第３のネットワーク装置に関する情報を含み、前記第３のネットワーク装置に関する前記情報は、前記第２のネットワーク装置が前記第３のネットワーク装置への接続を確立するために使用される、送信ユニットと、
前記第２のネットワーク装置が前記第３のネットワーク装置に対する前記接続を確立し、前記第２のネットワーク装置がデータをキャッシュするように前記第３のネットワーク装置に指示した後、前記第２のネットワーク装置により送信された再配置応答を受信するように構成された受信ユニットであって、前記再配置応答はシグナリング・プレーンを用いて前記データを転送すべきことを示す指示情報を運搬する、受信ユニットと、
ハンドオーバ・コマンドをソース・ネットワーク装置に送信して、前記ソース・ネットワーク装置が前記ハンドオーバ・コマンドに従ってユーザ機器のハンドオーバをトリガし、前記ユーザ機器の前記ハンドオーバが完了した後、前記第２のネットワーク装置が前記第３のネットワーク装置により送信された前記データを受信するようにするように構成されたハンドオーバ・ユニットと、
を備える、ネットワーク装置。
【請求項２０】
実行されたハンドオーバがＥ−ＵＴＲＡＮ内の内部ハンドオーバであるとき、前記ネットワーク装置はソース可動性管理エンティティであり、前記第２のネットワーク装置はターゲット可動性管理エンティティであり、前記第３のネットワーク装置はマシン・タイプ通信インターワーキング機能ＭＴＣ−ＩＷＦであり、前記ソース・ネットワーク装置はソース基地局であり、ターゲット・ネットワーク装置はターゲット基地局であるか、または、実行されたハンドオーバが前記Ｅ−ＵＴＲＡＮからＵＴＲＡＮへのハンドオーバであるとき、前記ネットワーク装置はソース可動性管理エンティティであり、前記第２のネットワーク装置はターゲット・サービング汎用パケット無線サービス・サポート・ノードＳＧＳＮであり、前記第３のネットワーク装置はＭＴＣ−ＩＷＦであり、前記ソース・ネットワーク装置はソース基地局であり、ターゲット・ネットワーク装置はターゲット無線ネットワークコントローラＲＮＣであるか、または、実行されたハンドオーバが前記ＵＴＲＡＮから前記Ｅ−ＵＴＲＡＮへのハンドオーバであるとき、前記ネットワーク装置はソースＳＧＳＮであり、前記第２のネットワーク装置はターゲット可動性管理エンティティであり、前記第３のネットワーク装置はＭＴＣ−ＩＷＦであり、前記ソース・ネットワーク装置はソースＲＮＣであり、ターゲット・ネットワーク装置はターゲット基地局である、請求項１９に記載のネットワーク装置。
【請求項２１】
ネットワーク装置であって、
第１のネットワーク装置により送信された再配置要求を受信するように構成された受信ユニットであって、前記再配置要求は第３のネットワーク装置に関する情報を含み、前記第３のネットワーク装置に関する前記情報は前記ネットワーク装置が前記第３のネットワーク装置への接続を確立するために使用される、受信ユニットと、
前記第３のネットワーク装置に対する前記接続を確立し、ユーザ機器のハンドオーバ・プロセスを開始したことを前記第３のネットワーク装置に示して、前記第３のネットワーク装置がデータをキャッシュするようにするように構成された接続確立ユニットと、
再配置応答を前記第１のネットワーク装置に送信するように構成された送信ユニットであって、前記再配置応答はシグナリング・プレーンを用いて前記データを転送すべきことを示す指示情報を運搬する、送信ユニットと、
を備え、
前記受信ユニットはさらに、前記第３のネットワーク装置により送信された前記データを受信するように構成された、
ネットワーク装置。
【請求項２２】
前記第３のネットワーク装置により送信された前記データが受信される前に、ハンドオーバ完了通知を前記第３のネットワーク装置に送信して、前記第３のネットワーク装置が、前記第１のネットワーク装置のアドレスから前記ネットワーク装置のアドレスへのサービング・ノード情報を更新するようにするように構成された通知ユニットをさらに備える、請求項２１に記載のネットワーク装置。
【請求項２３】
請求項１乃至１１の何れか１項に記載の方法を実行するための命令を含むプログラムを格納した、コンピュータ可読記憶媒体。
【国際調査報告】
2016521091.tif 000026
2016521091.tif 000027
2016521091.tif 000028
2016521091.tif 000029